(57)【要約】  ワイヤレス通信をアグリゲートするための技法が提供される。これらの技法は、フェムトセルにおいてワイヤレス通信トラフィックをアグリゲートするための方法を含む。この方法は、フェムトセルにおいて、モバイルデバイス向けのデータパケットのストリームをワイヤレスルータから受信することと、フェムトセルからモバイルデバイスにデータパケットストリームのデータパケットを送るための送信モードを選択することとを含む。第１の送信モードは、ストリームからのデータパケットを、フェムトセルのロングタームエボリューション（ＬＴＥ）インターフェースを介して送信することを含む。第２の送信モードは、ストリームからのデータパケットを、ワイヤレスルータのＷｉＦｉ（登録商標）インターフェースを介して送信することを含む。第３の送信モードは、ＬＴＥインターフェースを介してモバイルデバイスにデータパケットの第１の部分を送信することと、データパケットの第２の部分を、ＷｉＦｉインターフェースを介して、モバイルデバイスへの送信のためにワイヤレスルータにルーティングすることとを含む。
2016523482.tif 000002
【特許請求の範囲】
【請求項１】
フェムトセルにおいてワイヤレス通信トラフィックをアグリゲートするための方法であって、
フェムトセルにおいて、ワイヤレストランシーバからモバイルデバイス向けのデータパケットのストリームを受信することと、
前記フェムトセルから前記モバイルデバイスに前記データパケットストリームのデータパケットを送るための送信モードを選択することと、前記選択することは、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉ（登録商標）インターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定することを備える、
前記選択された送信モードに従って前記データパケットを送ることとを備える、方法。
【請求項２】
前記ワイヤレストランシーバはワイヤレスルータのワイヤレストランシーバである、請求項１に記載の方法。
【請求項３】
前記送信モードを選択することは、前記フェムトセルと前記モバイルデバイスとの間のＬＴＥリンクのリンク状態に少なくとも部分的に基づいて前記送信モードを選択することを備える、請求項１に記載の方法。
【請求項４】
前記送信モードを選択することは、前記ワイヤレストランシーバと前記モバイルデバイスとの間のＷｉＦｉリンクのリンク状態に少なくとも部分的に基づいて前記送信モードを選択することを備える、請求項１に記載の方法。
【請求項５】
前記送信モードを選択することは、前記フェムトセルと前記モバイルデバイスとの間のＬＴＥリンクのローディングに少なくとも部分的に基づいて前記送信モードを選択することを備える、請求項１に記載の方法。
【請求項６】
前記送信モードを選択することは、前記ワイヤレストランシーバと前記モバイルデバイスとの間のＷｉＦｉリンクのローディングに少なくとも部分的に基づいて前記送信モードを選択することを備える、請求項１に記載の方法。
【請求項７】
前記送信モードを選択することは、少なくとも、前記フェムトセルのバックホールのローディングに少なくとも部分的に基づいて前記送信モードを選択することを備える、請求項１に記載の方法。
【請求項８】
前記選択された送信モードに従って前記データパケットを送ることは、前記フェムトセルから前記モバイルデバイスに送信されるパケットをカプセル化することを備える、請求項１に記載の方法。
【請求項９】
前記ワイヤレスルータがブリッジング機能性を提供するかどうか決定することをさらに備え、前記フェムトセルから前記モバイルデバイスに送信されるパケットを前記カプセル化することは、前記ワイヤレスルータがブリッジング機能性を提供しない場合に実施される、請求項８に記載の方法。
【請求項１０】
前記第３の送信モードが選択されたことに応答して、アグリゲートデータセッションの開始を示す信号を前記モバイルデバイスに送ることをさらに備える、請求項１に記載の方法。
【請求項１１】
前記第３の送信モードに従って前記データパケットを送った後、前記アグリゲートデータセッションの終了を示す信号を前記モバイルデバイスに送ることをさらに備える、請求項１０に記載の方法。
【請求項１２】
前記送信モードを選択することは、
ＬＴＥユーザプレーンデータ用に前記第２の送信モードを選択することと、
ＬＴＥ制御プレーンデータ用に前記第１の送信モードを選択することとをさらに備える、請求項１に記載の方法。
【請求項１３】
前記モバイルデバイスにアグリゲーション発見メッセージを送ることと、
前記モバイルデバイスからアグリゲーション発見応答を受信することと、
前記モバイルデバイスに第１のアグリゲーション情報を送信することと、
前記モバイルデバイスから第２のアグリゲーション情報を受信することと、
前記第１のアグリゲーション情報および前記第２のアグリゲーション情報に基づいて前記フェムトセルのアグリゲーション層を構成することとをさらに備える、請求項１に記載の方法。
【請求項１４】
前記第１のアグリゲーション情報はアグリゲーションポリシー情報を備える、請求項１３に記載の方法。
【請求項１５】
前記モバイルデバイスとのＷｉＦｉ接続性をテストすることをさらに備える、請求項１３に記載の方法。
【請求項１６】
フェムトセルにおいてワイヤレス通信トラフィックをアグリゲートするための装置であって、
フェムトセルにおいて、ワイヤレストランシーバからモバイルデバイス向けのデータパケットのストリームを受信するための手段と、
前記フェムトセルから前記モバイルデバイスに前記データパケットストリームのデータパケットを送るための送信モードを選択するための手段と、選択するための前記手段は、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を、前記ＷｉＦｉインターフェースを介して前記モバイルデバイスへの送信のために前記ワイヤレストランシーバに送ることを備える第３の送信モードを使って、前記データストリームからの前記データパケットを送信するかを、決定するための手段を備える、
前記選択された送信モードに従って前記データパケットを送るための手段とを備える、装置。
【請求項１７】
前記ワイヤレストランシーバはワイヤレスルータのワイヤレストランシーバである、請求項１６に記載の装置。
【請求項１８】
前記送信モードを選択するための前記手段は、前記フェムトセルと前記モバイルデバイスとの間のＬＴＥリンクのリンク状態に少なくとも部分的に基づいて、前記送信モードを選択するための手段を備える、請求項１６に記載の装置。
【請求項１９】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項１６に記載の装置。
【請求項２０】
前記送信モードを選択するための前記手段は、前記フェムトセルと前記モバイルデバイスとの間のＬＴＥリンクのローディングに少なくとも部分的に基づいて前記送信モードを選択するための手段を備える、請求項１６に記載の装置。
【請求項２１】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項１６に記載の装置。
【請求項２２】
前記送信モードを選択するための前記手段は、少なくとも、前記フェムトセルのバックホールのローディングに少なくとも部分的に基づいて前記送信モードを選択するための手段を備える、請求項１６に記載の装置。
【請求項２３】
前記選択された送信モードに従って前記データパケットを送るための前記手段は、前記フェムトセルから前記モバイルデバイスに送信されるパケットをカプセル化するための手段を備える、請求項１６に記載の装置。
【請求項２４】
前記ワイヤレスルータがブリッジング機能性を提供するかどうか決定するための手段をさらに備え、前記フェムトセルから前記モバイルデバイスに送信されるパケットをカプセル化するための前記手段は、前記ワイヤレスルータがブリッジング機能性を提供しない場合に前記パケットをカプセル化するための手段を備える、請求項２３に記載の装置。
【請求項２５】
前記第３の送信モードが選択されたことに応答して、アグリゲートデータセッションの開始を示す信号を前記モバイルデバイスに送るための手段をさらに備える、請求項１６に記載の装置。
【請求項２６】
前記第３の送信モードに従って前記データパケットを送った後、前記アグリゲートデータセッションの終了を示す信号を前記モバイルデバイスに送るための手段をさらに備える、請求項２５に記載の装置。
【請求項２７】
前記送信モードを選択することは、
ＬＴＥユーザプレーンデータ用に前記第２の送信モードを選択するための手段と、
ＬＴＥ制御プレーンデータ用に前記第１の送信モードを選択するための手段とをさらに備える、請求項１６に記載の装置。
【請求項２８】
前記モバイルデバイスにアグリゲーション発見メッセージを送るための手段と、
前記モバイルデバイスからアグリゲーション発見応答を受信するための手段と、
前記モバイルデバイスに第１のアグリゲーション情報を送信するための手段と、
前記モバイルデバイスから第２のアグリゲーション情報を受信するための手段と、
前記第１のアグリゲーション情報および前記第２のアグリゲーション情報に基づいて前記フェムトセルのアグリゲーション層を構成するための手段とをさらに備える、請求項１６に記載の装置。
【請求項２９】
前記第１のアグリゲーション情報はアグリゲーションポリシー情報を備える、請求項２８に記載の装置。
【請求項３０】
前記モバイルデバイスとのＷｉＦｉ接続性をテストするための手段をさらに備える、請求項２８に記載の装置。
【請求項３１】
フェムトセルにおいてワイヤレス通信トラフィックをアグリゲートするためのコンピュータ可読命令を記憶した有形のコンピュータ可読媒体であって、コンピュータに、
フェムトセルにおいて、ワイヤレストランシーバからモバイルデバイス向けのデータパケットのストリームを受信させ、
前記フェムトセルから前記モバイルデバイスに前記データパケットストリームのデータパケットを送るための送信モードを選択させ、前記コンピュータに、前記送信モードを選択させるように構成された前記命令は、前記コンピュータに、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定させるための命令を備える、
前記選択された送信モードに従って前記データパケットを送らせるように構成された命令を備える、有形のコンピュータ可読媒体。
【請求項３２】
前記ワイヤレストランシーバはワイヤレスルータのワイヤレストランシーバである、請求項３１に記載の有形のコンピュータ可読媒体。
【請求項３３】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項３１に記載の有形のコンピュータ可読媒体。
【請求項３４】
前記コンピュータに前記送信モードを選択させるように構成された前記命令は、前記コンピュータに、前記フェムトセルと前記モバイルデバイスとの間のＷｉＦｉリンクのリンク状態に少なくとも部分的に基づいて前記送信モードを選択させるように構成された命令を備える、請求項３１に記載の有形のコンピュータ可読媒体。
【請求項３５】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項３１に記載の有形のコンピュータ可読媒体。
【請求項３６】
前記コンピュータに前記送信モードを選択させるように構成された前記命令は、前記コンピュータに、前記フェムトセルと前記モバイルデバイスとの間のＷｉＦｉリンクのローディングに少なくとも部分的に基づいて前記送信モードを選択させるように構成された命令を備える、請求項３１に記載の有形のコンピュータ可読媒体。
【請求項３７】
前記コンピュータに前記送信モードを選択させるように構成された前記命令は、前記コンピュータに、少なくとも、前記フェムトセルのバックホールのローディングに少なくとも部分的に基づいて前記送信モードを選択させるように構成された命令を備える、請求項３１に記載の有形のコンピュータ可読媒体。
【請求項３８】
前記コンピュータに前記選択された送信モードに従って前記データパケットを送らせるように構成された前記命令は、前記コンピュータに、前記フェムトセルから前記モバイルデバイスに送信されるパケットをカプセル化させるように構成された命令を備える、請求項３１に記載の有形のコンピュータ可読媒体。
【請求項３９】
前記コンピュータに
前記ワイヤレスルータがブリッジング機能性を提供するかどうか決定させるように構成された命令をさらに備え、前記コンピュータに、前記パケットをカプセル化させるように構成された前記命令は、前記ワイヤレスルータがブリッジング機能性を提供しない場合、前記コンピュータに、前記フェムトセルから前記モバイルデバイスに送信される前記パケットをカプセル化させるように構成された命令を備える、実施される、請求項８に記載の有形のコンピュータ可読媒体。
【請求項４０】
前記コンピュータに、
前記第３の送信モードが選択されたことに応答して、アグリゲートデータセッションの開始を示す信号を前記モバイルデバイスに送らせるように構成された命令をさらに備える、請求項３１に記載の有形のコンピュータ可読媒体。
【請求項４１】
前記コンピュータに、
前記第３の送信モードに従って前記データパケットを送った後、前記アグリゲートデータセッションの終了を示す信号を前記モバイルデバイスに送らせるように構成された命令をさらに備える、請求項４０に記載の有形のコンピュータ可読媒体。
【請求項４２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させるように構成された命令をさらに備える、請求項３１に記載の有形のコンピュータ可読媒体。
【請求項４３】
前記コンピュータに、
前記モバイルデバイスにアグリゲーション発見メッセージを送らせ、
前記モバイルデバイスからアグリゲーション発見応答を受信させ、
前記モバイルデバイスに第１のアグリゲーション情報を送信させ、
前記モバイルデバイスから第２のアグリゲーション情報を受信させ、
前記第１のアグリゲーション情報および前記第２のアグリゲーション情報に基づいて前記フェムトセルのアグリゲーション層を構成させるように構成された前記命令をさらに備える、請求項３１に記載の有形のコンピュータ可読媒体。
【請求項４４】
前記第１のアグリゲーション情報はアグリゲーションポリシー情報を備える、請求項４３に記載の有形のコンピュータ可読媒体。
【請求項４５】
前記コンピュータに
前記モバイルデバイスとのＷｉＦｉ接続性をテストさせるように構成された命令をさらに備える、請求項４３に記載の有形のコンピュータ可読媒体。
【請求項４６】
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
フェムトセルにおいて、ワイヤレストランシーバからモバイルデバイス向けのデータパケットのストリームを受信し、
前記フェムトセルから前記モバイルデバイスに前記データパケットストリームのデータパケットを送るための送信モードを選択し、前記データアグリゲーションモジュールは、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定するようにさらに構成される、
前記選択された送信モードに従って前記データパケットを送るように構成された、装置。
【請求項４７】
前記ワイヤレストランシーバはワイヤレスルータのワイヤレストランシーバである、請求項４６に記載の装置。
【請求項４８】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項４６に記載の装置。
【請求項４９】
前記送信モードを選択するように構成されている前記データアグリゲーションモジュールは、前記コンピュータに、前記フェムトセルと前記モバイルデバイスとの間のＷｉＦｉリンクのリンク状態に少なくとも部分的に基づいて前記送信モードを選択させるようにさらに構成される、請求項４６に記載の装置。
【請求項５０】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項４６に記載の装置。
【請求項５１】
前記送信モードを選択するように構成されている前記データアグリゲーションモジュールは、前記フェムトセルと前記モバイルデバイスとの間のＷｉＦｉリンクのローディングに少なくとも部分的に基づいて前記送信モードを選択するようにさらに構成される、請求項４６に記載の装置。
【請求項５２】
前記送信モードを選択するように構成されている前記データアグリゲーションモジュールは、少なくとも、前記フェムトセルのバックホールのローディングに少なくとも部分的に基づいて前記送信モードを選択するようにさらに構成される、請求項４６に記載の装置。
【請求項５３】
前記選択された送信モードに従って前記データパケットを送るように構成されている前記データアグリゲーションモジュールは、前記フェムトセルから前記モバイルデバイスに送信されるパケットをカプセル化するようにさらに構成される、請求項４６に記載の装置。
【請求項５４】
前記データアグリゲーションモジュールは、前記ワイヤレスルータがブリッジング機能性を提供するかどうか決定するように構成され、前記データアグリゲーションモジュールは、前記ワイヤレスルータがブリッジング機能性を提供しない場合、前記フェムトセルから前記モバイルデバイスに送信されるパケットをカプセル化するように構成される、請求項５３に記載の装置。
【請求項５５】
前記データアグリゲーションモジュールは、
前記第３の送信モードが選択されたことに応答して、アグリゲートデータセッションの開始を示す信号を前記モバイルデバイスに送るようにさらに構成される、請求項４６に記載の装置。
【請求項５６】
前記データアグリゲーションモジュールは、
前記第３の送信モードに従って前記データパケットを送った後、前記アグリゲートデータセッションの終了を示す信号を前記モバイルデバイスに送るようにさらに構成される、請求項４６に記載の装置。
【請求項５７】
前記データアグリゲーションモジュールは、
ＬＴＥユーザプレーンデータ用に前記第２の送信モードを選択し、
ＬＴＥ制御プレーンデータ用に前記第１の送信モードを選択するように構成される、請求項４６に記載の装置。
【請求項５８】
前記データアグリゲーションモジュールは、
前記モバイルデバイスにアグリゲーション発見メッセージを送り、
前記モバイルデバイスからアグリゲーション発見応答を受信し、
前記モバイルデバイスに第１のアグリゲーション情報を送信し、
前記モバイルデバイスから第２のアグリゲーション情報を受信し、
前記第１のアグリゲーション情報および前記第２のアグリゲーション情報に基づいて前記フェムトセルのアグリゲーション層を構成するように構成される、請求項４６に記載の装置。
【請求項５９】
前記第１のアグリゲーション情報はアグリゲーションポリシー情報を備える、請求項５８に記載の装置。
【請求項６０】
前記データアグリゲーションモジュールは、
前記モバイルデバイスとのＷｉＦｉ接続性をテストするようにさらに構成される、請求項５８に記載の装置。
【請求項６１】
モバイルデバイスにおいてワイヤレス通信トラフィックをアグリゲートするための方法であって、
第１のワイヤレス通信プロトコルを使って、フェムトセルから、データストリームからのデータパケットの第１の部分を受信することと、
第２のワイヤレス通信プロトコルを使って、ワイヤレストランシーバから、前記データストリームからのデータパケットの第２の部分を受信することと、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートすることとを備える、方法。
【請求項６２】
前記データパケットの前記第１の部分と前記データパケットの前記第２の部分とを受信するのに先立って、アグリゲートデータセッションの開始を示す信号を、前記フェムトセルから受信することをさらに備える、請求項６１に記載の方法。
【請求項６３】
前記データパケットの前記第１の部分と前記データパケットの前記第２の部分とを受信した後、前記アグリゲートデータセッションの終了を示す信号を、前記フェムトセルから受信することをさらに備える、請求項６１に記載の方法。
【請求項６４】
前記ワイヤレストランシーバはワイヤレスルータのワイヤレストランシーバである、請求項６１に記載の方法。
【請求項６５】
モバイルデバイスにおいてワイヤレス通信トラフィックをアグリゲートするための装置であって、
第１のワイヤレス通信プロトコルを使って、フェムトセルから、データストリームからのデータパケットの第１の部分を受信するための手段と、
第２のワイヤレス通信プロトコルを使って、ワイヤレストランシーバから、前記データストリームからのデータパケットの第２の部分を受信するための手段と、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするための手段とを備える、装置。
【請求項６６】
前記データパケットの前記第１の部分と前記データパケットの前記第２の部分とを受信するのに先立って、アグリゲートデータセッションの開始を示す信号を、前記フェムトセルから受信するための手段をさらに備える、請求項６５に記載の装置。
【請求項６７】
前記データパケットの前記第１の部分と前記データパケットの前記第２の部分とを受信した後、前記アグリゲートデータセッションの終了を示す信号を、前記フェムトセルから受信するための手段をさらに備える、請求項６５に記載の装置。
【請求項６８】
前記ワイヤレストランシーバはワイヤレスルータのワイヤレストランシーバである、請求項６５に記載の装置。
【請求項６９】
モバイルデバイスにおいてワイヤレス通信トラフィックをアグリゲートするためのコンピュータ可読命令を記憶した有形のコンピュータ可読媒体であって、前記命令は、コンピュータに、
第１のワイヤレス通信プロトコルを使って、フェムトセルから、データストリームからのデータパケットの第１の部分を受信させ、
第２のワイヤレス通信プロトコルを使って、ワイヤレストランシーバから、前記データストリームからのデータパケットの第２の部分を受信させ、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートさせるように構成された命令を備える、有形のコンピュータ可読媒体。
【請求項７０】
前記コンピュータに、
前記データパケットの前記第１の部分と前記データパケットの前記第２の部分とを受信するのに先立って、アグリゲートデータセッションの開始を示す信号を、前記フェムトセルから受信させるように構成された命令をさらに備える、請求項６９に記載の有形のコンピュータ可読媒体。
【請求項７１】
前記コンピュータに、
前記データパケットの前記第１の部分と前記データパケットの前記第２の部分とを受信した後、前記アグリゲートデータセッションの終了を示す信号を、前記フェムトセルから受信させるように構成された命令をさらに備える、請求項６９に記載の有形のコンピュータ可読媒体。
【請求項７２】
前記ワイヤレストランシーバはワイヤレスルータのワイヤレストランシーバである、請求項６９に記載の有形のコンピュータ可読媒体。
【請求項７３】
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
第１のワイヤレス通信プロトコルを使って、フェムトセルから、データストリームからのデータパケットの第１の部分を受信し、
第２のワイヤレス通信プロトコルを使って、ワイヤレストランシーバから、前記データストリームからのデータパケットの第２の部分を受信し、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするように構成された、装置。
【請求項７４】
前記データアグリゲーションモジュールは、前記コンピュータに、
前記データパケットの前記第１の部分と前記データパケットの前記第２の部分とを受信するのに先立って、アグリゲートデータセッションの開始を示す信号を、前記フェムトセルから受信させるようにさらに構成される、請求項７３に記載の装置。
【請求項７５】
前記データアグリゲーションモジュールは、
前記データパケットの前記第１の部分と前記データパケットの前記第２の部分とを受信した後、前記アグリゲートデータセッションの終了を示す信号を、前記フェムトセルから受信するようにさらに構成される、請求項７３に記載の装置。
【請求項７６】
前記ワイヤレストランシーバはワイヤレスルータのワイヤレストランシーバである、請求項７３に記載の装置。
【請求項７７】
モバイルデバイスにおいてワイヤレス通信トラフィックをアグリゲートするための方法であって、
モバイルデバイスのアグリゲーションモジュールにおいて、リモートネットワークエンティティに送信されるべきデータパケットのストリームを受信することと、
前記モバイルデバイスから、前記モバイルデバイスに関連付けられたフェムトセルに前記データパケットストリームのデータパケットを送るための送信モードを選択することと、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って前記データストリームからの前記データパケットを送信するかを、決定することを備える、
前記選択された送信モードに従って前記データパケットを送ることとを備える、方法。
【請求項７８】
前記送信モードを選択することは、前記フェムトセルと前記モバイルデバイスとの間のＬＴＥリンクのリンク状態に少なくとも部分的に基づいて前記送信モードを選択することを備える、請求項７７に記載の方法。
【請求項７９】
前記送信モードを選択することは、前記フェムトセルと前記モバイルデバイスとの間のＷｉＦｉリンクのリンク状態に少なくとも部分的に基づいて前記送信モードを選択することを備える、請求項７７に記載の方法。
【請求項８０】
前記送信モードを選択することは、前記フェムトセルと前記モバイルデバイスとの間のＬＴＥリンクのローディングに少なくとも部分的に基づいて前記送信モードを選択することを備える、請求項７７に記載の方法。
【請求項８１】
前記送信モードを選択することは、前記フェムトセルと前記モバイルデバイスとの間のＷｉＦｉリンクのローディングに少なくとも部分的に基づいて前記送信モードを選択することを備える、請求項７７に記載の方法。
【請求項８２】
前記選択された送信モードに従って前記データパケットを送ることは、前記モバイルデバイスから前記フェムトセルに送信されるパケットをカプセル化することを備える、請求項７７に記載の方法。
【請求項８３】
前記第３の送信モードが選択されたことに応答して、アグリゲートデータセッションの開始を示す信号を前記フェムトセルに送ることをさらに備える、請求項７７に記載の方法。
【請求項８４】
前記第３の送信モードに従って前記データパケットを送った後、前記アグリゲートデータセッションの終了を示す信号を前記フェムトセルに送ることをさらに備える、請求項８３に記載の方法。
【請求項８５】
前記ワイヤレストランシーバはワイヤレスルータのワイヤレストランシーバである、請求項７７に記載の方法。
【請求項８６】
前記送信モードを選択することは、
ＬＴＥユーザプレーンデータ用に前記第２の送信モードを選択することと、
ＬＴＥ制御プレーンデータ用に前記第１の送信モードを選択することとをさらに備える、請求項７７に記載の方法。
【請求項８７】
前記フェムトセルにアグリゲーション発見メッセージを送ることと、
前記フェムトセルからアグリゲーション発見応答を受信することと、
前記フェムトセルに第１のアグリゲーション情報を送信することと、
前記フェムトセルから第２のアグリゲーション情報を受信することと、
前記第１のアグリゲーション情報および前記第２のアグリゲーション情報に基づいて前記モバイルデバイスのアグリゲーション層を構成することとをさらに備える、請求項７７に記載の方法。
【請求項８８】
前記第１のアグリゲーション情報はアグリゲーションポリシー情報を備える、請求項８７に記載の方法。
【請求項８９】
前記フェムトセルとのＷｉＦｉ接続性をテストすることをさらに備える、請求項８７に記載の方法。
【請求項９０】
モバイルデバイスにおいてワイヤレス通信トラフィックをアグリゲートするための装置であって、
モバイルデバイスのアグリゲーションモジュールにおいて、リモートネットワークエンティティに送信されるべきデータパケットのストリームを受信するための手段と、
前記モバイルデバイスから、前記モバイルデバイスに関連付けられたフェムトセルに前記データパケットストリームのデータパケットを送るための送信モードを選択するための手段と、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送るための手段とを備える、装置。
【請求項９１】
前記送信モードを選択するための前記手段は、前記フェムトセルと前記モバイルデバイスとの間のＬＴＥリンクのリンク状態に少なくとも部分的に基づいて前記送信モードを選択するための手段を備える、請求項９０に記載の装置。
【請求項９２】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項９０に記載の装置。
【請求項９３】
前記送信モードを選択するための前記手段は、前記フェムトセルと前記モバイルデバイスとの間のＬＴＥリンクのローディングに少なくとも部分的に基づいて前記送信モードを選択するための手段を備える、請求項９０に記載の装置。
【請求項９４】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項９０に記載の装置。
【請求項９５】
前記選択された送信モードに従って前記データパケットを送るための前記手段は、前記モバイルデバイスから前記フェムトセルに送信されるパケットをカプセル化するための手段を備える、請求項９０に記載の装置。
【請求項９６】
前記第３の送信モードが選択されたことに応答して、アグリゲートデータセッションの開始を示す信号を前記フェムトセルに送るための手段をさらに備える、請求項９０に記載の装置。
【請求項９７】
前記第３の送信モードに従って前記データパケットを送った後、前記アグリゲートデータセッションの終了を示す信号を前記フェムトセルに送るための手段をさらに備える、請求項９６に記載の装置。
【請求項９８】
前記ワイヤレストランシーバはワイヤレスルータのワイヤレストランシーバである、請求項９０に記載の装置。
【請求項９９】
前記送信モードを選択するための前記手段は、
ＬＴＥユーザプレーンデータ用に前記第２の送信モードを選択するための手段と、
ＬＴＥ制御プレーンデータ用に前記第１の送信モードを選択するための手段とをさらに備える、請求項９０に記載の装置。
【請求項１００】
前記フェムトセルにアグリゲーション発見メッセージを送るための手段と、
前記フェムトセルからアグリゲーション発見応答を受信するための手段と、
前記フェムトセルに第１のアグリゲーション情報を送信するための手段と、
前記フェムトセルから第２のアグリゲーション情報を受信するための手段と、
前記第１のアグリゲーション情報および前記第２のアグリゲーション情報に基づいて前記モバイルデバイスのアグリゲーション層を構成するための手段とをさらに備える、請求項９０に記載の装置。
【請求項１０１】
前記第１のアグリゲーション情報はアグリゲーションポリシー情報を備える、請求項１００に記載の装置。
【請求項１０２】
前記フェムトセルとのＷｉＦｉ接続性をテストするための手段をさらに備える、請求項１００に記載の装置。
【請求項１０３】
モバイルデバイスにおいてワイヤレス通信トラフィックをアグリゲートするためのコンピュータ可読命令を記憶した有形のコンピュータ可読媒体であって、前記命令は、コンピュータに、
モバイルデバイスのアグリゲーションモジュールにおいて、リモートネットワークエンティティに送信されるべきデータパケットのストリームを受信させ、
前記モバイルデバイスから、前記モバイルデバイスに関連付けられたフェムトセルに前記データパケットストリームのデータパケットを送るための送信モードを選択させ、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送らせるように構成された命令を備える、有形のコンピュータ可読媒体。
【請求項１０４】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項１０３に記載の有形のコンピュータ可読媒体。
【請求項１０５】
前記コンピュータに前記送信モードを選択させるように構成された前記命令は、前記コンピュータに、前記ワイヤレストランシーバと前記モバイルデバイスとの間のＷｉＦｉリンクのリンク状態に少なくとも部分的に基づいて前記送信モードを選択させるように構成された命令を備える、請求項１０３に記載の有形のコンピュータ可読媒体。
【請求項１０６】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項１０３に記載の有形のコンピュータ可読媒体。
【請求項１０７】
前記コンピュータに前記送信モードを選択させるように構成された前記命令は、前記コンピュータに、前記ワイヤレストランシーバと前記モバイルデバイスとの間のＷｉＦｉリンクのローディングに少なくとも部分的に基づいて前記送信モードを選択させるように構成された命令を備える、請求項１０３に記載の有形のコンピュータ可読媒体。
【請求項１０８】
前記コンピュータに前記選択された送信モードに従って前記データパケットを送らせるように構成された前記命令は、前記コンピュータに、前記モバイルデバイスから前記フェムトセルに送信されるパケットをカプセル化させるように構成された命令を備える、請求項１０３に記載の有形のコンピュータ可読媒体。
【請求項１０９】
前記コンピュータに、
前記第３の送信モードが選択されたことに応答して、アグリゲートデータセッションの開始を示す信号を前記フェムトセルに送らせるように構成された命令をさらに備える、請求項１０３に記載の有形のコンピュータ可読媒体。
【請求項１１０】
前記コンピュータに、
前記第３の送信モードに従って前記データパケットを送った後、前記アグリゲートデータセッションの終了を示す信号を前記フェムトセルに送らせるように構成された命令をさらに備える、請求項１０９に記載の有形のコンピュータ可読媒体。
【請求項１１１】
前記ワイヤレストランシーバはワイヤレスルータのワイヤレストランシーバである、請求項１０３に記載の有形のコンピュータ可読媒体。
【請求項１１２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させるように構成された命令をさらに備える、請求項１０３に記載の有形のコンピュータ可読媒体。
【請求項１１３】
前記コンピュータに、
前記フェムトセルにアグリゲーション発見メッセージを送らせ、
前記フェムトセルからアグリゲーション発見応答を受信させ、
前記フェムトセルに第１のアグリゲーション情報を送信させ、
前記フェムトセルから第２のアグリゲーション情報を受信させ、
前記第１のアグリゲーション情報および前記第２のアグリゲーション情報に基づいて前記モバイルデバイスのアグリゲーション層を構成させるように構成された命令をさらに備える、請求項１０３に記載の有形のコンピュータ可読媒体。
【請求項１１４】
前記第１のアグリゲーション情報はアグリゲーションポリシー情報を備える、請求項１１３に記載の有形のコンピュータ可読媒体。
【請求項１１５】
前記コンピュータに
前記モバイルデバイスとのＷｉＦｉ接続性をテストさせるように構成された命令をさらに備える、請求項１１３に記載の有形のコンピュータ可読媒体。
【請求項１１６】
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
モバイルデバイスのアグリゲーションモジュールにおいて、リモートネットワークエンティティに送信されるべきデータパケットのストリームを受信し、
前記モバイルデバイスから、前記モバイルデバイスに関連付けられたフェムトセルに前記データパケットストリームのデータパケットを送るための送信モードを選択し、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送るように構成された、装置。
【請求項１１７】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項１１６に記載の装置。
【請求項１１８】
前記送信モードを選択するように構成されている前記データアグリゲーションモジュールは、前記ワイヤレストランシーバと前記モバイルデバイスとの間のＷｉＦｉリンクのリンク状態に少なくとも部分的に基づいて前記送信モードを選択するようにさらに構成される、請求項１１６に記載の装置。
【請求項１１９】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項１１６に記載の装置。
【請求項１２０】
前記送信モードを選択するように構成されている前記データアグリゲーションモジュールは、前記ワイヤレストランシーバと前記モバイルデバイスとの間のＷｉＦｉリンクのローディングに少なくとも部分的に基づいて前記送信モードを選択するようにさらに構成される、請求項１１６に記載の装置。
【請求項１２１】
前記選択された送信モードに従って前記データパケットを送るように構成されている前記データアグリゲーションモジュールは、前記モバイルデバイスから前記フェムトセルに送信されるパケットをカプセル化するようにさらに構成される、請求項１１６に記載の装置。
【請求項１２２】
前記データアグリゲーションモジュールは、
前記第３の送信モードが選択されたことに応答して、アグリゲートデータセッションの開始を示す信号を前記フェムトセルに送るようにさらに構成される、請求項１１６に記載の装置。
【請求項１２３】
前記データアグリゲーションモジュールは、
前記第３の送信モードに従って前記データパケットを送った後、前記アグリゲートデータセッションの終了を示す信号を前記フェムトセルに送るようにさらに構成される、請求項１１６に記載の装置。
【請求項１２４】
前記ワイヤレストランシーバはワイヤレスルータのワイヤレストランシーバである、請求項１１６に記載の装置。
【請求項１２５】
前記データアグリゲーションモジュールは、
ＬＴＥユーザプレーンデータ用に前記第２の送信モードを選択し、
ＬＴＥ制御プレーンデータ用に前記第１の送信モードを選択するようにさらに構成される、請求項１１６に記載の装置。
【請求項１２６】
前記データアグリゲーションモジュールは、
前記フェムトセルにアグリゲーション発見メッセージを送り、
前記フェムトセルからアグリゲーション発見応答を受信し、
前記フェムトセルに第１のアグリゲーション情報を送信し、
前記フェムトセルから第２のアグリゲーション情報を受信し、
前記第１のアグリゲーション情報および前記第２のアグリゲーション情報に基づいて前記モバイルデバイスのアグリゲーション層を構成するようにさらに構成される、請求項１１６に記載の装置。
【請求項１２７】
前記第１のアグリゲーション情報はアグリゲーションポリシー情報を備える、請求項１２６に記載の装置。
【請求項１２８】
前記データアグリゲーションモジュールは、
前記フェムトセルとのＷｉＦｉ接続性をテストするようにさらに構成される、請求項１２６に記載の装置。
【請求項１２９】
フェムトセルにおいてワイヤレス通信トラフィックをアグリゲートするための方法であって、
前記フェムトセルにおいて、データストリームからのデータパケットの第１の部分を、前記フェムトセルの外部のワイヤレストランシーバを介してモバイルデバイスから受信することと、
前記フェムトセルにおいて、前記データストリームからのデータパケットの第２の部分を、前記モバイルデバイスとのワイヤレス接続を介して前記モバイルデバイスから受信することと、
アグリゲートされたデータストリームを作成するために、前記フェムトセルにおいて前記データストリームを再アセンブルするように、前記データパケットの前記第１の部分と前記データパケットの前記第２の部分とをアグリゲートすることと、
前記アグリゲートされたデータストリームを、データパケットの第１のセットおよびデータパケットの第２のセットの予定受信側である宛先ネットワークエンティティに送ることとを備える、方法。
【請求項１３０】
前記データパケットの前記第１の部分と前記データパケットの前記第２の部分とを受信するのに先立って、アグリゲートデータセッションの開始を示す信号を前記モバイルデバイスから受信することをさらに備える、請求項１２９に記載の方法。
【請求項１３１】
前記データパケットの前記第１の部分と前記データパケットの前記第２の部分とを受信した後、前記アグリゲートデータセッションの終了を示す信号を前記モバイルデバイスから受信することをさらに備える、請求項１２９に記載の方法。
【請求項１３２】
前記ワイヤレストランシーバは、前記フェムトセルに接続されたワイヤレスルータのワイヤレストランシーバである、請求項１２９に記載の方法。
【請求項１３３】
フェムトセルにおいてワイヤレス通信トラフィックをアグリゲートするための装置であって、
前記フェムトセルにおいて、データストリームからのデータパケットの第１の部分を、前記フェムトセルの外部のワイヤレストランシーバを介してモバイルデバイスから受信するための手段と、
前記フェムトセルにおいて、前記データストリームからのデータパケットの第２の部分を、前記モバイルデバイスとのワイヤレス接続を介して前記モバイルから受信するための手段と、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートするための手段と、
前記アグリゲートされたデータストリームを、データパケットの第１のセットおよびデータパケットの第２のセットの予定受信側である宛先ネットワークエンティティに送るための手段とを備える装置。
【請求項１３４】
前記データパケットの前記第１の部分と前記データパケットの前記第２の部分とを受信するのに先立って、アグリゲートデータセッションの開始を示す信号を前記モバイルデバイスから受信するための手段をさらに備える、請求項１３３に記載の装置。
【請求項１３５】
前記データパケットの前記第１の部分と前記データパケットの前記第２の部分とを受信した後、前記アグリゲートデータセッションの終了を示す信号を前記モバイルデバイスから受信するための手段をさらに備える、請求項１３３に記載の装置。
【請求項１３６】
前記ワイヤレストランシーバは、前記フェムトセルに接続されたワイヤレスルータのワイヤレストランシーバである、請求項１３３に記載の装置。
【請求項１３７】
フェムトセルにおいてワイヤレス通信トラフィックをアグリゲートするためのコンピュータ可読命令を記憶した有形のコンピュータ可読媒体であって、コンピュータに、
前記フェムトセルにおいて、データストリームからのデータパケットの第１の部分を、前記フェムトセルの外部のワイヤレストランシーバを介してモバイルデバイスから受信させ、
前記フェムトセルにおいて、前記データストリームからのデータパケットの第２の部分を、前記モバイルデバイスとのワイヤレス接続を介して前記モバイルから受信させ、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートさせ、
前記アグリゲートされたデータストリームを、データパケットの第１のセットおよびデータパケットの第２のセットの予定受信側である宛先ネットワークエンティティに送らせるように構成された命令を備える、有形のコンピュータ可読媒体。
【請求項１３８】
前記コンピュータに、
前記データパケットの前記第１の部分と前記データパケットの前記第２の部分とを受信するのに先立って、アグリゲートデータセッションの開始を示す信号を前記モバイルデバイスから受信させるように構成された命令をさらに備える、請求項１３７に記載の有形のコンピュータ可読媒体。
【請求項１３９】
前記コンピュータに、
前記データパケットの前記第１の部分と前記データパケットの前記第２の部分とを受信した後、前記アグリゲートデータセッションの終了を示す信号を前記モバイルデバイスから受信させるように構成された命令をさらに備える、請求項１３７に記載の有形のコンピュータ可読媒体。
【請求項１４０】
前記ワイヤレストランシーバは、前記フェムトセルに接続されたワイヤレスルータのワイヤレストランシーバである、請求項１３７に記載の有形のコンピュータ可読媒体。
【請求項１４１】
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
前記フェムトセルにおいて、データストリームからのデータパケットの第１の部分を、前記フェムトセルの外部のワイヤレストランシーバを介してモバイルデバイスから受信し、
前記フェムトセルにおいて、前記データストリームからのデータパケットの第２の部分を、前記モバイルデバイスとのワイヤレス接続を介して前記モバイルから受信し、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートし、
前記アグリゲートされたデータストリームを、データパケットの第１のセットおよびデータパケットの第２のセットの予定受信側である宛先ネットワークエンティティに送るように構成された、装置。
【請求項１４２】
前記データアグリゲーションモジュールは、
前記データパケットの前記第１の部分と前記データパケットの前記第２の部分とを受信するのに先立って、アグリゲートデータセッションの開始を示す信号を前記モバイルデバイスから受信するようにさらに構成される、請求項１４１に記載の装置。
【請求項１４３】
前記データアグリゲーションモジュールは、
前記データパケットの前記第１の部分と前記データパケットの前記第２の部分とを受信した後、前記アグリゲートデータセッションの終了を示す信号を前記モバイルデバイスから受信するようにさらに構成される、請求項１４１に記載の装置。
【請求項１４４】
前記ワイヤレストランシーバは、前記フェムトセルに接続されたワイヤレスルータのワイヤレストランシーバである、請求項１４１に記載の装置。
【発明の詳細な説明】
【技術分野】
【０００１】
関連出願の相互参照
[0001]本出願は、本出願の譲受人に譲渡され、参照により本明細書に明確に組み込まれる、２０１３年６月１８日に出願された「ＬＴＥ  ＡＮＤ  ＥＸＴＥＲＮＡＬ  ＷＩＦＩ  ＢＡＮＤＷＩＤＴＨ  ＡＧＧＲＥＧＡＴＩＯＮ」と題する米国特許出願第１３／９２０，８３２号の利益を主張する。
【背景技術】
【０００２】
[0002]ロングタームエボリューション（ＬＴＥ）フェムトセルは、モバイル通信ネットワーク用のワイヤレス基地局として働くように、家庭または職場に設置され得る。フェムトセルは通常、家庭または職場におけるブロードバンド接続を介してモバイル通信ネットワークプロバイダのネットワークに接続する。たとえば、イーサネット（登録商標）接続または他のワイヤードもしくはワイヤレスネットワーク接続を介して、フェムトセルがデジタル加入者回線（ＤＳＬ）ルータまたはケーブルモデムに接続され得る。
【０００３】
[0003]フェムトセルは、ユーザ機器（ＵＥ）または他のモバイルデバイス、たとえばスマートフォン、タブレットコンピュータ、またはＬＴＥワイヤレス通信プロトコルを使って通信するように構成されている他のタイプのモバイルデバイスからの一次インターフェースとして働くように構成され得る。ただし、ＬＴＥフェムトセルは、マクロセルおよび／または１つもしくは複数の近隣フェムトセルから厳しい、一貫性のない干渉を受ける場合があり、無線状態は時間および場所とともに変わり得る。
【０００４】
[0004]モバイルデバイスは、家庭または職場におけるＷｉＦｉ（登録商標）ワイヤレスアクセスポイントと通信するのに使われ得るＷｉＦｉインターフェースまたは他の短距離ワイヤレス通信インターフェースも含み得る。ＷｉＦｉインターフェースは、ＷｉＦｉアクセスポイントおよび／またはＷｉＦｉインターフェースを含む他のデバイスからデータを送受信するのに使われ得る。
【０００５】
[0005]本開示による、フェムトセルにおいてワイヤレス通信トラフィックをアグリゲートするための例示的方法は、フェムトセルにおいてワイヤレストランシーバからモバイルデバイス向けのデータパケットのストリームを受信することと、フェムトセルからモバイルデバイスにデータパケットストリームのデータパケットを送るための送信モードを選択することと、選択することは、フェムトセルのロングタームエボリューション（ＬＴＥ）インターフェースを介してストリームからのデータパケットを送信することを備える第１の送信モードを使って、データパケットストリームからのデータパケットをモバイルデバイスに送信するか、ワイヤレストランシーバのＷｉＦｉインターフェースを介してストリームからのデータパケットを送信することを備える第２の送信モードを使って、データパケットをモバイルデバイスへの送信のためにワイヤレストランシーバに送るか、あるいはＬＴＥインターフェースを介してモバイルデバイスにデータパケットの第１の部分を送信すること、およびデータパケットの第２の部分をＷｉＦｉインターフェースを介してモバイルデバイスへの送信のためにワイヤレストランシーバに送ることを備える第３の送信モードを使って、データストリームからのデータパケットを送信するかを、決定することを備える、選択された送信モードに従ってデータパケットを送ることとを含む。
【０００６】
[0006]そのような方法の実装形態は、以下の特徴のうちの１つまたは複数を含み得る。ワイヤレストランシーバは、ワイヤレスルータのワイヤレストランシーバである。送信モードを選択することは、フェムトセルとモバイルデバイスとの間のＬＴＥリンクのリンク状態に少なくとも部分的に基づいて送信モードを選択することを含む。送信モードを選択することは、ワイヤレストランシーバとモバイルデバイスとの間のＷｉＦｉリンクのリンク状態に少なくとも部分的に基づいて送信モードを選択することを含む。送信モードを選択することは、フェムトセルとモバイルデバイスとの間のＬＴＥリンクのローディングに少なくとも部分的に基づいて送信モードを選択することを含む。送信モードを選択することは、ワイヤレストランシーバとモバイルデバイスとの間のＷｉＦｉリンクのローディングに少なくとも部分的に基づいて送信モードを備える、含む。送信モードを選択することは、少なくとも、フェムトセルのバックホールのローディングに少なくとも部分的に基づいて送信モードを選択することを含む。選択された送信モードに従ってデータパケットを送ることは、フェムトセルからモバイルデバイスに送信されるパケットをカプセル化することを含む。ワイヤレスルータがブリッジング機能性を提供するかどうか決定すること、フェムトセルからモバイルデバイスに送信されるパケットをカプセル化することは、ワイヤレスルータがブリッジング機能性を提供しない場合に実施される。第３の送信モードが選択されたことに応答して、アグリゲートデータセッションの開始を示す信号をモバイルデバイスに送ること。第３の送信モードに従ってデータパケットを送った後、アグリゲートデータセッションの終了を示す信号をモバイルデバイスに送ること。ＬＴＥユーザプレーンデータ用に第２の送信モードを選択すること、およびＬＴＥ制御プレーンデータ用に第１の送信モードを選択すること。モバイルデバイスにアグリゲーション発見メッセージを送ること、モバイルデバイスからアグリゲーション発見応答を受信すること、モバイルデバイスに第１のアグリゲーション情報を送信すること、モバイルデバイスから第２のアグリゲーション情報を受信すること、ならびに第１のアグリゲーション情報および第２のアグリゲーション情報に基づいてフェムトセルのアグリゲーション層を構成すること。第１のアグリゲーション情報は、アグリゲーションポリシー情報を備える。モバイルデバイスとのＷｉＦｉ接続性をテストすること。
【０００７】
[0007]本開示による、フェムトセルにおいてワイヤレス通信トラフィックをアグリゲートするための装置は、フェムトセルにおいてワイヤレストランシーバからモバイルデバイス向けのデータパケットのストリームを受信するための手段と、フェムトセルからモバイルデバイスにデータパケットストリームのデータパケットを送るための送信モードを選択するための手段と、選択するための手段は、フェムトセルのロングタームエボリューション（ＬＴＥ）インターフェースを介してストリームからのデータパケットを送信することを備える第１の送信モードを使って、データパケットストリームからのデータパケットをモバイルデバイスに送信するか、ワイヤレストランシーバのＷｉＦｉインターフェースを介してストリームからのデータパケットを送信することを備える第２の送信モードを使って、データパケットをモバイルデバイスへの送信のためにワイヤレストランシーバに送るか、あるいはＬＴＥインターフェースを介してモバイルデバイスにデータパケットの第１の部分を送信すること、およびデータパケットの第２の部分をＷｉＦｉインターフェースを介してモバイルデバイスへの送信のためにワイヤレストランシーバに送ることを備える第３の送信モードを使って、データストリームからのデータパケットを送信するかを、決定するための手段を備える、選択された送信モードに従ってデータパケットを送るための手段とを含む。
【０００８】
[0008]そのような装置の実装形態は、以下の特徴のうちの１つまたは複数を含み得る。ワイヤレストランシーバは、ワイヤレスルータのワイヤレストランシーバである。送信モードを選択するための手段は、フェムトセルとモバイルデバイスとの間のＬＴＥリンクのリンク状態に少なくとも部分的に基づいて送信モードを選択するための手段を含む。送信モードを選択するための手段は、フェムトセルとモバイルデバイスとの間のＷｉＦｉリンクのリンク状態に少なくとも部分的に基づいて送信モードを選択するための手段を含む。送信モードを選択するための手段は、フェムトセルとモバイルデバイスとの間のＬＴＥリンクのローディングに少なくとも部分的に基づいて送信モードを選択するための手段を含む。送信モードを選択するための手段は、フェムトセルとモバイルデバイスとの間のＷｉＦｉリンクのローディングに少なくとも部分的に基づいて送信モードを選択するための手段を含む。送信モードを選択するための手段は、少なくとも、フェムトセルのバックホールのローディングに少なくとも部分的に基づいて送信モードを選択するための手段を含む。選択された送信モードに従ってデータパケットを送るための手段は、フェムトセルからモバイルデバイスに送信されるパケットをカプセル化するための手段を含む。ワイヤレスルータがブリッジング機能性を提供するかどうか決定するための手段、フェムトセルからモバイルデバイスに送信されるパケットをカプセル化するための手段は、ワイヤレスルータがブリッジング機能性を提供しない場合にパケットをカプセル化するための手段を含む。第３の送信モードが選択されたことに応答して、アグリゲートデータセッションの開始を示す信号をモバイルデバイスに送るための手段。第３の送信モードに従ってデータパケットを送った後、アグリゲートデータセッションの終了を示す信号をモバイルデバイスに送るための手段。ＬＴＥユーザプレーンデータ用に第２の送信モードを選択するための手段、およびＬＴＥ制御プレーンデータ用に第１の送信モードを選択するための手段。モバイルデバイスにアグリゲーション発見メッセージを送るための手段、モバイルデバイスからアグリゲーション発見応答を受信するための手段、モバイルデバイスに第１のアグリゲーション情報を送信するための手段、モバイルデバイスから第２のアグリゲーション情報を受信するための手段、ならびに第１のアグリゲーション情報および第２のアグリゲーション情報に基づいてフェムトセルのアグリゲーション層を構成するための手段。第１のアグリゲーション情報は、アグリゲーションポリシー情報を備える。モバイルデバイスとのＷｉＦｉ接続性をテストするための手段。
【０００９】
[0009]本開示による、フェムトセルにおいてワイヤレス通信トラフィックをアグリゲートするためのコンピュータ可読命令を記憶した有形のコンピュータ可読媒体は、フェムトセルにおいてワイヤレストランシーバからモバイルデバイス向けのデータパケットのストリームをコンピュータに受信させ、フェムトセルからモバイルデバイスにデータパケットストリームのデータパケットを送るための送信モードを選択させ、コンピュータに、送信モードを選択させるように構成された命令は、コンピュータにフェムトセルのロングタームエボリューション（ＬＴＥ）インターフェースを介してストリームからのデータパケットを送信することを備える第１の送信モードを使って、データパケットストリームからのデータパケットをモバイルデバイスに送信するか、ワイヤレストランシーバのＷｉＦｉインターフェースを介してストリームからのデータパケットを送信することを備える第２の送信モードを使って、データパケットをモバイルデバイスへの送信のためにワイヤレストランシーバに送るか、あるいはＬＴＥインターフェースを介してモバイルデバイスにデータパケットの第１の部分を送信すること、およびデータパケットの第２の部分をＷｉＦｉインターフェースを介してモバイルデバイスへの送信のためにワイヤレストランシーバに送ることを備える第３の送信モードを使って、データストリームからのデータパケットを送信するかを決定させるための命令を備える、選択された送信モードに従ってデータパケットを送らせるように構成された命令を含む。
【００１０】
[0010]そのような有形のコンピュータ可読媒体の実装形態は、以下の特徴のうちの１つまたは複数を含み得る。ワイヤレストランシーバは、ワイヤレスルータのワイヤレストランシーバである。コンピュータに送信モードを選択させるように構成された命令は、フェムトセルとモバイルデバイスとの間のＬＴＥリンクのリンク状態に少なくとも部分的に基づいて、コンピュータに送信モードを選択させるように構成された命令を含む。コンピュータに送信モードを選択させるように構成された命令は、フェムトセルとモバイルデバイスとの間のＷｉＦｉリンクのリンク状態に少なくとも部分的に基づいて、コンピュータに送信モードを選択させるように構成された命令を含む。コンピュータに送信モードを選択させるように構成された命令は、フェムトセルとモバイルデバイスとの間のＬＴＥリンクのローディングに少なくとも部分的に基づいて、コンピュータに送信モードを選択させるように構成された命令を含む。コンピュータに送信モードを選択させるように構成された命令は、フェムトセルとモバイルデバイスとの間のＷｉＦｉリンクのローディングに少なくとも部分的に基づいて、コンピュータに送信モードを選択させるように構成された命令を含む。コンピュータに送信モードを選択させるように構成された命令は、少なくとも、フェムトセルのバックホールのローディングに少なくとも部分的に基づいて、コンピュータに送信モードを選択させるように構成された命令を含む。コンピュータに、選択された送信モードに従ってデータパケットを送らせるように構成された命令は、コンピュータに、フェムトセルからモバイルデバイスに送信されるパケットをカプセル化させるように構成された命令を含む。コンピュータに、ワイヤレスルータがブリッジング機能性を提供するかどうか決定させるように構成された命令、およびここにおいて、コンピュータにパケットをカプセル化させるように構成された命令は、コンピュータに、フェムトセルからモバイルデバイスに送信されるパケットをカプセル化させるように構成された命令を備える、ワイヤレスルータがブリッジング機能性を提供しない場合に実施される。コンピュータに、第３の送信モードが選択されたことに応答して、アグリゲートデータセッションの開始を示す信号をモバイルデバイスに送らせるように構成された命令。コンピュータに、第３の送信モードに従ってデータパケットを送った後、アグリゲートデータセッションの終了を示す信号をモバイルデバイスに送らせるように構成された命令。コンピュータに送信モードを選択させるように構成された命令は、コンピュータにＬＴＥユーザプレーンデータ用に第２の送信モードを選択させ、ＬＴＥ制御プレーンデータ用に第１の送信モードを選択させるように構成された命令を含む。コンピュータにモバイルデバイスにアグリゲーション発見メッセージを送らせ、モバイルデバイスからアグリゲーション発見応答を受信させ、モバイルデバイスに第１のアグリゲーション情報を送信させ、モバイルデバイスから第２のアグリゲーション情報を受信させ、第１のアグリゲーション情報および第２のアグリゲーション情報に基づいてフェムトセルのアグリゲーション層を構成させるように構成された命令。第１のアグリゲーション情報は、アグリゲーションポリシー情報を備える。コンピュータに、モバイルデバイスとのＷｉＦｉ接続性をテストさせるように構成された命令。
【００１１】
[0011]本開示による、フェムトセルにおいてワイヤレス通信トラフィックをアグリゲートするための装置は、有形な非一時的コンピュータ可読メモリと、メモリに記憶されたプロセッサ実行可能コードを備える複数のモジュールと、メモリに接続され、メモリに記憶された複数のモジュールにアクセスするように構成されたプロセッサと、データアグリゲーションモジュールとを含む。データアグリゲーションモジュールは、フェムトセルにおいて、ワイヤレストランシーバからモバイルデバイス向けのデータパケットのストリームを受信し、フェムトセルからモバイルデバイスにデータパケットストリームのデータパケットを送るための送信モードを選択し、データアグリゲーションモジュールは、フェムトセルのロングタームエボリューション（ＬＴＥ）インターフェースを介してストリームからのデータパケットを送信することを備える第１の送信モードを使って、データパケットストリームからのデータパケットをモバイルデバイスに送信するか、ワイヤレストランシーバのＷｉＦｉインターフェースを介してストリームからのデータパケットを送信することを備える第２の送信モードを使って、データパケットをモバイルデバイスへの送信のためにワイヤレストランシーバに送るか、あるいはＬＴＥインターフェースを介してモバイルデバイスにデータパケットの第１の部分を送信すること、およびデータパケットの第２の部分をＷｉＦｉインターフェースを介してモバイルデバイスへの送信のためにワイヤレストランシーバに送ることを備える第３の送信モードを使って、データストリームからのデータパケットを送信するかを、決定するようにさらに構成される、選択された送信モードに従ってデータパケットを送るように構成される。
【００１２】
[0012]そのような装置の実装形態は、以下の特徴のうちの１つまたは複数を含み得る。ワイヤレストランシーバは、ワイヤレスルータのワイヤレストランシーバである。データアグリゲーションモジュールは、フェムトセルとモバイルデバイスとの間のＬＴＥリンクのリンク状態に少なくとも部分的に基づいて送信モードを選択するようにさらに構成される。送信モードを選択するように構成されているデータアグリゲーションモジュールは、フェムトセルとモバイルデバイスとの間のＷｉＦｉリンクのリンク状態に少なくとも部分的に基づいて、コンピュータに送信モードを選択させるようにさらに構成される。送信モードを選択するように構成されているデータアグリゲーションモジュールは、フェムトセルとモバイルデバイスとの間のＬＴＥリンクのローディングに少なくとも部分的に基づいて送信モードを選択するようにさらに構成される。送信モードを選択するように構成されているデータアグリゲーションモジュールは、フェムトセルとモバイルデバイスとの間のＷｉＦｉリンクのローディングに少なくとも部分的に基づいて送信モードを選択するようにさらに構成される。送信モードを選択するように構成されているデータアグリゲーションモジュールは、少なくとも、フェムトセルのバックホールのローディングに少なくとも部分的に基づいて送信モードを選択するようにさらに構成される。選択された送信モードに従ってデータパケットを送るように構成されているデータアグリゲーションモジュールは、フェムトセルからモバイルデバイスに送信されるパケットをカプセル化するようにさらに構成される。データアグリゲーションモジュールは、ワイヤレスルータがブリッジング機能性を提供するかどうか決定するように構成され、ここにおいて、データアグリゲーションモジュールは、ワイヤレスルータがブリッジング機能性を提供しない場合、フェムトセルからモバイルデバイスに送信されるパケットをカプセル化するように構成される。データアグリゲーションモジュールは、第３の送信モードが選択されたことに応答して、アグリゲートデータセッションの開始を示す信号をモバイルデバイスに送るようにさらに構成される。データアグリゲーションモジュールは、第３の送信モードに従ってデータパケットを送った後、アグリゲートデータセッションの終了を示す信号をモバイルデバイスに送るようにさらに構成される。データアグリゲーションモジュールは、ＬＴＥユーザプレーンデータ用に第２の送信モードを選択し、ＬＴＥ制御プレーンデータ用に第１の送信モードを選択するように構成される。データアグリゲーションモジュールは、モバイルデバイスにアグリゲーション発見メッセージを送り、モバイルデバイスからアグリゲーション発見応答を受信し、モバイルデバイスに第１のアグリゲーション情報を送信し、モバイルデバイスから第２のアグリゲーション情報を受信し、第１のアグリゲーション情報および第２のアグリゲーション情報に基づいてフェムトセルのアグリゲーション層を構成するように構成される。第１のアグリゲーション情報は、アグリゲーションポリシー情報を備える。データアグリゲーションモジュールは、モバイルデバイスとのＷｉＦｉ接続性をテストするようにさらに構成される。
【００１３】
[0013]本開示による、モバイルデバイスにおいてワイヤレス通信トラフィックをアグリゲートするための方法は、第１のワイヤレス通信プロトコルを使って、データストリームからのデータパケットの第１の部分をフェムトセルから受信することと、第２のワイヤレス通信プロトコルを使って、データストリームからのデータパケットの第２の部分をワイヤレストランシーバから受信することと、ワイヤレストランシーバはフェムトセルとは離れている、モバイルデバイスにおいてデータストリームを再アセンブルするために、データパケットの第１の部分とデータパケットの第２の部分とをアグリゲートすることとを含む。
【００１４】
[0014]そのような方法の実装形態は、以下の特徴のうちの１つまたは複数を含み得る。データパケットの第１の部分とデータパケットの第２の部分とを受信するのに先立って、アグリゲートデータセッションの開始を示す信号をフェムトセルから受信すること。データパケットの第１の部分とデータパケットの第２の部分とを受信した後、アグリゲートデータセッションの終了を示す信号をフェムトセルから受信すること。ワイヤレストランシーバは、ワイヤレスルータのワイヤレストランシーバである。
【００１５】
[0015]本開示による、モバイルデバイスにおいてワイヤレス通信トラフィックをアグリゲートするための例示的装置は、第１のワイヤレス通信プロトコルを使って、データストリームからのデータパケットの第１の部分をフェムトセルから受信するための手段と、第２のワイヤレス通信プロトコルを使って、データストリームからのデータパケットの第２の部分をワイヤレストランシーバから受信するための手段と、ワイヤレストランシーバはフェムトセルとは離れている、モバイルデバイスにおいてデータストリームを再アセンブルするために、データパケットの第１の部分とデータパケットの第２の部分とをアグリゲートするための手段とを含む。
【００１６】
[0016]そのような装置の実装形態は、以下の特徴のうちの１つまたは複数を含み得る。データパケットの第１の部分とデータパケットの第２の部分とを受信するのに先立って、アグリゲートデータセッションの開始を示す信号をフェムトセルから受信するための手段。データパケットの第１の部分とデータパケットの第２の部分とを受信した後、アグリゲートデータセッションの終了を示す信号をフェムトセルから受信するための手段。ワイヤレストランシーバは、ワイヤレスルータのワイヤレストランシーバである。
【００１７】
[0017]本開示による、モバイルデバイスにおいてワイヤレス通信トラフィックをアグリゲートするためのコンピュータ可読命令を記憶した例示的な有形のコンピュータ可読媒体は、第１のワイヤレス通信プロトコルを使って、コンピュータにデータストリームからのデータパケットの第１の部分をフェムトセルから受信させ、第２のワイヤレス通信プロトコルを使って、データストリームからのデータパケットの第２の部分をワイヤレストランシーバから受信させ、ワイヤレストランシーバはフェムトセルとは離れている、モバイルデバイスにおいてデータストリームを再アセンブルするために、データパケットの第１の部分とデータパケットの第２の部分とをアグリゲートさせるように構成された命令を含む。
【００１８】
[0018]そのような有形のコンピュータ可読媒体の実装形態は、以下の特徴のうちの１つまたは複数を含み得る。データパケットの第１の部分とデータパケットの第２の部分とを受信するのに先立って、コンピュータにアグリゲートデータセッションの開始を示す信号をフェムトセルから受信させるように構成された命令。データパケットの第１の部分とデータパケットの第２の部分とを受信した後、コンピュータにアグリゲートデータセッションの終了を示す信号をフェムトセルから受信させるように構成された命令。ワイヤレストランシーバは、ワイヤレスルータのワイヤレストランシーバである。
【００１９】
[0019]本開示による、モバイルデバイスにおいてワイヤレス通信トラフィックをアグリゲートするための例示的装置は、有形な非一時的コンピュータ可読メモリと、メモリに記憶されたプロセッサ実行可能コードを備える複数のモジュールと、メモリに接続され、メモリに記憶された複数のモジュールにアクセスするように構成されたプロセッサと、第１のワイヤレス通信プロトコルを使って、データストリームからのデータパケットの第１の部分をフェムトセルから受信し、第２のワイヤレス通信プロトコルを使って、データストリームからのデータパケットの第２の部分をワイヤレストランシーバから受信し、ワイヤレストランシーバはフェムトセルとは離れている、モバイルデバイスにおいてデータストリームを再アセンブルするために、データパケットの第１の部分とデータパケットの第２の部分とをアグリゲートするように構成されたデータアグリゲーションモジュールとを含む。
【００２０】
[0020]そのような装置の実装形態は、以下の特徴のうちの１つまたは複数を含み得る。データアグリゲーションモジュールは、データパケットの第１の部分とデータパケットの第２の部分とを受信するのに先立って、コンピュータにアグリゲートデータセッションの開始を示す信号をフェムトセルから受信させるようにさらに構成される。データアグリゲーションモジュールは、データパケットの第１の部分とデータパケットの第２の部分とを受信した後、アグリゲートデータセッションの終了を示す信号をフェムトセルから受信するようにさらに構成される。ワイヤレストランシーバは、ワイヤレスルータのワイヤレストランシーバである。
【００２１】
[0021]モバイルデバイスにおいてワイヤレス通信トラフィックをアグリゲートするための例示的方法は、モバイルデバイスのアグリゲーションモジュールにおいて、リモートネットワークエンティティに送信されるべきデータパケットのストリームを受信することと、モバイルデバイスからモバイルデバイスに関連付けられたフェムトセルにデータパケットストリームのデータパケットを送るための送信モードを選択することと、選択することは、モバイルデバイスのロングタームエボリューション（ＬＴＥ）インターフェースを介してストリームからのデータパケットを送信することを備える第１の送信モードを使って、データパケットストリームからのデータパケットをフェムトセルに送信するか、モバイルデバイスのＷｉＦｉインターフェースを介してストリームからのデータパケットを送信することを備える第２の送信モードを使って、データパケットを、フェムトセルにルーティングするためにフェムトセルの外部のワイヤレストランシーバに送信するか、あるいはＬＴＥインターフェースを介してデータパケットの第１の部分をフェムトセルに送信すること、およびデータパケットの第２の部分を、フェムトセルにルーティングするためにＷｉＦｉインターフェースを介してワイヤレストランシーバに送信することを備える第３の送信モードを使って、データストリームからのデータパケットを送信するかを、決定することを備える、選択された送信モードに従ってデータパケットを送ることとを含む。
【００２２】
[0022]そのような方法の実装形態は、以下の特徴のうちの１つまたは複数を含み得る。送信モードを選択することは、フェムトセルとモバイルデバイスとの間のＬＴＥリンクのリンク状態に少なくとも部分的に基づいて送信モードを選択することを含む。送信モードを選択することは、フェムトセルとモバイルデバイスとの間のＷｉＦｉリンクのリンク状態に少なくとも部分的に基づいて送信モードを選択することを含む。送信モードを選択することは、フェムトセルとモバイルデバイスとの間のＬＴＥリンクのローディングに少なくとも部分的に基づいて送信モードを選択することを含む。送信モードを選択することは、フェムトセルとモバイルデバイスとの間のＷｉＦｉリンクのローディングに少なくとも部分的に基づいて送信モードを選択することを含む。選択された送信モードに従ってデータパケットを送ることは、モバイルデバイスからフェムトセルに送信されるパケットをカプセル化することを含む。第３の送信モードが選択されたことに応答して、アグリゲートデータセッションの開始を示す信号をフェムトセルに送ること。第３の送信モードに従ってデータパケットを送った後、アグリゲートデータセッションの終了を示す信号をフェムトセルに送ること。ワイヤレストランシーバは、ワイヤレスルータのワイヤレストランシーバである。送信モードを選択することは、ＬＴＥユーザプレーンデータ用に第２の送信モードを選択することと、ＬＴＥ制御プレーンデータ用に第１の送信モードを選択することとを含む。フェムトセルにアグリゲーション発見メッセージを送ること、フェムトセルからアグリゲーション発見応答を受信すること、フェムトセルに第１のアグリゲーション情報を送信すること、フェムトセルから第２のアグリゲーション情報を受信すること、ならびに第１のアグリゲーション情報および第２のアグリゲーション情報に基づいてモバイルデバイスのアグリゲーション層を構成すること。第１のアグリゲーション情報は、アグリゲーションポリシー情報を備える。フェムトセルとのＷｉＦｉ接続性をテストすること。
【００２３】
[0023]モバイルデバイスにおいてワイヤレス通信トラフィックをアグリゲートするための例示的装置は、モバイルデバイスのアグリゲーションモジュールにおいて、リモートネットワークエンティティに送信されるべきデータパケットのストリームを受信するための手段と、モバイルデバイスから、モバイルデバイスに関連付けられたフェムトセルにデータパケットストリームのデータパケットを送るための送信モードを選択するための手段と、選択することは、モバイルデバイスのロングタームエボリューション（ＬＴＥ）インターフェースを介してストリームからのデータパケットを送信することを備える第１の送信モードを使って、データパケットストリームからのデータパケットをフェムトセルに送信するか、モバイルデバイスのＷｉＦｉインターフェースを介してストリームからのデータパケットを送信することを備える第２の送信モードを使って、データパケットを、フェムトセルにルーティングするためにフェムトセルの外部のワイヤレストランシーバに送信するか、あるいはＬＴＥインターフェースを介してデータパケットの第１の部分をフェムトセルに送信すること、およびデータパケットの第２の部分を、フェムトセルにルーティングするためにＷｉＦｉインターフェースを介してワイヤレストランシーバに送信することを備える第３の送信モードを使って、データストリームからのデータパケットを送信するかを、決定することを備える、選択された送信モードに従ってデータパケットを送るための手段とを含む。
【００２４】
[0024]そのような装置の実装形態は、以下の特徴のうちの１つまたは複数を含み得る。送信モードを選択するための手段は、フェムトセルとモバイルデバイスとの間のＬＴＥリンクのリンク状態に少なくとも部分的に基づいて送信モードを選択するための手段を含む。送信モードを選択するための手段は、フェムトセルとモバイルデバイスとの間のＷｉＦｉリンクのリンク状態に少なくとも部分的に基づいて送信モードを選択するための手段を含む。送信モードを選択するための手段は、フェムトセルとモバイルデバイスとの間のＬＴＥリンクのローディングに少なくとも部分的に基づいて送信モードを選択するための手段を含む。送信モードを選択するための手段は、フェムトセルとモバイルデバイスとの間のＷｉＦｉリンクのローディングに少なくとも部分的に基づいて送信モードを選択するための手段を含む。選択された送信モードに従ってデータパケットを送るための手段は、モバイルデバイスからフェムトセルに送信されるパケットをカプセル化するための手段を含む。第３の送信モードが選択されたことに応答して、アグリゲートデータセッションの開始を示す信号をフェムトセルに送るための手段。第３の送信モードに従ってデータパケットを送った後、アグリゲートデータセッションの終了を示す信号をフェムトセルに送るための手段。ワイヤレストランシーバは、ワイヤレスルータのワイヤレストランシーバである。送信モードを選択するための手段は、ＬＴＥユーザプレーンデータ用に第２の送信モードを選択するための手段と、ＬＴＥ制御プレーンデータ用に第１の送信モードを選択するための手段とを含む。フェムトセルにアグリゲーション発見メッセージを送るための手段、フェムトセルからアグリゲーション発見応答を受信するための手段、フェムトセルに第１のアグリゲーション情報を送信するための手段、フェムトセルから第２のアグリゲーション情報を受信するための手段、ならびに第１のアグリゲーション情報および第２のアグリゲーション情報に基づいてモバイルデバイスのアグリゲーション層を構成するための手段。第１のアグリゲーション情報は、アグリゲーションポリシー情報を備える。フェムトセルとのＷｉＦｉ接続性をテストするための手段。
【００２５】
[0025]本開示による、モバイルデバイスにおいてワイヤレス通信トラフィックをアグリゲートするためのコンピュータ可読命令を記憶した例示的コンピュータ可読媒体は、リモートネットワークエンティティに送信されるべきデータパケットのストリームをコンピュータにモバイルデバイスのアグリゲーションモジュールにおいて受信させ、モバイルデバイスから、モバイルデバイスに関連付けられたフェムトセルにデータパケットストリームのデータパケットを送るための送信モードを選択させ、選択することは、モバイルデバイスのロングタームエボリューション（ＬＴＥ）インターフェースを介してストリームからのデータパケットを送信することを備える第１の送信モードを使って、データパケットストリームからのデータパケットをフェムトセルに送信するか、モバイルデバイスのＷｉＦｉインターフェースを介してストリームからのデータパケットを送信することを備える第２の送信モードを使って、データパケットを、フェムトセルにルーティングするためにフェムトセルの外部のワイヤレストランシーバに送信するか、あるいはＬＴＥインターフェースを介してデータパケットの第１の部分をフェムトセルに送信すること、およびデータパケットの第２の部分を、フェムトセルにルーティングするためにＷｉＦｉインターフェースを介してワイヤレストランシーバに送信することを備える第３の送信モードを使って、データストリームからのデータパケットを送信するかを、決定することを備える、選択された送信モードに従ってデータパケットを送らせるように構成された命令を含む。
【００２６】
[0026]そのような有形のコンピュータ可読媒体の実装形態は、以下の特徴のうちの１つまたは複数を含み得る。コンピュータに送信モードを選択させるように構成された命令は、フェムトセルとモバイルデバイスとの間のＬＴＥリンクのリンク状態に少なくとも部分的に基づいて、コンピュータに送信モードを選択させるように構成された命令を含む。コンピュータに送信モードを選択させるように構成された命令は、ワイヤレストランシーバとモバイルデバイスとの間のＷｉＦｉリンクのリンク状態に少なくとも部分的に基づいて、コンピュータに送信モードを選択させるように構成された命令を含む。コンピュータに送信モードを選択させるように構成された命令は、フェムトセルとモバイルデバイスとの間のＬＴＥリンクのローディングに少なくとも部分的に基づいて、コンピュータに送信モードを選択させるように構成された命令を含む。コンピュータに送信モードを選択させるように構成された命令は、ワイヤレストランシーバとモバイルデバイスとの間のＷｉＦｉリンクのローディングに少なくとも部分的に基づいて、コンピュータに送信モードを選択させるように構成された命令を含む。コンピュータに、選択された送信モードに従ってデータパケットを送らせるように構成された命令は、コンピュータに、モバイルデバイスからフェムトセルに送信されるパケットをカプセル化させるように構成された命令を含む。第３の送信モードが選択されたことに応答して、コンピュータにアグリゲートデータセッションの開始を示す信号をフェムトセルに送らせるように構成された命令。第３の送信モードに従ってデータパケットを送った後、コンピュータにアグリゲートデータセッションの終了を示す信号をフェムトセルに送らせるように構成された命令。ワイヤレストランシーバは、ワイヤレスルータのワイヤレストランシーバである。コンピュータに送信モードを選択させるように構成された命令は、コンピュータにＬＴＥユーザプレーンデータ用に第２の送信モードを選択させ、ＬＴＥ制御プレーンデータ用に第１の送信モードを選択させるように構成された命令をさらに備える。コンピュータに、フェムトセルにアグリゲーション発見メッセージを送らせ、フェムトセルからアグリゲーション発見応答を受信させ、フェムトセルに第１のアグリゲーション情報を送信させ、フェムトセルから第２のアグリゲーション情報を受信させ、第１のアグリゲーション情報および第２のアグリゲーション情報に基づいてモバイルデバイスのアグリゲーション層を構成させるように構成された命令。第１のアグリゲーション情報は、アグリゲーションポリシー情報を備える。コンピュータに、モバイルデバイスとのＷｉＦｉ接続性をテストさせるように構成された命令。
【００２７】
[0027]本開示による、モバイルデバイスにおいてワイヤレス通信トラフィックをアグリゲートするための例示的装置は、有形な非一時的コンピュータ可読メモリと、メモリに記憶されたプロセッサ実行可能コードを備える複数のモジュールと、メモリに接続され、メモリに記憶された複数のモジュールにアクセスするように構成されたプロセッサと、データアグリゲーションモジュールとを含む。データアグリゲーションモジュールは、モバイルデバイスのアグリゲーションモジュールにおいて、リモートネットワークエンティティに送信されるべきデータパケットのストリームを受信し、モバイルデバイスから、モバイルデバイスに関連付けられたフェムトセルにデータパケットストリームのデータパケットを送るための送信モードを選択し、選択することは、モバイルデバイスのロングタームエボリューション（ＬＴＥ）インターフェースを介してストリームからのデータパケットを送信することを備える第１の送信モードを使って、データパケットストリームからのデータパケットをフェムトセルに送信するか、モバイルデバイスのＷｉＦｉインターフェースを介してストリームからのデータパケットを送信することを備える第２の送信モードを使って、データパケットを、フェムトセルにルーティングするためにフェムトセルの外部のワイヤレストランシーバに送信するか、あるいはＬＴＥインターフェースを介してデータパケットの第１の部分をフェムトセルに送信すること、およびデータパケットの第２の部分を、フェムトセルにルーティングするためにＷｉＦｉインターフェースを介してワイヤレストランシーバに送信することを備える第３の送信モードを使って、データストリームからのデータパケットを送信するかを、決定することを備える、選択された送信モードに従ってデータパケットを送るように構成される。
【００２８】
[0028]そのような装置の実装形態は、以下の特徴のうちの１つまたは複数を含み得る。送信モードを選択するように構成されているデータアグリゲーションモジュールは、フェムトセルとモバイルデバイスとの間のＬＴＥリンクのリンク状態に少なくとも部分的に基づいて送信モードを選択するようにさらに構成される。送信モードを選択するように構成されているデータアグリゲーションモジュールは、ワイヤレストランシーバとモバイルデバイスとの間のＷｉＦｉリンクのリンク状態に少なくとも部分的に基づいて送信モードを選択するようにさらに構成される。送信モードを選択するように構成されているデータアグリゲーションモジュールは、フェムトセルとモバイルデバイスとの間のＬＴＥリンクのローディングに少なくとも部分的に基づいて送信モードを選択するようにさらに構成される。送信モードを選択するように構成されているデータアグリゲーションモジュールは、ワイヤレストランシーバとモバイルデバイスとの間のＷｉＦｉリンクのローディングに少なくとも部分的に基づいて送信モードを選択するようにさらに構成される。選択された送信モードに従ってデータパケットを送るように構成されているデータアグリゲーションモジュールは、モバイルデバイスからフェムトセルに送信されるパケットをカプセル化するようにさらに構成される。データアグリゲーションモジュールは、第３の送信モードが選択されたことに応答して、アグリゲートデータセッションの開始を示す信号をフェムトセルに送るようにさらに構成される。データアグリゲーションモジュールは、第３の送信モードに従ってデータパケットを送った後、アグリゲートデータセッションの終了を示す信号をフェムトセルに送るようにさらに構成される。ワイヤレストランシーバは、ワイヤレスルータのワイヤレストランシーバである。データアグリゲーションモジュールは、ＬＴＥユーザプレーンデータ用に第２の送信モードを選択し、ＬＴＥ制御プレーンデータ用に第１の送信モードを選択するようにさらに構成される。データアグリゲーションモジュールは、フェムトセルにアグリゲーション発見メッセージを送り、フェムトセルからアグリゲーション発見応答を受信し、フェムトセルに第１のアグリゲーション情報を送信し、フェムトセルから第２のアグリゲーション情報を受信し、第１のアグリゲーション情報および第２のアグリゲーション情報に基づいてモバイルデバイスのアグリゲーション層を構成するようにさらに構成される。第１のアグリゲーション情報は、アグリゲーションポリシー情報を備える。データアグリゲーションモジュールは、フェムトセルとのＷｉＦｉ接続性をテストするようにさらに構成される。
【００２９】
[0029]本開示による、フェムトセルにおいてワイヤレス通信トラフィックをアグリゲートするための例示的方法は、フェムトセルにおいて、データストリームからのデータパケットの第１の部分を、フェムトセルの外部のワイヤレストランシーバを介してモバイルデバイスから受信することと、フェムトセルにおいて、データストリームからのデータパケットの第２の部分を、モバイルデバイスとのワイヤレス接続を介してモバイルデバイスから受信することと、アグリゲートされたデータストリームを作成するために、フェムトセルにおいてデータストリームを再アセンブルするように、データパケットの第１の部分とデータパケットの第２の部分とをアグリゲートすることと、アグリゲートされたデータストリームを、データパケットの第１のセットおよびデータパケットの第２のセットの予定受信側である宛先ネットワークエンティティに送ることとを含む。
【００３０】
[0030]そのような方法の実装形態は、以下の特徴のうちの１つまたは複数を含み得る。データパケットの第１の部分とデータパケットの第２の部分とを受信するのに先立って、アグリゲートデータセッションの開始を示す信号をモバイルデバイスから受信すること。データパケットの第１の部分とデータパケットの第２の部分とを受信した後、アグリゲートデータセッションの終了を示す信号をモバイルデバイスから受信すること。ワイヤレストランシーバは、フェムトセルに接続されたワイヤレスルータのワイヤレストランシーバである。
【００３１】
[0031]本開示による、フェムトセルにおいてワイヤレス通信トラフィックをアグリゲートするための例示的装置は、フェムトセルにおいて、データストリームからのデータパケットの第１の部分を、フェムトセルの外部のワイヤレストランシーバを介してモバイルデバイスから受信するための手段と、フェムトセルにおいて、データストリームからのデータパケットの第２の部分を、モバイルデバイスとのワイヤレス接続を介してモバイルから受信するための手段と、アグリゲートされたデータストリームを作成するように、フェムトセルにおいて、モバイルデバイスにおいてデータストリームを再アセンブルするために、データパケットの第１の部分とデータパケットの第２の部分とをアグリゲートするための手段と、アグリゲートされたデータストリームを、データパケットの第１のセットおよびデータパケットの第２のセットの予定受信側である宛先ネットワークエンティティに送るための手段とを含む。
【００３２】
[0032]そのような装置の実装形態は、以下の特徴のうちの１つまたは複数を含み得る。データパケットの第１の部分とデータパケットの第２の部分とを受信するのに先立って、アグリゲートデータセッションの開始を示す信号をモバイルデバイスから受信するための手段。データパケットの第１の部分とデータパケットの第２の部分とを受信した後、アグリゲートデータセッションの終了を示す信号をモバイルデバイスから受信するための手段。ワイヤレストランシーバは、フェムトセルに接続されたワイヤレスルータのワイヤレストランシーバである。
【００３３】
[0033]本開示による、フェムトセルにおいてワイヤレス通信トラフィックをアグリゲートするためのコンピュータ可読命令を記憶した例示的な有形のコンピュータ可読媒体は、フェムトセルにおいて、データストリームからのデータパケットの第１の部分を、コンピュータにフェムトセルの外部のワイヤレストランシーバを介してモバイルデバイスから受信させ、フェムトセルにおいて、データストリームからのデータパケットの第２の部分を、モバイルデバイスとのワイヤレス接続を介してモバイルから受信させ、アグリゲートされたデータストリームを作成するために、フェムトセルにおいて、モバイルデバイスにおいてデータストリームを再アセンブルするために、データパケットの第１の部分とデータパケットの第２の部分とをアグリゲートさせ、アグリゲートされたデータストリームを、データパケットの第１のセットおよびデータパケットの第２のセットの予定受信側である宛先ネットワークエンティティに送らせるように構成された命令を含む。
【００３４】
[0034]そのような有形のコンピュータ可読媒体の実装形態は、以下の特徴のうちの１つまたは複数を含み得る。データパケットの第１の部分とデータパケットの第２の部分とを受信するのに先立って、コンピュータにアグリゲートデータセッションの開始を示す信号をモバイルデバイスから受信させるように構成された命令。データパケットの第１の部分とデータパケットの第２の部分とを受信した後、コンピュータにアグリゲートデータセッションの終了を示す信号をモバイルデバイスから受信させるように構成された命令。ワイヤレストランシーバは、フェムトセルに接続されたワイヤレスルータのワイヤレストランシーバである。
【００３５】
[0035]本開示による、フェムトセルにおいてワイヤレス通信トラフィックをアグリゲートするための例示的装置は、有形な非一時的コンピュータ可読メモリと、メモリに記憶されたプロセッサ実行可能コードを備える複数のモジュールと、メモリに接続され、メモリに記憶された複数のモジュールにアクセスするように構成されたプロセッサと、データアグリゲーションモジュールとを含む。データアグリゲーションモジュールは、フェムトセルにおいて、データストリームからのデータパケットの第１の部分を、フェムトセルの外部のワイヤレストランシーバを介してモバイルデバイスから受信し、フェムトセルにおいて、データストリームからのデータパケットの第２の部分を、モバイルデバイスとのワイヤレス接続を介してモバイルから受信し、アグリゲートされたデータストリームを作成するために、フェムトセルにおいて、モバイルデバイスにおいてデータストリームを再アセンブルするために、データパケットの第１の部分とデータパケットの第２の部分とをアグリゲートし、アグリゲートされたデータストリームを、データパケットの第１のセットおよびデータパケットの第２のセットの予定受信側である宛先ネットワークエンティティに送るように構成される。
【００３６】
[0036]そのような装置の実装形態は、以下の特徴のうちの１つまたは複数を含み得る。データアグリゲーションモジュールは、データパケットの第１の部分とデータパケットの第２の部分とを受信するのに先立って、アグリゲートデータセッションの開始を示す信号をモバイルデバイスから受信するようにさらに構成される。データアグリゲーションモジュールは、データパケットの第１の部分とデータパケットの第２の部分とを受信した後、アグリゲートデータセッションの終了を示す信号をモバイルデバイスから受信するようにさらに構成される。ワイヤレストランシーバは、フェムトセルに接続されたワイヤレスルータのワイヤレストランシーバである。
【図面の簡単な説明】
【００３７】
【図１】[0037]本明細書で開示する技法が実装され得る例示的なネットワークアーキテクチャのブロック図。
【図２】[0038]本明細書で開示する技法によるダウンストリームアグリゲーションの例のブロック図。
【図３】[0039]本明細書で開示する技法によるアップストリームアグリゲーションの例のブロック図。
【図４Ａ】[0040]本明細書で開示する様々なアグリゲーション技法を実装するのに使われ得るプロトコルスタックの図。
【図４Ｂ】本明細書で開示する様々なアグリゲーション技法を実装するのに使われ得るプロトコルスタックの図。
【図４Ｃ】本明細書で開示する様々なアグリゲーション技法を実装するのに使われ得るプロトコルスタックの図。
【図５】[0041]前述の図に示されたモバイルデバイスを実装するために使用され得るモバイルデバイスのブロック図。
【図６】[0042]図５に示されたメモリの機能モジュールを示す、図５に示されたモバイルデバイスの機能ブロック図。
【図７】[0043]前述の図に示されたフェムトセルを実装するために使用され得るフェムトセルのブロック図。
【図８】[0044]モデム／ルータのＷｉＦｉインターフェースを介して、モバイルデバイスからフェムトセルを通してアップリンクデータを送るために使われ得るデータフレームフォーマットのブロック図。
【図９】[0045]カプセル化を使って、モデム／ルータのＷｉＦｉインターフェースを介して、モバイルデバイスからフェムトセルを通してアップリンクデータを送るために使われ得る例示的データフレームフォーマットのブロック図。
【図１０】[0046]フェムトセルにおいてダウンストリームワイヤレス通信トラフィックをアグリゲートするためのプロセスの流れ図。
【図１１】[0047]送信モードを選択するための例示的プロセスの流れ図。
【図１２】[0048]本明細書で開示する技法を実装するのに使われ得る、モバイルデバイス１２０にダウンリンクデータパケットを送るためのプロセスの流れ図。
【図１３】[0049]データパケットがＷｉＦｉおよびＬＴＥインターフェースを介して送信される、フェムトセルからのダウンリンク上で、モバイルデバイスにおいてデータパケットを受信するためのプロセスの流れ図。
【図１４】[0050]モバイルデバイスにおいてアップストリームトラフィックをアグリゲートするための例示的プロセスの流れ図。
【図１５】[0051]本明細書で開示する技法を実装するのに使われ得る、モバイルデバイス１２０において送信モードを選択するためのプロセスの流れ図。
【図１６】[0052]フェムトセルにアップリンクデータパケットを送るためのプロセスの流れ図。
【図１７】[0053]フェムトセルとモバイルデバイスとの間のＷｉＦｉおよびＬＴＥインターフェースを介してデータパケットが送信される、モバイルデバイスからのアップリンク上でフェムトセルにおいてデータパケットを受信するためのプロセスの流れ図。
【図１８】[0054]モデム／ルータにおいて受信されたパケットをモバイルデバイスからフェムトセルにルーティングするためのプロセスの流れ図。
【図１９】[0055]図７に示されたメモリの機能モジュールを示す、図７に示されたフェムトセルの機能ブロック図。
【図２０】[0056]本明細書で開示する技法を実装するのに使われ得る、アグリゲーション層の発見および構成のためのモバイルデバイス開始プロセスの例の流れ図。
【図２１】[0057]本明細書で開示する技法を実装するのに使われ得る、アグリゲーション層の発見および構成のためのモバイルデバイス開始プロセスの例の流れ図。
【図２２】[0058]本明細書で開示する技法を実装するのに使われ得る、アグリゲーション層の発見および構成のためのフェムトセル開始プロセスの例の流れ図。
【図２３】[0059]本明細書で開示する技法を実装するのに使われ得る、アグリゲーション層の発見および構成のためのフェムトセル開始プロセスの例の流れ図。
【発明を実施するための形態】
【００３８】
[0060]本明細書で開示する技法は、外部ＷｉＦｉルータをもつＬＴＥフェムトセルの帯域幅をアグリゲートするのに使われ得る。これらの技法は、従来のＬＴＥフェムトセルシステムの欠点を克服するのを助けることができる。本明細書に示す例において、ＷｉＦｉルータは、ＤＳＬモデムやケーブルモデムなど、ブロードバンドインターネット接続に接続されているモデムと統合される。ただし、他の実装形態では、モデムおよびＷｉＦｉルータは、ワイヤードまたはワイヤレスネットワーク接続と通信している別個のエンティティであってよい。本明細書に記載する技法は、アップリンクおよびダウンリンク送信の両方に適用することができ、ＬＴＥネットワークの発展型パケットコア（ＥＰＣ）の構成要素、たとえば移動性管理エンティティ（ＭＭＥ）、サービングゲートウェイ（ＳＧＷ）、ホーム加入者サーバ（ＨＳＳ）、パケットデータネットワークゲートウェイ（ＰＧＷ）、および／またはコアネットワークアーキテクチャの他の構成要素にとって透過的である。さらに、本明細書において論じる例示的実装形態はＬＴＥ実装形態を対象とするが、本明細書に記載する技法は、他のワイヤレスワイドエリアネットワーク（ＷＷＡＮ）システムとも使われ得る。
【００３９】
例示的なネットワーク環境
[0061]図１は、本明細書で説明する帯域幅アグリゲーション技法を実装するのに好適であり得る例示的ネットワークアーキテクチャ１００のブロック図である。ネットワークアーキテクチャ１００は、モバイルデバイス１２０と、モデム／ルータ１３０と、フェムトセル１１５と、ネットワーク１１０と、リモートサーバ１２５と、セキュアゲートウェイ１５０とを含む。モバイルデバイス１２０は、リモートサーバ１２５にデータを送り、および／またはサーバ１２５からデータを受信するように構成され得る。リモートサーバ１２５は、モバイルデバイス１２０に関連付けられたワイヤレスネットワーク通信プロバイダのネットワークの要素であってもよく、ウェブコンテンツ、アプリケーションコンテンツ、またはモバイルデバイス１２０によってアクセスされ、もしくはデバイス１２０にダウンロードされ得る他のコンテンツのプロバイダなど、サードパーティコンテンツプロバイダであってもよい。
【００４０】
[0062]モバイルデバイス１２０は、ユーザ機器（ＵＥ）、移動局、端末、アクセス端末、加入者ユニット、ステーションなどと呼ばれる場合もある。モバイルデバイス１２０は、スマートフォン、タブレットコンピュータ、ラップトップコンピュータ、またはＬＴＥおよびＷｉＦｉワイヤレス通信プロトコルの両方を使って通信するように構成されている他のデバイスであってよい。
【００４１】
[0063]モデム／ルータ１３０は、フェムトセル１１５用のバックホールとして働き得るブロードバンド接続を提供するネットワーク１１０へのブロードバンド接続を有する。ネットワーク１１０は、インターネットおよび／または１つもしくは複数のネットワークの組合せであってよい。たとえば、モデム／ルータ１３０は、その特定の実装形態において使われるブロードバンドサービスのタイプに応じて、ＤＳＬモデム／ルータであってもケーブルモデム／ルータであってもよい。
【００４２】
[0064]モデム／ルータ１３０は、ブロードバンド接続によるネットワーク１１０への、フェムトセル１１５用のワイヤードおよび／またはワイヤレスネットワーク接続性を提供するように構成され得る。モデム／ルータ１３０は、フェムトセル１１５がネットワーク１１０を介してサーバ１２５、セキュアゲートウェイ１５０、および／または他のネットワーク化エンティティと通信することを可能にするワイヤードインターフェースを含み得る。本明細書において論じる例示的実装形態において、ワイヤードインターフェースは、モデム／ルータ１３０とフェムトセル１１５との間のイーサネットインターフェースを備える。他の実装形態では、他のタイプのワイヤードおよび／またはワイヤレス接続が使われてよい。
【００４３】
[0065]モデム／ルータ１３０は、１つまたは複数のＷｉＦｉ通信プロトコルを使ってモバイルデバイス１２０および／または他のデバイスへのワイヤレスネットワーク接続性を提供することができるワイヤレスアクセスポイントとして働くように構成され得る。「アクセスポイント」という用語は本明細書において、通信デバイスを総称的に指すのに使われ、通信デバイスの一例は、一般にＷｉＦｉと呼ばれるＩＥＥＥ８０２．１１規格ファミリーを含むＩＥＥＥ８０２シリーズ準拠ネットワークなどのワイヤレスローカルエリアネットワークにおけるアクセスポイントである。モデム／ルータ１３０は、フェムトセル１１５がモバイルデバイス１２０と通信するのに使うことができる、フェムトセル１１５の外部にあるワイヤレストランシーバへのアクセスをフェムトセル１１５に提供する。
【００４４】
[0066]本明細書に示す例において、ＷｉＦｉルータはＤＳＬモデムやケーブルモデムなど、ブロードバンドインターネット接続に接続されているモデムと統合される。ただし、他の実装形態では、モデムおよびＷｉＦｉルータは、ワイヤードまたはワイヤレスネットワーク接続と通信している別個のエンティティであってよい。さらに、フェムトセル１１５とモバイルデバイス１２０との間のワイヤレス接続性を提供するのに使われ得る、フェムトセル１１５の外部にあるワイヤレストランシーバを提供する他のタイプのデバイスが使われてよい。
【００４５】
[0067]フェムトセル１１５は、モバイルデバイス１２０など、１つまたは複数のＬＴＥ対応ワイヤレスデバイスへのワイヤレスネットワーク接続性を提供するように構成され得る。フェムトセル１１５は、モバイル通信ネットワークプロバイダに関連付けられてよく、モデム／ルータ１３０を介してモバイル通信ネットワークプロバイダのネットワークと通信するように構成されてよい。フェムトセル１１５のカバレージエリアは、１つまたは複数のマクロセル基地局および／または他のフェムトセル（図示せず）のものと重複する場合があり、この重複は、チャネル品質を低下させ得る、厳しく一貫性のないインターフェースを生じ得る。その結果、フェムトセル１１５とモバイルデバイス１２０との間のアップリンクおよび／またはダウンリンク通信の品質が損害を被り得る。ただし、フェムトセル１１５は、モバイルデバイス１２０と通信するためにモデム／ルータ１３０のＷｉＦｉインターフェースを使用することによって、アップリンクおよび／またはダウンリンク通信の品質を向上させるように構成され得る。
【００４６】
[0068]フェムトセル１１５およびモバイルデバイス１２０は、アグリゲーション層を含むように構成され得る。フェムトセル１１５およびモバイルデバイス１２０のアグリゲーション層は、それぞれのデバイスに関連付けられたＩＰアドレスおよびポート番号、アグリゲーションポリシー情報（フェムトセル１１５によって制御される）、ならびにアグリゲーションセッションの開始および／または終了を示す信号を含む情報を、互いと交換するように構成され得る。いくつかの実装形態では、アグリゲーション層はインターネットプロトコル（ＩＰ）層の上に実装される。ポリシー情報は、フェムトセル１１５およびモバイルデバイス１２０のアグリゲーション層によって、本明細書で開示するアグリゲーション技法の様々な態様を制御するのに使われ得る。たとえば、ポリシー情報は、ＬＴＥユーザプレーントラフィックがフェムトセル１１５とモバイルデバイス１２０との間のＷｉＦｉ接続を介してルーティングされるべきである、およびＬＴＥ制御プレーントラフィックがフェムトセル１１５とモバイルデバイス１２０との間のＬＴＥ接続を介してルーティングされるべきであると指定し得る。ポリシー情報は、いつアグリゲーションが使われ得るかを制御するのにも使われ得る。たとえば、アグリゲーションは、バックホールスループットが所定の閾値を下回る場合、ＬＴＥ接続および／またはＷｉＦｉ接続のリンク状態が低下した場合、ならびに／あるいはＬＴＥ接続および／またはＷｉＦｉ接続のローディングが所定の閾値を超える場合、オフに切り替えられ得る。
【００４７】
[0069]セキュアゲートウェイ１５０は、フェムトセル１１５とセキュアゲートウェイ１５０との間のセキュア通信リンクを提供するように構成され得る。セキュアゲートウェイ１５０は、データが１つまたは複数の公衆ネットワーク１１０を横断中である可能性があっても、モバイルプロバイダのネットワークとフェムトセル１１５との間でデータが確実に交換されるようにするセキュアバックホールソリューションを提供する。フェムトセル１１５およびセキュアゲートウェイ１５０は、ネットワーク１１０を通して送信されるべきデータを暗号化するように構成され得る。セキュアゲートウェイ１５０は、フェムトセル１１５から受信されたデータを、サーバ１２５など、ネットワーク１１０上の他の場所の１つまたは複数の予定受信側にルーティングするように構成されてよく、１つまたは複数の公衆またはプライベートネットワーク接続を介して、モバイルデバイス１２０から別のモバイルデバイス１２０にデータをルーティングするように構成されてもよい。
【００４８】
[0070]図１に示された例示的なネットワーク構成は、本明細書で開示する技法が実装され得るネットワークの１つの可能な構成の例にすぎない。他のネットワーク構成は、図１に示されていない追加の要素を含み得、様々な構成要素は、図１に示されたものとは異なる構成で相互接続され得る。図１に示すハードウェアは、記載する例示的実装形態を実装するのに使われ得る。
【００４９】
例示的なハードウェア
[0071]図５は、前述の図に示されたモバイルデバイス１２０を実装するのに使用され得るモバイルデバイスのブロック図である。モバイルデバイス１２０は、バス６０１によって互いに接続された汎用プロセッサ５１０と、デジタル信号プロセッサ（ＤＳＰ）５２０と、ＬＴＥインターフェース２３０と、ＷｉＦｉインターフェース２３５と、非一時的メモリ５６０とを含むコンピュータシステムを備える。ＬＴＥインターフェース２３０は、ワイヤレス受信機、送信機、トランシーバ、ならびに／あるいはモバイルデバイス１２０がＬＴＥワイヤレス通信プロトコルを使ってデータを送り、および／または受信することを可能にする他の要素を含み得る。ＬＴＥインターフェース２３０は、ＬＴＥワイヤレス通信プロトコルを使って通信するように構成されたフェムトセル１１５および／または他のワイヤレスデバイスへ通信を送り、そこから受信するためのアンテナ５３４に、線５３２によって接続される。ＷｉＦｉインターフェース２３５は、ワイヤレス受信機、送信機、トランシーバ、ならびに／あるいはモバイルデバイス１２０がＷｉＦｉワイヤレス通信プロトコルを使ってデータを送り、および／または受信することを可能にする他の要素を含み得る。ＷｉＦｉインターフェース２３５は、ＷｉＦｉワイヤレス通信プロトコルを使って通信するように構成されたモデム／ルータ１３０および／または他のワイヤレスデバイスへ通信を送り、および／またはそこから受信するためのアンテナ５７４に、線５７２によって接続される。モバイルデバイス１２０は、図５に示すトランシーバに加え、またはその代わりに、他のワイヤレスプロトコルを使って通信を受信し、および／または送るように構成された１つまたは複数のトランシーバを含み得る。図５に示す例示的モバイルデバイス１２０はＬＴＥインターフェース２３０とＷｉＦｉインターフェース２３５とを含むが、モバイルデバイス１２０の他の実装形態は、他のタイプのワイヤレス通信をサポートする追加インターフェースを含み得る。さらに、本明細書に示す例はＬＴＥ実装形態に限定されず、モバイルデバイス１２０は、他のＷＷＡＮシステム上でデータを送り、および／または受信するように構成された１つまたは複数のワイヤレスインターフェースを含み得る。
【００５０】
[0072]プロセッサ５１０は、インテリジェントデバイス、たとえば、Ｉｎｔｅｌ（登録商標）ＣｏｒｐｏｒａｔｉｏｎまたはＡＭＤ（登録商標）によって製造されたものなどのパーソナルコンピュータ中央処理ユニット（ＣＰＵ）、マイクロコントローラ、特定用途向け集積回路（ＡＳＩＣ）などであり得る。メモリ５６０は、ランダムアクセスメモリ（ＲＡＭ）と読取り専用メモリ（ＲＯＭ）とを含む記憶デバイスである。メモリ５６０は（説明はソフトウェアが機能を実施すると読めることがあるが）、本明細書で説明する機能を実施するようにプロセッサ５１０を制御するための命令を含んでいるプロセッサ可読プロセッサ実行可能ソフトウェアコードを記憶する。ソフトウェアは、ネットワーク接続を介してダウンロードされること、ディスクからアップロードされることなどによって、メモリ５６０上にロードされ得る。さらに、ソフトウェアは直接実行可能でないことがあり、たとえば実行の前にコンパイルを必要とする。
【００５１】
[0073]メモリ５６０中のソフトウェアは、プロセッサ５１０が、本明細書で説明するアグリゲーション技法を実装することを含む様々なアクションを実施することを可能にするように構成される。
【００５２】
[0074]図６は、図５に示されたメモリの機能モジュールを示す、図５に示されたモバイルデバイス１２０の機能ブロック図である。たとえばモバイルデバイス１２０は、データアグリゲーションモジュール６６２を含み得る。モバイルデバイス１２０は、モバイルデバイス１２０に他の機能を与える１つまたは複数の追加の機能モジュールも含み得る。図５および図６に示されたモバイルデバイス１２０は、図２〜図４Ｃ、図１０〜図１８、および図２０〜図２２に示されたプロセスに関連するモバイルデバイスを実装するために使用され得る。
【００５３】
[0075]データアグリゲーションモジュール６６２は、本明細書で開示する様々な例において論じるアグリゲーション層機能を実施するように構成され得る。たとえば、データアグリゲーションモジュール６６２は、ダウンリンクデータアグリゲーションセッションの開始および／または終了を示す、フェムトセル１１５からの受信されたものから受信された信号を処理するように構成され得る。データアグリゲーションモジュール６６２は、アップリンクデータアグリゲーションセッションの開始および／または終了を示す信号をフェムトセル１１５に送るようにも構成され得る。データアグリゲーションモジュール６６２はまた、ＬＴＥインターフェース２３０およびＷｉＦｉトランシーバ５７０を介してフェムトセル１１５から複数のダウンリンクデータストリームを受信するように、ならびにそれらのデータストリームを、ＬＴＥおよびＷｉＦｉ接続を介してフェムトセル１１５によって送られたパケットを含んでいた元のデータを再作成するように、アグリゲートデータストリームにアグリゲートするように構成され得る。データアグリゲーションモジュール６６２は、データストリームを、ＷｉＦｉトランシーバ５７０とＬＴＥインターフェース２３０とを使って送信され得る複数のデータストリームに分割するようにも構成され得る。データアグリゲーションモジュール６６２は、フェムトセル１１５のデータアグリゲーション層と情報を交換するようにも構成され得る。たとえば、データアグリゲーションモジュール６６２は、モバイルデバイスのＬＴＥインターフェース２３０およびＷｉＦｉインターフェース２３５に関連付けられたＭＡＣアドレスおよびＩＰアドレスなどのデータを、フェムトセル１１５のアグリゲーション層と交換するように構成され得る。データアグリゲーションモジュール６６２は、フェムトセル１１５のアグリゲーション層からアグリゲーションポリシー情報を受信するようにも構成され得る。
【００５４】
[0076]アグリゲーションポリシー情報は、フェムトセル１１５のアグリゲーション層および／またはモバイルデバイス１２０のアグリゲーション層として働くデータアグリゲーションモジュール６６２が、ダウンリンク送信用にフェムトセル１１５から、およびアップリンク送信用にモバイルデバイス１２０からデータを送信するために使われるべき送信モードを選択するのに使うことができる情報を含み得る。
【００５５】
[0077]いくつかの実装形態では、アグリゲーションポリシーは、いくつかのタイプのデータストリームが特定の送信モードを使って送信されるべきであることを示し得る。たとえば、いくつかのタイプのデータストリームは、ＷｉＦｉおよびＬＴＥ接続の両方、送信側と受信側との間の一方または他方のタイプの接続を使って送信されるべき複数のデータストリームに分割され得る。例示的実装形態では、アグリゲーションポリシーは、ユーザデータグラムプロトコル（ＵＤＰ）データグラムがフェムトセル１１５またはモバイルデバイス１２０のＬＴＥインターフェースを使って送られるべきであることを示し得る。例示的実装形態では、アグリゲーションポリシーは、ダウンリンク送信用にデータストリームの第１の部分がＬＴＥインターフェースを使って送信されるとともにデータストリームの第２の部分がフェムトセル１１５のＷｉＦｉインターフェースを使って送信され、および／またはアップリンク送信用にデータストリームの第１の部分がＬＴＥインターフェースを使って送信されるとともにデータストリームの第２の部分がモバイルデバイス１２０のＷｉＦｉインターフェースを使って送信されるハイブリッドモードを使って、送信制御プロトコル（ＴＣＰ）データが送られるべきであることも示し得る。
【００５６】
[0078]いくつかの実装形態では、アグリゲーションポリシー情報は、特定のタイプのデータを含むデータストリームには、特定の送信モードが使われるべきであることを示し得る。たとえば、アグリゲーションポリシーは、音声データを運ぶデータストリームは分割されるべきでなく、ＷｉＦｉインターフェースまたはＬＴＥインターフェースを介して送信されるべきであることを示し得る。
【００５７】
[0079]いくつかの実装形態では、アグリゲーションポリシー情報は、異なるモバイルデバイス１２０についての異なるアグリゲーションポリシーパラメータを含み得る。たとえば、アグリゲーションポリシー情報は、第１のモバイルデバイス１２０が、本明細書で開示するアグリゲーション技法に関連付けられた送信モードのうちのいずれも使うわれ得るが、第２のモバイルデバイス１２０は、本明細書で開示するアグリゲーション技法のサブセットを使い得るのみであることを示し得る。アグリゲーションポリシー情報は、モバイルデバイスの各々に関連付けられるか、またはモバイルデバイス１２０に関連付けられた加入者プランに関連付けられたサービス品質（ＱｏＳ）情報に基づいて決定され得る。
【００５８】
[0080]いくつかの実装形態では、アグリゲーションポリシーは、アップリンクおよび／またはダウンリンクデータを送信するためにどの送信モードを選択するべきか決定するのに使われ得る１つまたは複数の閾値を含み得る。たとえば、アグリゲーションポリシー情報は、ハイブリッドＷｉＦｉ／ＬＴＥ技法がアップリンクまたはダウンリンクデータの送信に使われ得る前に、送信されるべきデータの閾量を定義することができる。異なる閾値が、アップリンクおよびダウンリンク送信に関連付けられ得る。さらに異なる閾値が、異なるモバイルデバイス１２０および／またはフェムトセル１１５に関連付けられ得る。
【００５９】
[0081]いくつかの実装形態では、アグリゲーションポリシー情報は、ＬＴＥユーザプレーントラフィックがフェムトセル１１５とモバイルデバイス１２０との間のＷｉＦｉ接続を介してルーティングされるべきであると指定することができる。アグリゲーションポリシー情報は、ＬＴＥ制御プレーントラフィックがフェムトセル１１５とモバイルデバイス１２０との間のＬＴＥ接続を介してルーティングされるべきであると指定することもできる。
【００６０】
[0082]いくつかの実装形態では、アグリゲーションポリシー情報は、フェムトセル１１５へのネットワーク接続性を提供するバックホールがデータスループットを制限している場合、フェムトセルのアグリゲーション層およびモバイルデバイス１２０のアグリゲーション層は、スループットが向上するまでアグリゲーション技法を使わないように構成されてよいと指定することもできる。フェムトセル１１５のアグリゲーション層２０５は、バックホールによって与えられるアップリンクおよび／またはダウンリンク速度を監視するように構成されてよく、バックホールによって与えられるダウンリンク速度が所定の閾値を下回った場合、ダウンリンクアグリゲーションをオフに切り替えるように構成されてよく、バックホールによって与えられるダウンリンク速度が回復した場合、ダウンリンクアグリゲーションを再度オンに切り替えてよい。フェムトセル１１５のアグリゲーション層２０５は、データアグリゲーション技法を使うのをいつ停止するべきか、またはモバイルデバイス１２０がデータアグリゲーション技法を使うのをいつ再開することができるかをモバイルデバイス１２０に通知するためのアグリゲーション構成メッセージを、モバイルデバイス１２０のアグリゲーション層２２５に送るように構成され得る。
【００６１】
[0083]モバイルデバイス１２０のデータアグリゲーションモジュール６６２は、モバイルデバイス１２０とフェムトセル１１５との間のＷｉＦｉおよびＬＴＥパスから受信されたアグリゲーションデータをバッファリングするようにも構成され得る。データアグリゲーションモジュール６６２は、モバイルデバイス１２０のメモリ５６０中にデジッタバッファを実装するように構成され得る。データアグリゲーションモジュール６６２は、バッファを、シームレスなアグリゲーションを提供するために、モバイルデバイス１２０とフェムトセル１１５との間のＬＴＥパスとＷｉＦｉパスとの間のスキューを管理するのに使うことができる。バッファリングは、ＬＴＥパスとＷｉＦｉパスとの間の遅延を補償することができる。データアグリゲーションモジュール６６２は、データストリームからの喪失および／または遅延パケットがモバイルデバイス１２０に届くようにするために、ＬＴＥインターフェース２３０および／またはＷｉＦｉインターフェース２３５へから受信されたデータをバッファリングするように構成され得る。
【００６２】
[0084]図７は、前述の図に示されたフェムトセル１１５を実装するために使用され得るフェムトセルのブロック図である。フェムトセル１１５は、バス７０１によって互いに接続された汎用プロセッサ７１０と、デジタル信号プロセッサ（ＤＳＰ）７２０と、ＬＴＥワイヤレストランシーバ７３０と、イーサネットインターフェース２１０と、非一時的メモリ７６０とを含むコンピュータシステムを備える。ＬＴＥインターフェース２１５は、ワイヤレス受信機、送信機、トランシーバ、ならびに／あるいはフェムトセル１１５がＬＴＥワイヤレス通信プロトコルを使ってデータを送り、および／または受信することを可能にする他の要素を含み得る。ＬＴＥインターフェース２１５は、ＬＴＥワイヤレス通信プロトコルを使って通信するように構成されたモバイルデバイス１２０および／または他のワイヤレスデバイスへ通信を送信し、そこから受信するためのアンテナ７３４に、線７３２によって接続される。イーサネットインターフェース５７０は、モデム／ルータ１３０へのワイヤードデータ接続性を提供する。ここに示す例は、フェムトセル１１５とモデム／ルータ１１５との間のイーサネットインターフェースを含むが、他のワイヤードおよび／またはワイヤレスデータ通信技法および／またはプロトコルも、フェムトセル１１５とモデム／ルータ１３０との間の通信を円滑にするのに使われ得る。フェムトセル１１５は、図７に示すトランシーバに加え、またはその代わりに、他のワイヤレスプロトコルを使って通信を受信し、および／または送るように構成された１つまたは複数のトランシーバを含み得る。図７に示す例示的フェムトセル１１５は、ＬＴＥインターフェース２１５とイーサネットインターフェース７５０とを含むが、フェムトセルの他の実装形態は、他のタイプのワイヤレス通信および／またはワイヤード通信をサポートする追加インターフェースを含み得る。さらに、本明細書に示す例はＬＴＥ実装形態に限定されず、フェムトセル１１５は、他のＷＷＡＮシステム上でデータを送り、および／または受信するされるように構成された１つまたは複数のワイヤレスインターフェースを含み得る。
【００６３】
[0085]プロセッサ７１０は、インテリジェントデバイス、たとえば、Ｉｎｔｅｌ（登録商標）ＣｏｒｐｏｒａｔｉｏｎまたはＡＭＤ（登録商標）によって製造されたものなどのパーソナルコンピュータ中央処理ユニット（ＣＰＵ）、マイクロコントローラ、特定用途向け集積回路（ＡＳＩＣ）などであり得る。メモリ７６０は、ランダムアクセスメモリ（ＲＡＭ）と読取り専用メモリ（ＲＯＭ）とを含む記憶デバイスである。メモリ７６０は（説明はソフトウェアが機能を実施すると読めることがあるが）、本明細書で説明する機能を実施するようにプロセッサ７１０を制御するための命令を含んでいるプロセッサ可読プロセッサ実行可能ソフトウェアコードを記憶する。ソフトウェアは、ネットワーク接続を介してダウンロードされること、ディスクからアップロードされることなどによって、メモリ７６０上にロードされ得る。さらに、ソフトウェアは直接実行可能でないことがあり、たとえば、実行の前にコンパイルを必要とする。
【００６４】
[0086]メモリ７６０中のソフトウェアは、プロセッサ７１０が、本明細書で説明する様々なアグリゲーション技法を実装することを含む、様々なアクションを実施することを可能にするように構成される。
【００６５】
[0087]図１９は、図７に示されたメモリの機能モジュールを示す、図７に示されたフェムトセルの機能ブロック図である。たとえば、フェムトセル１１５は、データアグリゲーションモジュール１９６２を含み得る。フェムトセル１１５は、フェムトセル１１５に他の機能を与える１つまたは複数の追加の機能モジュールも含み得る。図７および図１９に示されるフェムトセル１１５は、図２〜図４Ｃ、図１０〜図１８、および図２０〜図２２に示されたプロセスに関連するフェムトセルを実装するために使用され得る。
【００６６】
[0088]データアグリゲーションモジュール１９６２は、本明細書で開示する様々な例において論じるフェムトセル１１５のアグリゲーション層機能を実施するように構成され得る。たとえば、データアグリゲーションモジュール１９６２は、アップリンクデータアグリゲーションセッションの開始および／または終了を示す、モバイルデバイス１２０からの受信されたものから受信された信号を処理するように構成され得る。データアグリゲーションモジュール１９６２は、ダウンリンクデータアグリゲーションセッションの開始および／または終了を示す信号をモバイルデバイス１２０に送るようにも構成され得る。
【００６７】
[0089]データアグリゲーションモジュール１９６２は、モバイルデバイス１２０から（ＬＴＥインターフェース２１５を介して、およびモデム／ルータ１３０からイーサネットインターフェース２１０を介してフェムトセル１１５にルーティングされる）複数のダウンリンクデータストリームを受信するように、それらのデータストリームをアグリゲートデータストリームにアグリゲートして、モバイルデバイス１２０によって送られたパケットを含んでいた元のデータを再作成するように、ならびにアグリゲートデータストリームを予定受信側にルーティングするようにも構成され得る。予定受信側は、サーバ１２５や別のモバイルデバイス１２０などのリモートネットワークエンティティであってよい。データアグリゲーションモジュール１９６２は、モバイルデバイス１２０に送信されるべきダウンリンクデータストリームを複数のデータストリームに分割するようにも構成され得る。データアグリゲーションモジュール１９６２は、データストリームからのデータパケットの第１の部分を、モデムルータのＷｉＦｉインターフェースを使ってパケットをモバイルデバイス１２０に送信することができるモデム／ルータ１３０を経由してモバイルデバイスにルーティングする、およびデータストリームからのデータパケットの第２の部分を、ＬＴＥインターフェース２１５を使ってモバイルデバイス１２０に送信するように構成され得る。
【００６８】
[0090]データアグリゲーションモジュール１９６２は、モバイルデバイス１２０にアグリゲーションポリシー情報を送るようにも構成され得る。アグリゲーションポリシーは、どの送信モードがアップリンクおよび／またはダウンリンクデータを送るのに使われ得るか決定するのに使われてよく、データアグリゲーションが使われ得るいくつかの条件と、データアグリゲーションが使われ得ないいくつかの条件とを指定することもできる。たとえば、アグリゲーションポリシー情報は、フェムトセル１１５へのネットワーク接続性を提供するバックホールがデータスループットを制限している場合、フェムトセルのアグリゲーション層およびモバイルデバイス１２０のアグリゲーション層は、スループットが向上するまでアグリゲーション技法を使わないように構成されてよいと指定することができる。フェムトセル１１５のデータアグリゲーションモジュール１９６２は、バックホールによって与えられるアップリンクおよび／またはダウンリンク速度を監視するように構成されてよく、バックホールによって与えられるダウンリンク速度が所定の閾値を下回った場合、ダウンリンクアグリゲーションをオフに切り替えるように構成されてよく、バックホールによって与えられるダウンリンク速度が回復した場合、ダウンリンクアグリゲーションを再度オンに切り替えてよい。データアグリゲーションモジュール１９６２は、モバイルデバイスのアグリゲーション層２２５にデータアグリゲーションを有効または無効にするよう命令するためのアグリゲーション構成メッセージを、フェムトセルのＬＴＥインターフェース２１５を介してモバイルデバイス１２０に送るように構成され得る。いくつかの実装形態では、アグリゲーションポリシー情報は、ＬＴＥユーザプレーントラフィックがフェムトセル１１５とモバイルデバイス１２０との間のＷｉＦｉ接続を介してルーティングされるべきであると指定することができる。アグリゲーションポリシー情報は、ＬＴＥ制御プレーントラフィックがフェムトセル１１５とモバイルデバイス１２０との間のＬＴＥ接続を介してルーティングされるべきであると指定することもできる。
【００６９】
[0091]フェムトセル１１５のアグリゲーション層はまた、バックホールによって与えられるアップリンク速度を監視するように、およびアップリンク速度が所定の閾値を下回る場合、アップリンクアグリゲーションをオフにするようモバイルデバイス１２０に命令するためのアグリゲーション構成メッセージをモバイルデバイス１２０のアグリゲーション層２２５に送るように構成され得る。フェムトセル１１５のアグリゲーション層２０５はまた、バックホールによって与えられるアップリンク速度を監視するように、およびモバイルデバイス１２０のアグリゲーション層２２５がアップリンク送信用のアグリゲーション技法を使って再開してよいという信号を、モバイルデバイス１２０のアグリゲーション層に送るように構成され得る。
【００７０】
[0092]フェムトセル１１５のデータアグリゲーションモジュール１９６２は、モバイルデバイス１２０とフェムトセル１１５との間のＷｉＦｉおよびＬＴＥパスから受信されたアグリゲーションデータをバッファリングするようにも構成され得る。データアグリゲーションモジュール１９６２は、フェムトセル１１５のメモリ７６０中にデジッタバッファを実装するように構成され得る。データアグリゲーションモジュール１９６２は、バッファを、シームレスなアグリゲーションを提供するために、モバイルデバイス１２０とフェムトセル１１５との間のＬＴＥパスとＷｉＦｉパスとの間のスキューを管理するのに使うことができる。バッファリングは、ＬＴＥパスとＷｉＦｉパスとの間の遅延を補償することができる。データアグリゲーションモジュール１９６２は、データストリームからの喪失および／または遅延パケットがフェムトセル１１５に届くようにするために、ＬＴＥインターフェース２１５および／またはイーサネットインターフェース２１５へから（モバイルデバイス１２０とモデム／ルータ１３０との間のＷｉＦｉリンクを介して）受信されたデータをバッファリングするように構成され得る。
【００７１】
[0093]図４Ａ、図４Ｂ、および図４Ｃは、本明細書で開示する様々なアグリゲーション技法を実装するのに使われ得るプロトコルスタックの図である。図４Ａは、モバイルデバイス１２０のＬＴＥインターフェース２３０とフェムトセル１１５のＬＴＥインターフェース２１５との間で送信されるときに、データがとり得るパスを示すプロトコルスタックのブロック図である。モデム／ルータ１３０は、ＬＴＥインターフェースを使う、モバイルデバイス１２０とフェムトセル１１５との間のデータの転送に関与しない。図４Ｂおよび図４Ｃは、モバイルデバイス１２０とフェムトセル１１５との間で送信されるデータの少なくとも一部分がモデム／ルータ１３０を通してルーティングされる、アグリゲーション技法の２つの異なる可能実装形態を示す。
【００７２】
[0094]図４Ｂは、開示するデータアグリゲーション技法が、モデム／ルータ１３０を通してデータの少なくとも一部分をルーティングすることによって、モバイルデバイス１２０とフェムトセル１１５との間でデータを送信するのに使われる、モバイルデバイス１２０とフェムトセル１１５との間でデータがとり得るパスを示すプロトコルスタックのブロック図である。この例では、アグリゲーションは、フェムトセル１１５のアグリゲーション層２０５およびモバイルデバイスのアグリゲーション層２２５によって、ＬＴＥ無線リンク制御（ＲＬＣ）副層において実施される。ＲＬＣ層アグリゲーションにおいて、ＩＰ層を伴わないＷｉＦｉ  ＭＡＣ層アドレス指定が使われ得る。
【００７３】
[0095]フェムトセルのアグリゲーション層２０５は、モバイルデバイスのＬＴＥインターフェース２３０およびＷｉＦｉインターフェース２３５を介してモバイルデバイス１２０によってフェムトセル１１５に送信されるアップリンクデータストリームに対してアグリゲーションを実施するように構成され得る。この例示的な実施形態において、モバイルデバイス１２０のアグリゲーション層２０５は、モバイルデバイス１２０のＬＴＥインターフェース２３０のＲＬＣ層において実装される。モバイルデバイスのアグリゲーション層２２５は、モバイルデバイス１２０からフェムトセル１１５に送信されるべきデータストリームを、ＷｉＦｉインターフェース２３５を介してモデム／ルータ１３０に送信されるべき第１の部分と、ＬＴＥインターフェース２３０を使ってフェムトセルに直接送信されるべき第２の部分に分割させるように構成され得る。モバイルデバイス１２０のＬＴＥインターフェース２３０を使って送信されるデータの部分は、図４Ａに示すパスを、モバイルデバイスのＬＴＥインターフェース２３５によって実装されるモバイルデバイス１２０のＬＴＥプロトコルスタックを通って下り、モバイルデバイスのＬＴＥインターフェース２１５によって実装される、フェムトセル１１５におけるＬＴＥプロトコルスタックを通って再度上るようにたどればよい。モバイルデバイス１２０のＷｉＦｉインターフェース２３５を使って送信されるデータの部分は、モデム／ルータ１３０のＷｉＦｉインターフェース２４５によって受信され、モデム／ルータ１３０は、モバイルデバイス１２０から受信されたデータを、イーサネットインターフェース２４０を介してフェムトセル１１５にルーティングする。フェムトセル１１５は、イーサネットインターフェース２１０を介してデータを受信し、フェムトセル１１５のＬＴＥプロトコルスタックのＲＬＣ層において動作するアグリゲーション層は、ＷｉＦｉ接続によりモバイルデバイスから受信されたデータを、同じデータストリームに関連付けられているモバイルデバイス１２０とのＬＴＥ接続により受信されたどのデータともアグリゲートする。
【００７４】
[0096]同様に、モバイルデバイス１２０のアグリゲーション層２２５は、フェムトセル１１５によってモバイルデバイス１２０に送信されるダウンリンクデータストリームに対してアグリゲーションを実施するように構成され得る。フェムトセル１１５のアグリゲーション層２０５は、フェムトセル１１５からモバイルデバイス１２０に送信されるべきデータストリームを、モデム／ルータ１３０にルーティングされるとともにモデム／ルータ１３０のＷｉＦｉインターフェース２４５を介して送信されるべき第１の部分と、フェムトセル１１５のＬＴＥインターフェース２１５を使ってフェムトセルに直接送信されるべき第２の部分に分割させるように構成され得る。フェムトセル１１５のＬＴＥインターフェース２１５を使って送信されるデータの部分は、図４Ａに示すパスを、フェムトセル１１５のＬＴＥインターフェース２１５によって実装される、フェムトセル１１５のＬＴＥプロトコルスタックを通って下り、モバイルデバイス１２０のＬＴＥインターフェース２３０によって実装されるＬＴＥプロトコルスタックを通って再度上るようにたどればよい。モデム／ルータ１３０を通して送信されるルーティングされるデータの部分は、モデム／ルータ１３０のＷｉＦｉインターフェース２４５を介してモバイルデバイスに送信される。モバイルデバイス１２０はＷｉＦｉインターフェース２３５を介してデータを受信し、モバイルデバイス１２０のＬＴＥプロトコルスタックのＲＬＣ層において動作するアグリゲーション層は、ＷｉＦｉ接続を介して受信されたデータを、同じデータストリームに関連付けられている、ＬＴＥ接続を介して受信されたどのデータともアグリゲートする。
【００７５】
[0097]図４Ｃは、開示するデータアグリゲーション技法が、モデム／ルータ１３０を通してデータの少なくとも一部分をルーティングすることによって、モバイルデバイス１２０とフェムトセル１１５との間でデータを送信するのに使われる、モバイルデバイス１２０とフェムトセル１１５との間でデータがとり得る別のパスを示すプロトコルスタックのブロック図である。図４Ｃに示す例において、アグリゲーションは、図４Ｂに示す例のＲＬＣ副層においてではなく、フェムトセル１１５のアグリゲーション層２０５およびモバイルデバイスのアグリゲーション層２２５によってインターネットプロトコル（ＩＰ）副層において実施される。ＩＰ層アグリゲーションにおいて。ＩＰカプセル化（ＩＰオーバーＩＰ）またはＷｉＦｉ  ＭＡＣ層アドレス指定（ＩＰ層を伴わない）が、本明細書で開示するアグリゲーション技法を実装するのに使われ得る。
【００７６】
例示的な実装形態
[0098]以下の例は、ＬＴＥおよびＷｉＦｉ帯域幅のアグリゲーションがどのように遂行され得るかを示す。これらの例示的実装形態は、図１に示すフェムトセル１１５と、モバイルデバイス１２０と、モデム／ルータとを使って実装され得る。ダウンストリーム帯域幅アグリゲーションは、モバイルデバイス１２０に送られるデータのストリーム用に実施されてよく、アップストリーム帯域幅アグリゲーションは、モバイルデバイス１２０から送られるデータのストリーム用に実施されてよい。データストリームは、複数のデータトランザクションを含むことができ、２つ以上の宛先に向けられる場合がある。たとえば、ダウンストリームコンテンツは、モバイルデバイス１２０に送信されるオーディオおよび／またはビデオコンテンツ、ｅメール、ウェブページコンテンツ、アプリケーションコンテンツ、ならびに／あるいは他の情報からなる倍数ストリームを含んでよい。
【００７７】
[0099]図２は、図１に示す通信システムにおいて実装されるダウンリンク帯域幅アグリゲーションの例のブロック図である。モバイルデバイス１２０に向けられたデータパケットのストリームがモデム／ルータ１３０において受信されるダウンストリームアグリゲーションが実施され得る。モデム／ルータ１３０は、データパケットストリームをフェムトセル１１５にルーティングするように構成され得る。フェムトセルは、イーサネットインターフェース２１０を介してモデム／ルータ１３０からデータパケットストリームを受信するように、およびデータストリームをモバイルデバイス１２０に送信するときに使うべき送信モードを決定するように構成され得る。第１の送信モードにおいて、フェムトセル１１５は、データパケットストリームからのデータパケットを、フェムトセル１１５のＬＴＥインターフェース２１５を使ってモバイルデバイス１２０に送信することができる。第２の送信モードにおいて、フェムトセル１１５は、データストリームからのパケットを、モデム／ルータ１３０のＷｉＦｉインターフェースを通してモバイルデバイスにルーティングすることができる。第３の送信モードにおいて、フェムトセル１１５は、データストリームのパケットの第１の部分をモバイルデバイス１２０に送信することができ、データストリームのパケットの第２の部分を、モデム／ルータ１３０のＷｉＦｉインターフェースを介したモバイルデバイス１２０への送信のために、モデム／ルータ１３０にルーティングするために。
【００７８】
[0100]アグリゲーション層２０５は、フェムトセル１１５からモバイルデバイスにデータをルーティングするのに、どの送信モードを使うべきか決定するように構成され得る。第１の送信モードが選択された場合、アグリゲーション層２０５は、データストリームのパケットを、フェムトセル１１５のＬＴＥインターフェース２１５にルーティングするように構成され得る。ＬＴＥインターフェース２１５は次いで、データストリームからのパケットをモバイルデバイス１２０に送信すればよい。ユーザデバイス１２０は、フェムトセル１１５のＬＴＥインターフェース２１５によって送信されたパケットをＬＴＥインターフェース２３０を介して受信することができ、ＬＴＥインターフェース２３０は、データストリームの受信パケットをアグリゲーション層２２５に渡すように構成されてよく、アグリゲーション層２２５はデータストリームのパケットを、受信されたタイプのデータストリームを消費するように構成されたオーディオおよび／またはビデオプレーヤアプリケーション、ナビゲーションアプリケーション、ならびに／あるいは他のアプリケーションなど、モバイルデバイス１２０上のデータストリームの１つまたは複数の消費側に提供すればよい。
【００７９】
[0101]第２の送信モードが選択された場合、フェムトセル１１５のアグリゲーション層２０５は、データストリームのパケットを、モデム／ルータ１３０のＷｉＦｉインターフェース２４５を介してモバイルデバイス１２０に送信されるように、モデム／ルータ１３０を通してルーティングするように構成され得る。アグリゲーション層２０５は、データストリームからのパケットを、フェムトセル１１５とモデム／ルータ１３０との間のワイヤードまたはワイヤレス接続を通してモデム／ルータ１３０にルーティングする構成されてよく、データストリームからのパケットを、ハブやスイッチなど、１つまたは複数の中間デバイスを通してルーティングしてもよい。図２に示す例において、フェムトセル１１５は、モデム／ルータ１３０のイーサネットインターフェース２４０に直接または間接的のいずれかで接続されているイーサネットインターフェース２１０を含む。この例示的実装形態は、フェムトセル１１５がモデム／ルータ１３０と通信することを可能にするのにイーサネットインターフェースを使うが、他の実装形態は、フェムトセル１１５とモデル／ルータ１３０が通信することを可能にするのに、他のデータ通信またはネットワークプロトコルを使うことができる。モデム／ルータ２４０のイーサネットインターフェース２４０は受信パケットをスイッチ２４５に与えるように構成されてよく、スイッチ２４５は、データパケットを、モバイルデバイス１２０への送信のためにＷｉＦｉインターフェース２４５にルーティングすればよい。データストリームのデータパケットは、モバイルデバイス１２０のＷｉＦｉインターフェース２３５によって受信され得る。ＷｉＦｉインターフェース２３５は、データストリームの受信パケットをアグリゲーション層２２５に渡すように構成されてよく、アグリゲーション層２２５はデータストリームのパケットを、モバイルデバイス１２０上のデータストリームの１つまたは複数の消費側に与えてよい。
【００８０】
[0102]第３の送信モードが選択された場合、フェムトセルのアグリゲーション層２０５は、データストリームからのデータパケットの第１の部分を、ＬＴＥインターフェース２１５を介してモバイルデバイス１２０に送信するように、およびデータストリームからのデータパケットの第２の部分を、モデム／ルータ１３０のＷｉＦｉインターフェースを介してモバイルデバイスにルーティングするように構成され得る。アグリゲーション層２０５は、データストリームのパケットの第１の部分を、フェムトセル１１５のＬＴＥインターフェース２１５にルーティングするように構成され得る。ＬＴＥインターフェース２１５は次いで、データストリームからのパケットの第１の部分をモバイルデバイス１２０に送信すればよい。ユーザデバイス１２０は、フェムトセル１１５のＬＴＥインターフェース２１５によって送信されたパケットを、ＬＴＥインターフェース２３０を介して受信することができ、ＬＴＥインターフェース２３０は、データストリームの受信パケットをアグリゲーション層２２５に渡すように構成されてよい。フェムトセル１１５のアグリゲーション層２０５は、データストリームからのパケットの第２の部分を、フェムトセル１１５とモデム／ルータ１３０との間のワイヤードまたはワイヤレス接続を通してモデム／ルータ１３０にルーティングする構成されてよく、データストリームからのパケットを、ハブやスイッチなど、１つまたは複数の中間デバイスを通してルーティングしてもよい。モデム／ルータ２４０のイーサネットインターフェース２４０は、受信パケットをスイッチ２４５に与えるように構成されてよく、スイッチ２４５は、データパケットを、モバイルデバイス１２０への送信のためにＷｉＦｉインターフェース２４５にルーティングすればよい。データストリームのデータパケットは、モバイルデバイス１２０のＷｉＦｉインターフェース２３５によって受信され、モバイルデバイス１２０のアグリゲーション層２２５に与えられてよい。モバイルデバイス１２０のアグリゲーション層２２５は、それぞれＬＴＥインターフェース２３０およびＷｉＦｉインターフェース２３５を介して受信された、データパケットの第１の部分からのデータストリームと、データパケットの第２の部分とを再アセンブルするように構成され得る。
【００８１】
[0103]パケットの第１の部分とパケットの第２の部分は、データストリーム内の同時パケットであってもなくてもよく、および／またはインターリーブされたパケットセットであってよい。さらに、パケットは２つの異なるインターフェースを使ってモバイルデバイス１２０に送信されているので、パケットは順不同で受信され得る。モバイルデバイス１２０のアグリゲーション層２２５は、データパケットの第１および第２の部分を受信するように、ならびにパケットを単一のコヒーレントなデータストリームに再度並べ替える／アグリゲートするように構成され得る。モバイルデバイスのアグリゲーション層２２５は、シームレスなアグリゲーションを提供するために、モバイルデバイス１２０とフェムトセル１１５との間のＬＴＥパスとＷｉＦｉパスとの間のスキューを管理するデジッタバッファを含むように構成され得る。アグリゲーション層２２５によるバッファリングは、ＬＴＥとＷｉＦｉパスとの間の遅延を補償することができる。アグリゲーション層２２５は、データストリームからの喪失および／または遅延パケットがモバイルデバイス１２０に届くようにするために、ＬＴＥインターフェース２３０および／またはＷｉＦｉインターフェース２３５へから受信されたデータをバッファリングするように構成され得る。
【００８２】
[0104]フェムトセル１１５のアグリゲーション層２０５は、チャネル条件および／または他の検討事項に基づいて、どの送信モードを使うべきかを選択するように構成され得る。たとえば、ＬＴＥインターフェース２１５がマクロセルおよび／または１つもしくは複数の近くのフェムトセルから干渉を受けているか、あるいはＬＴＥダウンリンクチャネルがすでに使用中である場合、フェムトセル１１５のアグリゲーション層２０５は第２の送信モードを選択すればよい。ダウンリンクチャネルについてのチャネル条件が良好であり、および／またはデータを送信するのにＷｉＦｉインターフェースがすでに使用中である場合、アグリゲーション層２０５は第１の送信モードを選択すればよい。フェムトセル１１５のアグリゲーション層２０５は、チャネル品質がＷｉＦｉおよびＬＴＥ送信の両方について良好である場合、第３の送信モードを選択すればよい。
【００８３】
[0105]図３は、図１に示す通信システムを使って実装され得るアップストリーム帯域幅アグリゲーションの例のブロック図である。アップストリームアグリゲーションは、モバイルデバイス１２０から送信されるデータに対して実施され得る。
【００８４】
[0106]図３に示す例において、モバイルデバイス１２０のアグリゲーション層２２５は、データストリームを、モバイルデバイス１２０のＷｉＦｉインターフェース２３５とＬＴＥインターフェース２３０とを使って送信され得る複数のデータストリームに分割させるように構成され得る。複数のデータストリームは次いで、フェムトセル１１５にルーティングされてよく、フェムトセル１１５は複数のデータストリームを、セキュアゲートウェイ１５０への送信のために単一のデータストリームに再度アグリゲートするように構成されてよく、ゲートウェイ１５０は単一のデータストリームを、サーバ１２５など、データストリームの意図された宛先にルーティングしてよい。
【００８５】
[0107]モバイルデバイス１２０のアグリゲーション層２２５は、データストリームからのデータパケットの第１の部分をＬＴＥインターフェース２３０に、およびデータストリームからのデータパケットの第２の部分をＷｉＦｉインターフェース２３５に与えるように構成され得る。モデム／ルータ１３０は、モバイルデバイス１２０のＷｉＦｉインターフェース２３５によって送信されたデータパケットを受信するように、および受信パケットをスイッチ２４５にルーティングするように構成され得る。スイッチ２４５は次いで、受信パケットをイーサネットインターフェース２４０にルーティングすればよく、イーサネットインターフェース２４０はパケットをフェムトセル１１５に送ってよい。フェムトセル１１５のイーサネットインターフェース２１０はモデム／ルータ１３０からパケットを受信し、受信パケットをフェムトセル１１５のアグリゲーション層２０５に与えればよい。
【００８６】
[0108]フェムトセル１１５のＬＴＥインターフェース２１５は、モバイルデバイス１１５のＬＴＥインターフェース２３０によって送信されたパケットを受信し、受信パケットをフェムトセル１１５のアグリゲーション層２０５に与えればよい。フェムトセルのアグリゲーション層１１５は、モバイルデバイス１２０から受信されたデータパケットをアグリゲートするように、およびアグリゲートされたデータストリームをセキュアゲートウェイ１５０に送るように構成されてよく、ゲートウェイ１５０は単一のデータストリームを、サーバ１２５（または第１および第２のデータストリームのデータパケット中で識別される別の宛先）など、データストリームの意図された宛先にルーティングしてよい。
【００８７】
[0109]モバイルデバイスのアグリゲーション層２２５は、チャネル条件に、および／またはチャネル使用に基づいて、ＬＴＥインターフェース２３０および／またはＷｉＦｉインターフェース２３５を使ってデータを送信するかを選択する構成され得る。たとえば、マクロセルまたは他のフェムトセルが、ＬＴＥ送信についてのチャネル品質に影響する干渉を引き起こしている場合、アグリゲーション層２２５は主にＷｉＦｉインターフェース２３５を使ってデータを送信するように構成され得る。アグリゲーション層２２５は、ＷｉＦｉチャネル上に干渉がある場合は主にＬＴＥインターフェース２３０を使ってデータを送信するように構成され、ＬＴＥチャネル上に干渉がある場合は主にＷｉＦｉインターフェース２３５を使ってデータを送信するように構成され得る。モバイルデバイス１２０のアグリゲーション層２２５は、送信されるべきデータに関連付けられたサービス品質（ＱｏＳ）要件および／またはモバイルデバイス１２０、モバイルデバイスに送信されるべき他のデータに関連付けられたＱｏＳ要件、ならびに／あるいはあるいはフェムトセル１１５および／またはモデム／ルータ１３０に接続されている別のモバイルデバイスに関連付けられたＱｏＳ要件など、他の要因を考慮に入れるようにも構成され得る。
【００８８】
[0110]フェムトセル１１５のアグリゲーション層２０５は、シームレスなアグリゲーションを提供するために、モバイルデバイス１２０とフェムトセル１１５との間のＬＴＥパスとＷｉＦｉパスとの間のスキューを管理するデジッタバッファを含むように構成され得る。アグリゲーション層２０５によるバッファリングは、ＬＴＥとＷｉＦｉパスとの間の遅延を補償することができる。アグリゲーション層２０５は、データストリームからの喪失および／または遅延パケットがフェムトセル１１５に届くようにするために、ＬＴＥインターフェース２１５および／またはイーサネットインターフェース２１５（これらを通してＷｉＦｉパスに沿ってフェムトセル１１５に移動するデータがモデム／ルータ１３０からフェムトセル１１５にルーティングされることになる）にから受信されたデータをバッファリングするように構成され得る。
【００８９】
[0111]図８は、モデム／ルータ１３０のＷｉＦｉインターフェース２４５によりフェムトセル１１５を通してモバイルデバイス１２０からアップリンクデータを送るために使われ得る例示的データフレームフォーマットのブロック図である。図８に示す例、モデム／ルータ１３０は、ブリッジ機能性をサポートするように構成される。同様の技法が、モデム／ルータがブリッジングをサポートするように構成される実装形態において、モバイルデバイス１２０およびフェムトセル１１５のアグリゲーション層によって、フェムトセル１１５からモバイルデバイス１２０にダウンリンクデータを送るために使われ得る。モデム／ルータ１３０がブリッジングをサポートするように構成されない実装形態において、モバイルデバイス１２０およびフェムトセル１１５のアグリゲーション層はカプセル化技法を使うように構成されてよく、図９において、本明細書で開示するアグリゲーション技法を実装することを示す。
【００９０】
[0112]図８に示す例示的フレームフォーマットにおいて、フレーム８０５は、モバイルデバイス１２０のＷｉＦｉインターフェース２３５を介してモバイルデバイス１２０からデータを送るときに使われ得るフレームフォーマットの例を与える。フレームについての宛先ＭＡＣアドレスフィールド８１０はフェムトセル１１５のＭＡＣアドレスに設定され、ソースＭＡＣアドレスフィールド８１５はモバイルデバイス１２０のＭＡＣアドレスに設定される。ソースＩＰアドレスフィールド８２０は、モバイルデバイス１２０のＬＴＥインターフェース２３０に関連付けられたＩＰアドレスに設定される。図８に示す例はＩＥＥＥ８０２．３フレームフォーマットとともに使われ得るが、本明細書において論じる技法は、ＩＥＥＥ８０２．１１フレームフォーマットおよび／または他のフレームフォーマットなど、他のフレームフォーマットを使って実装されてもよい。例示的フレームフォーマットは、アグリゲーションがＲＬＣ層において、またはＩＰ層において実装される、図４Ｂおよび図４Ｃに示す例とともに使われ得る。
【００９１】
[0113]モバイルデバイス１２０のＬＴＥインターフェース２３０は第１のＩＰアドレスに関連付けられてよく、ＷｉＦｉインターフェース２３５は第２のＩＰアドレスに関連付けられてよい。ＬＴＥインターフェース２３０に関連付けられた第１のＩＰアドレスは、ワイヤレス通信プロバイダに関連付けられる。いくつかの実装形態では、第１のＩＰアドレスは、ワイヤレス通信プロバイダに関連付けられた、パブリックにアドレス指定可能なアドレス空間の一部であるパブリックＩＰアドレスであってよく、他の実装形態では、第１のＩＰアドレスはワイヤレス通信プロバイダに関連付けられたプライベートＩＰアドレスであってよい。ＷｉＦｉインターフェース２３５に関連付けられた第２のＩＰアドレスは、モデム／ルータ１３０によってＷｉＦｉインターフェース２３５に割り当てられているとともに、ルータ／モデム１３０に関連付けられた単一のパブリックＩＰアドレスに関連付けられたプライベートＩＰアドレス空間の一部であるプライベートＩＰアドレスであってよい。モバイルデバイス１２０のＷｉＦｉインターフェース２３５を通してフェムトセル１１５にアップリンクトラフィックをルーティングするとき、ソースＩＰアドレスフィールド８２０はＬＴＥインターフェースに関連付けられたＩＰアドレス８２０に設定され、ＬＴＥインターフェースに関連付けられたＩＰアドレス８２０は、ＬＴＥインターフェースに関連付けられたＩＰアドレス８２０がモデム／ルータ１３０によって維持されるプライベートアドレスの一部ではないので、モデム／ルータ１３０のＮＡＴモジュールによって、モデム／ルータ１３０のパブリックＩＰアドレスに変換されない。宛先ＩＰアドレスフィールド８２５は、パケットの宛先のＩＰアドレスに設定される。たとえば、パケットの意図された宛先がサーバ１２５である場合、宛先ＩＰアドレスフィールド８２５は、サーバ１２５に関連付けられたパブリックＩＰアドレスに設定されることになる。チェックサムフィールド８３０は、フレーム８０５の他のフィールド中のデータに基づくチェックサム値に設定され、受信機によって、フレーム８０５が伝送途中で破損されたかどうか決定するのに使われ得る。ペイロードフィールド８３５は、フレーム８０５の意図された宛先に送信されるべきデータを含む。
【００９２】
[0114]フレーム８４０は、フェムトセル１１５がデータフレーム８０５を受信したことに応答して、フェムトセル１１５からモデム／ルータ１３０に送信され得るフレームの例である。フレーム８４０の宛先ＭＡＣフィールドはモデム／ルータ１３０のＭＡＣアドレスに設定され、ソースＭＡＣアドレスフィールド８４５はフェムトセル１１５のＭＡＣアドレスに設定される。ソースＩＰアドレスフィールド８５５はフェムトセル１１５のＩＰアドレスに設定され、宛先ＩＰアドレスは、セキュアゲートウェイサーバ１５０に関連付けられたＩＰアドレスに設定される。セキュアゲートウェイサーバは、フェムトセル１１５と関連付けられているモバイルネットワークプロバイダに関連付けられたサーバである。セキュアゲートウェイサーバは、フェムトセル１１５によってセキュアゲートウェイサーバにルーティングされたトラフィックを受信するように、および受信トラフィックを適切な最終的宛先にルーティングするように構成される。たとえば、セキュアゲートウェイサーバは、フレーム８０５を宛先ＩＰアドレスフィールド８２５中で示される最終的宛先にルーティングすることができる。チェックサムフィールド８６５はフレーム８４０の他のフィールド中のデータに基づくチェックサム値に設定され、フレーム８４０が伝送途中で破損されたかどうか、受信機によって決定するのに使われ得る。フェムトセル１１５とセキュアゲートウェイとの間で交換されるパケットのペイロードは暗号化され、ペイロードフィールド８７０は、フレーム８０５の内容の一部を暗号化された形で含むように設定され得る。図８に示す例において、ソースＩＰフィールド８２０、宛先ＩＰアドレスフィールド８２５、チェックサムフィールド８３０、およびペイロードフィールド８３５の内容は、フレーム８４０のペイロードフィールド８７０中で暗号化され、送信され得る。フレーム８４０は、モデム／ルータ１３０のイーサネットインターフェース２４０への、フェムトセル１１５のイーサネットインターフェース２１０を介してフェムトセル１１５からモデム／ルータ１３０に送られ得る。
【００９３】
[0115]フレーム８７５は、フェムトセル１１５からフレーム８４０を受信したことに応答して、モデム／ルータ１３０によってインターネットを介してセキュアゲートウェイサーバに送信され得るフレームの例である。フレーム８７５のファイルされたソースＩＰアドレス８８０はモデム／ルータ１３０のパブリックＩＰアドレスに設定されてよく、宛先ＩＰアドレスフィールド８７５はセキュアゲートウェイサーバのＩＰアドレスに設定されてよい。チェックサム８８０は、フレーム８７５の他のフィールド中のデータに基づくチェックサム値に設定されてよく、フレーム８７５が伝送途中で破損されたかどうか、受信機によって決定するのに使われ得る。ペイロードフィールド８８５は、フレーム８４０からのペイロードフィールド８７０の暗号化された内容を含むように設定され得る。
【００９４】
[0116]図９は、ＩＰパケットカプセル化を使って、モデム／ルータ１３０のＷｉＦｉインターフェース２４５によりフェムトセル１１５を通してモバイルデバイス１２０からアップリンクデータを送るために使われ得る例示的データフレームフォーマットのブロック図である。図９に示す例、モデム／ルータ１３０は、ブリッジ機能性をサポートするようには構成されない。同様の技法が、モデム／ルータがブリッジングをサポートするように構成されない実装形態において、モバイルデバイス１２０およびフェムトセル１１５のアグリゲーション層によって、フェムトセル１１５からモバイルデバイス１２０にダウンリンクデータを送るために使われ得る。
【００９５】
[0117]図９の図表は、３つの段階で示されている。第１の段階において、フレーム９０３が、モバイルデバイス１２０のＷｉＦｉインターフェース２３５を介してモバイルデバイス１２０からモデム／ルータ１３０に送信され、モデム／ルータ１３０はデータフレームをフェムトセル１１５にルーティングする。第２の段階において、フェムトセル１１５は、フレーム９０３からのデータをフレーム９０７のペイロードフィールド９７５中に含み、カプセル化し、暗号化するパケット９０７を生成し、フレーム９０７をモデム／ルータ１３０にルーティングする。第３の段階において、モデム／ルータ１３０は、フェムトセル１１５からフレーム９０７を受信し、フレーム９０７からの暗号化ペイロードをフレーム９０９のペイロードフィールド９９５中に含むフレーム９０９を生成し、モデム／ルータ１３０は、フレーム９０９をネットワーク１１０を介してセキュアゲートウェイ１５０に送る。
【００９６】
[0118]フレーム９０３は、アップリンクプロセスの段階１においてモバイルデバイス１２０のＷｉＦｉインターフェース２３５を介してモバイルデバイス１２０からフェムトセル１１５にデータを送るときに使われ得るフレームフォーマットの例を与える。フレームについての宛先ＭＡＣアドレスフィールド９０５はモデム／ルータ１３０のＭＡＣアドレスに設定され、ソースＭＡＣアドレスフィールド９１０はモバイルデバイス１２０のＭＡＣアドレスに設定される。ソースＩＰアドレスフィールド９１５は、モバイルデバイス１２０のＷｉＦｉインターフェース２３５に関連付けられたＩＰアドレスに設定され（図８に示す例とは対照的に、フレーム８０５のソースＩＰアドレスフィールドがモバイルデバイス１２０のＬＴＥインターフェース２３０に関連付けられたＩＰアドレスに設定される）、宛先ＩＰアドレス９２０はフェムトセル１１５のＩＰアドレスに設定される。チェックサムフィールド９２５は、フレーム９０３の他のフィールド中のデータに基づくチェックサム値に設定され、フレーム９０３が伝送途中で破損されたかどうか、受信機によって決定するのに使われ得る。フレーム９０３は、モバイルデバイス１２０のＬＴＥインターフェース２３０に関連付けられたＩＰアドレスに設定されている第２のソースＩＰアドレスフィールド９３０を含む。モバイルデバイスのＬＴＥインターフェース２３０に関連付けられたＩＰアドレスはパブリックＩＰアドレスであってよく、ローカルネットワーク上にないリモートネットワークエンティティによって、モバイルデバイス１２０にデータを再度ルーティングするのに使われ得る。第２の宛先ＩＰアドレスフィールド９３５は、予定受信側フレーム９０３に関連付けられたパブリックＩＰアドレスを含む。たとえば、フレーム９０３に含まれるデータの予定受信側がサーバ１２５である場合、サーバ１２５のパブリックＩＰアドレスは第２の宛先ＩＰアドレスフィールド９３５に含まれる。ペイロード９４５に含まれるデータが伝送途中で破損されたかどうか、予定受信側（およびフィールドの任意の中間受信者）によって決定するのに使われ得る第２のチェックサムフィールド９４０が設けられる。ペイロードフィールド９４５は、フレーム９０３の指定受信側に送信されるべきデータを含む。
【００９７】
[0119]フレーム９０７は、アップリンクプロセスの段階２においてフェムトセル１１５からモデム／ルータ１３０にフレームを送るときに使われ得るフレームフォーマットの例を与える。宛先ＭＡＣアドレスフィールド９５０はモデム／ルータ１３０のＭＡＣアドレスに設定されてよく、ソースＭＡＣアドレスフィールド９５５はフェムトセルのＭＡＣアドレスに設定されてよい。ソースＩＰアドレスフィールド９６０はフェムトセル１１５のＩＰアドレスに設定されてよく、宛先ＩＰアドレスフィールド９６５はセキュアゲートウェイ１５０のＩＰアドレスに設定されてよい。チェックサムフィールド９７０は、フレーム９０７の他のフィールド中のデータに基づくチェックサム値に設定され、フレーム９０７が伝送途中で破損されたかどうか、受信機によって決定するのに使われ得る。フェムトセル１１５は、フレーム９０７用の暗号化ペイロードフィールド９７５を生成するようにも構成され得る。フェムトセルは、セキュアゲートウェイ１５０との確実な通信を提供するために、暗号化通信を使って通信するように構成される。フェムトセル１１５は、フェムトセル１１５がモデム／ルータ１３０を介してモバイルデバイス１２０から受信するフレーム９０３からの第２のソースＩＰアドレスフィールド９３０、第２の宛先ＩＰアドレスフィールド９３５、チェックサム９４０、ペイロード９４５からの値を暗号化するように構成され得る。
【００９８】
[0120]モデム／ルータ１３０はフレーム９０７を受信するように、およびフェムトセル１１５からフレーム９０９を受信したことに応答してフレーム９０９を生成するように構成され得る。フレーム９０９は、モデム／ルータ１３０に関連付けられたパブリックＩＰアドレスに設定されているソースＩＰアドレスフィールド９８０を含む。宛先ＩＰアドレスフィールド９８５は、セキュアゲートウェイ１５０のパブリックＩＰアドレスに設定される。フレーム９０９のペイロードフィールド９９５は、フレーム９７５のペイロードフィールド９７５の内容であり、これは、フェムトセル１１５によって、セキュアゲートウェイ１５０に送られるために生成された暗号化データを備える。セキュアゲートウェイ１５０はフレーム９０９を受信したことに応答して、ペイロードの内容を解読し、フレーム９０３からのペイロードフィールド９４５の元の内容をネットワーク１１０を介して予定受信側に送る。図９に示す例はＩＥＥ８０２．３フレームフォーマットとともに使われ得るが、本明細書において論じる技法は他のフレームフォーマットを使って実装されてもよい。
【００９９】
[0121]図１０は、フェムトセルにおいてダウンストリームワイヤレス通信トラフィックをアグリゲートするための例示的プロセスの流れ図である。図１０に示されるプロセスはフェムトセル１１５において実装され得る。
【０１００】
[0122]プロセスでは始めに、フェムトセル１１５が、モバイルデバイス１２０に送信されるべきデータパケットへのストリームを受信する（段階１００５）。データパケットストリームは、サーバ１２５、別のモバイルデバイス、または別のネットワーク接続エンティティから受信され得る。モデム／ルータ１３０は、データパケットストリームをネットワーク１１０を介して送信元ネットワーク接続エンティティから受信し、データパケットストリームをフェムトセル１１５にルーティングすればよい。データパケットストリームは、セキュアゲートウェイ１５０から、またはサーバ１２５など別のネットワーク接続エンティティから受信されている。さらに、モバイルデバイス１２０のＷｉＦｉインターフェース２３５に関連付けられたＩＰアドレスは通常、モデム／ルータ１３０とモバイルデバイス１２０との間のＷｉＦｉ通信に使われるローカルネットワーク接続に関連付けられたプライベートＩＰアドレスであることから、データパケットの宛先アドレスは、モバイルデバイス１２０のＬＴＥインターフェース２３０に関連付けられたＩＰアドレスを使うことができる。
【０１０１】
[0123]次いで、データストリームのデータパケットをフェムトセル１１５からモバイルデバイス１２０に送るための送信モードが選択され得る（段階１０１０）。フェムトセルのアグリゲーション層２０５は、データストリームのデータパケットをモバイルデバイス１２０に送信するために使うべき送信モードを選択するように構成され得る。たとえば、図２に示す例示的実装形態において、モバイルデバイス１２０はＬＴＥインターフェース２３０とＷｉＦｉインターフェース２３５の両方を含む。フェムトセル１１５のアグリゲーション層２０５は、データパケットストリームからのデータパケットを、フェムトセル２１５のＬＴＥインターフェースを介してモバイルデバイスに送信するか、データパケットを、モデム／ルータ１３０のＷｉＦｉインターフェース２４５を介したモバイルデバイスへの送信のためにモデム／ルータ１３０にルーティングするか、データパケットの第１の部分を、フェムトセル１１５のＬＴＥインターフェース２１５を介してモバイルデバイス１２０に送信するか、およびデータパケットの第２の部分を、モデム／ルータ１３０のＷｉＦｉインターフェース２４５を介したモバイルデバイス１２０への送信のためにモデム／ルータ１３０にルーティングするかどうか決定するように構成され得る。その、ある送信モードを選択するための例示的プロセスは、図１１に示され、後で詳しく論じる。
【０１０２】
[0124]データパケットは次いで、選択された送信モデルに従って送られ得る（段階１０１５）。アグリゲーション層２０５は、データパケットの全部または一部がＬＴＥインターフェース２１５を介してモバイルデバイス１２０に送信されるべきである場合、フェムトセル１１５のＬＴＥインターフェース２１５を介して送信されるべきどのパケットも、送信のためにＬＴＥインターフェース２１５にルーティングするように構成され得る。アグリゲーション層２０５はまた、モデム／ルータ１３０のＷｉＦｉインターフェース２４５を介して送信されるべきどのパケットも、イーサネットインターフェース２１０を介してモデム／ルータ１３０にルーティングするように構成され得る。モデム／ルータ１３０は次いで、フェムトセル１１５から受信されたパケットを、ＷｉＦｉインターフェース２４５を介して使ってモバイルデバイス１２０に送信することができる。
【０１０３】
[0125]図１１は、本明細書で開示する技法を実装するのに使われ得る送信モードを選択するための例示的プロセスの流れ図である。図１１に示すプロセスは、図１０に示すプロセスの段階１０１０を実装する使われ得る。図１１に示されるプロセスはフェムトセル１１５によって実装され得る。
【０１０４】
[0126]フェムトセル１１５は、ＷｉＦｉおよび／またはＬＴＥダウンリンクチャネルのチャネル特性を決定するように構成され得る（段階１１０５）。たとえば、フェムトセル１１５のアグリゲーション層２０５は、モバイルデバイス１２０に対してダウンリンクチャネル条件情報を要求するように構成され得る。フェムトセル１１５のアグリゲーション層２０５は、ＬＴＥダウンリンクチャネルおよび／またはＷｉＦｉダウンリンクチャネルについて、モバイルデバイス１２０からチャネル条件情報を定期的に受信するようにも構成され得る。
【０１０５】
[0127]フェムトセル１１５は、ＷｉＦｉおよびＬＴＥチャネルに現時点で関連付けられたデータ負荷を決定するようにも構成され得る（段階１１１０）。フェムトセル１１５のアグリゲーション層２０５は、どのようなデータがＷｉＦｉおよびＬＴＥチャネルを介してモバイルデバイスにルーティングされているかを追跡するように構成され得る。
【０１０６】
[0128]チャネルのチャネル特性および／またはローディングに少なくとも部分的に基づいて、送信モードが選択され得る（段階１１１５）。フェムトセルのアグリゲーション層２０５は、チャネルのチャネル特性および／またはローディングに基づいて、どの送信モードを使うべきかを選択するように構成され得る
[0129]フェムトセル１１５のアグリゲーション層２０５は、モバイルデバイス１２０に関連付けられたＱｏＳ、モバイルデバイス１２０に送信されるべきデータストリーム、ならびに／あるいはモバイルデバイス１２０に送信されるべき他のデータに関連付けられたＱｏＳおよび／またはフェムトセル１１５および／またはモデム／ルータ１３０に接続されている別のモバイルデバイスに関連付けられたＱｏＳなど、他の要因を考慮に入れるようにも構成され得る。
【０１０７】
[0130]図１２は、本明細書で開示する技法を実装するのに使われ得る、モバイルデバイス１２０にダウンリンクデータパケットを送るための例示的プロセスの流れ図である。図１２に示すプロセスは、図１０に示すプロセスの段階１０１５を実装するのに使われ得る。図１２に示されるプロセスはフェムトセル１１５によって実装され得る。
【０１０８】
[0131]アグリゲート送信モードが選択されたかどうかについて、決定が行われ得る（段階１２０５）。フェムトセル１１５のアグリゲーション層２０５は、モバイルデバイス１２０にダウンリンクデータストリームを送るために使われるべき送信モードを決定することができる。アグリゲーション層２０５によってアグリゲート送信モードが選択された場合、ダウンリンクデータストリームからのデータパケットは、ＬＴＥおよびＷｉＦｉチャネルの両方を介してモバイルデバイス１２０に送信され得る。
【０１０９】
[0132]ハイブリッド／アグリゲート送信モードが選択された場合、モバイルデバイス１２０に送信されるべきパケットの第１の部分が、モデム／ルータのＷｉＦｉインターフェース２４５を介してモバイルデバイス１２０に送信されるように選択されてよい（段階１２１０）。モバイルデバイス１２０に送信されるべきパケットの第２の部分が、フェムトセル１１５のＬＴＥインターフェース２１５を介してモバイルデバイス１２０に送信されるように選択されてよい（段階１２１５）。
【０１１０】
[0133]データパケットの第１の部分は、モデム／ルータ１３０のＷｉＦｉインターフェースを介してモバイルデバイス１２０に送信されるように、モデム／ルータ１３０にルーティングされ得る（段階１２２０）。アグリゲーション層２０５は、データパケットの宛先ＩＰアドレスを、モバイルデバイス１２０のＷｉＦｉインターフェース２３５に関連付けられたＩＰアドレスに設定すればよい。アグリゲーション層２０５は、データパケットを、イーサネットインターフェース２１０を介してモデム／ルータ１３０にそのルーティングすることができる。
【０１１１】
[0134]データパケットの第２の部分は、フェムトセル１１５のＬＴＥインターフェース２１５を使ってモバイルデバイス１２０に送信され得る（段階１２２５）。フェムトセル１１５のアグリゲーション層２０５は、データパケットの第２の部分を、フェムトセル１１５のＬＴＥインターフェース２０５を介してモバイルデバイス１２０に送るように構成され得る。パケットの宛先ＩＰアドレスは、モバイルデバイス１２０のＬＴＥインターフェース２３０に関連付けられたＩＰアドレスに設定され得る。
【０１１２】
[0135]ハイブリッド／アグリゲート送信モードが選択されなかった場合、ＷｉＦｉオンリー送信モードが選択されているかどうかという決定が行われ得る（段階１２３０）。ＷｉＦｉオンリー送信モードが選択されている場合、フェムトセル１１５のアグリゲーション層２０５は、データストリームのデータパケットを、フェムトセル１１５のＷｉＦｉインターフェース２４５を介したモバイルデバイス１２０への送信のためにモデム／ルータ１３０にルーティングするように構成され得る（段階１２３５）。アグリゲーション層２０５は、データパケットの宛先ＩＰアドレスを、モバイルデバイス１２０のＷｉＦｉインターフェース２３５に関連付けられたＩＰアドレスに設定すればよい。
【０１１３】
[0136]ハイブリッド／アグリゲート送信モードもＷｉＦｉオンリーモードもそのどちらも選択されなかった場合、フェムトセル１１５のアグリゲーション層２０５は、データストリームからのデータパケットを、フェムトセル１１５のＬＴＥインターフェース２０５を介してモバイルデバイス１２０に送信するように構成されてよい（段階１２４０）。パケットの宛先ＩＰアドレスは、モバイルデバイス１２０のＬＴＥインターフェース２３０に関連付けられたＩＰアドレスに設定され得る。
【０１１４】
[0137]図１３は、本明細書で開示する技法を実装するのに使われ得る、ＷｉＦｉおよびＬＴＥインターフェースを介してデータパケットが送信されるフェムトセル１１５からのダウンリンク上で、モバイルデバイス１２０においてデータパケットを受信するための例示的プロセスの流れ図である。図１３に示されるプロセスはモバイルデバイス１２０によって実装され得る。
【０１１５】
[0138]フェムトセル１１５のアグリゲーション層２０５およびモバイルデバイスのアグリゲーション層２２５は、フェムトセル１２０とモバイルデバイス１２０との間のＬＴＥインターフェースを介して、またはモバイルデバイス１２０とモデム／ルータ１３０との間のＷｉＦｉインターフェースを介して、情報を交換するように構成され得る。交換される情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。
【０１１６】
[0139]モバイルデバイス１２０は、フェムトセル１１５とモバイルデバイス１２０との間のアグリゲートデータセッションの開始を示す信号を、フェムトセル１１５から随意に受信することができる（段階１３０５）。いくつかの実装形態では、フェムトセル１１５のアグリゲーション層２０５は、データストリームがモバイルデバイス１２０とのＷｉＦｉおよびＬＴＥ接続を介してモバイルデバイスにこれから送られることをシグナリングするための信号を、モバイルデバイス１２０のアグリゲーション層２２５に送るように構成され得る。いくつかの実装形態では、フェムトセルのアグリゲーション層２０５がアグリゲーションセッションの持続時間だけ、他のデータパケットがフェムトセル１１５およびモデム／ルータ１３０からモバイルデバイス１２０に送信されるのを妨害するように構成され得るとき。この妨害は、いくつかの実装形態ではモバイルデバイス１２０および／またはフェムトセル１１５によって自動的に扱われてよく、このようにアグリゲーション層は妨害機能性を実装する必要がなくてもよい。
【０１１７】
[0140]モバイルデバイス１２０は次いで、ＬＴＥインターフェース２３０を介してフェムトセル１１５から第１セットのデータパケットを受信することができる（段階１３１０）。フェムトセル１１５は、フェムトセル１１５のＬＴＥインターフェース２１５を介してモバイルデバイス１２０に送信されるべきアグリゲートデータストリームのデータパケットの第１の部分を選択するように構成され得る。モバイルデバイス１１５はこれらのデータパケットをＬＴＥインターフェース２３０を介して受信するように構成されてよく、ＬＴＥインターフェース２３０は、受信したデータパケットをモバイルデバイスのアグリゲーション層２２５に提供するように構成されてよい。
【０１１８】
[0141]モバイルデバイス１２０は次いで、ＷｉＦｉインターフェース２３５を介してフェムトセル１１５からデータパケットの第２のセットを受信することができる（段階１３１５）。フェムトセル１１５は、モデム／ルータ１３０のＷｉＦｉインターフェース２４５を介してモバイルデバイス１２０に送信されるべきアグリゲートデータストリームのデータパケットの第２の部分を選択するように、およびアグリゲートデータストリームのデータパケットの第２の部分をモデム／ルータ１３０にルーティングするように構成され得る。モデム／ルータ１３０は次いで、パケットの第２の部分をＷｉＦｉインターフェース２４５を介してモバイルデバイス１２０に送信することができる。
【０１１９】
[0142]モバイルデバイス１２０は次いで、フェムトセル１１５とモバイルデバイス１２０との間のアグリゲートデータセッションの終了を示す信号を、フェムトセル１１５から随意に受信することができる（段階１３２０）。いくつかの実装形態では、フェムトセル１１５のアグリゲーション層２０５は、データストリームを関連付けたデータが送信済みであることと、フェムトセル１１５とモバイルデバイス１２０との間のアグリゲートデータセッションが終了していることとをシグナリングするための信号を、モバイルデバイス１２０のアグリゲーション層２２５に送るように構成され得る。
【０１２０】
[0143]モバイルデバイス１２０は次いで、データパケットの第１のセットおよびデータパケットの第２のセットからのデータパケットストリームを、それぞれＷｉＦｉおよびＬＴＥ、接続を介して送信される第１および第２の部分に元々分割されていたデータストリームを再アセンブルするようにアグリゲートすることができる（段階１３２５）。モバイルデバイス１２０のアグリゲーション層２２５は、アグリゲートデータセッションが完了しているという信号をフェムトセルから受信したことに応答して、フェムトセル１１５から受信されたデータパケットの第１および第２の部分をアグリゲートするように構成され得る。いくつかの実装形態では、アグリゲーション層２２５は、ＷｉＦｉインターフェース２３５およびＬＴＥインターフェース２３０を介して受信されたパケットからの元のデータストリームを、データパケットが受信されたときに再アセンブルし始めるように構成され得る。いくつかの実装形態では、データパケットは、元のデータストリーム中でのパケットの相対的位置を示すパケットシーケンス番号を含むことができ、アグリゲーション層はパケットシーケンス番号を、パケットがアグリゲートデータストリーム中でどこに属すか決定するのに使うことができる。アグリゲーション層２０５は、アグリゲートデータストリームを、モバイルデバイス１２０上のデータストリーム消費側に与えるように構成され得る。アグリゲーション層２０５は、データストリーム消費側に無中断データストリームを与えることを試みるために、アグリゲートデータストリームをデータストリーム消費側に与える前に、アグリゲートデータストリームの少なくとも一部分をモバイルデバイス１２０のメモリにバッファリングする構成され得る。アグリゲーション層２０５によって使われるバッファのサイズは、ＷｉＦｉおよびＬＴＥ接続によって与えられるデータレートに依存してよく、ＷｉＦｉおよびＬＴＥ接続がより低いデータを与える場合、より小さいバッファが求められる場合があり、ＷｉＦｉおよび／またはＬＴＥ接続がより高いデータレートを与える場合は、より大きいバッファが求められる場合がある。アグリゲーション層２０５は、ＬＴＥおよびＷｉＦｉ接続を介したチャネル条件に少なくとも部分的に基づいて、バッファのサイズを決定するように構成され得る。
【０１２１】
[0144]図１４は、本明細書で開示する技法を実装するのに使われ得るモバイルデバイスにおいて、アップストリームトラフィックをアグリゲートするための例示的プロセスの流れ図である。図１４に示されるプロセスはモバイルデバイス１２０によって実装され得る。
【０１２２】
[0145]データパケットのストリームがモバイルデバイス１２０によって、リモートネットワークエンティティへの送信のために受信され得る（段階１４０５）。たとえば、モバイルデバイス１２０のアグリゲーション層２２５は、モバイルデバイス１２０上で稼動するアプリケーションからデータパケットのストリームを受信するように構成され得る。データスチームは、サーバ１２５や別のモバイルデバイス１２０などのリモートネットワーク可能エンティティに向けられ得る。
【０１２３】
[0146]モバイルデバイス１２０からデータパケットを送るための送信モードが選択され得る（段階１４１０）。モバイルデバイス１２０のアグリゲーション層２２５は、データストリームのデータパケットをフェムトセル１１５に送信するために使うべき送信モードを選択するように構成されてよく、フェムトセル１１５は次いで、データストリームを、データストリームの予定受信側にルーティングすればよい。たとえば、図２に示す例示的実装形態において、モバイルデバイス１２０はＬＴＥインターフェース２３０とＷｉＦｉインターフェース２３５の両方を含む。モバイルデバイス１２０のアグリゲーション層２２５は、データパケットストリームからのデータパケットをモバイルデバイスのＬＴＥインターフェース２３０を介してフェムトセル１１５に送信するかどうかを決定するように、データパケットストリームからのデータパケットを、データパケットをルータ／モデム１３０に送るのにモバイルデバイス１２０のＷｉＦｉインターフェース２３５を使ってモデム／ルータ１３０を介してフェムトセル１１５に送るように、またはデータパケットストリームからのデータパケットの第１の部分を、モバイルデバイスのＬＴＥインターフェース２３０を使ってフェムトセル１１５に送信するように、およびデータパケットストリームからのデータパケットの第２の部分を、データパケットをルータ／モデム１３０に送るのにモバイルデバイス１２０のＷｉＦｉインターフェース２３５を使ってモデム／ルータ１３０を介してフェムトセル１１５に送るように構成され得る。
【０１２４】
[0147]データパケットは次いで、選択された送信モードに従って送られ得る（段階１４１５）。モバイルデバイス１２０のアグリゲーション層２２５は、選択されたアグリゲーション方法に従って、データパケットをフェムトセル１１５に送るように構成され得る。アグリゲートデータストリームがＷｉＦｉおよびＬＴＥ接続の両方を介して送信されるべきである場合、モバイルデバイス１２０のアグリゲーション層２２５は、アグリゲーションセッションの開始ことを示すための信号を、フェムトセル１１５のアグリゲーション層２０５に送るように構成され得る。
【０１２５】
[0148]図１５は、本明細書で開示する技法を実装するのに使われ得る、モバイルデバイス１２０において送信モードを選択するための例示的プロセスの流れ図である。図１５に示すプロセスは、図１４に示すプロセスの段階１４１０を実装する使われ得る。図１５に示されるプロセスはモバイルデバイス１２０によって実装され得る。
【０１２６】
[0149]フェムトセル１１５は、ＷｉＦｉおよび／またはＬＴＥアップリンクチャネルのチャネル特性を決定するように構成され得る（段階１５０５）。たとえば、モバイルデバイス１２０のアグリゲーション層２２５は、フェムトセル１１５に対してアップリンクチャネル条件情報を要求するように構成され得る。モバイルデバイス１２０のアグリゲーション層２２５はチャネル条件情報を、ＬＴＥアップリンクチャネルについてフェムトセル１１５から、および／またはＷｉＦｉダウンリンクチャネルについてモデム／ルータ１３０から、定期的に受信するようにも構成され得る。
【０１２７】
[0150]モバイルデバイス１２０は、ＷｉＦｉおよびＬＴＥアップリンクチャネルに現時点で関連付けられたデータ負荷を決定するようにも構成され得る（段階１５１０）。モバイルデバイス１２０のアグリゲーション層２２５は、どのようなデータがＷｉＦｉおよびＬＴＥアップリンクチャネルを介してモバイルデバイスにルーティングされているかを追跡するように構成され得る。フェムトセル１１５および／またはモデム／ルータ１３０は、モバイルデバイス１２０に負荷情報を定期的に提供するようにも構成され得る。
【０１２８】
[0151]チャネルのチャネル特性および／またはローディングに少なくとも部分的に基づいて、送信モードが選択され得る（段階１５１５）。モバイルデバイス１２０のアグリゲーション層２２５は、チャネルのチャネル特性および／またはローディングに基づいて、どの送信モードを使うべきかを選択するように構成され得る。アグリゲーション層２２５は、モバイルデバイス１２０に関連付けられたＱｏＳ、モバイルデバイス１２０に送信されるべきデータストリーム、ならびに／あるいはモバイルデバイス１２０に送信されるべき他のデータに関連付けられたＱｏＳ、および／またはフェムトセル１１５ならびに／あるいはモデム／ルータ１３０に接続されている別のモバイルデバイスに関連付けられたＱｏＳなど、他の要因を考慮に入れるようにも構成され得る。
【０１２９】
[0152]図１６は、本明細書で開示する技法を実装するのに使われ得る、モバイルデバイス１２０からフェムトセル１１５にアップリンクデータパケットを送るための例示的プロセスの流れ図である。図１６に示すプロセスは、図１４に示すプロセスの段階１４１５を実装するのに使われ得る。図１６に示されるプロセスはモバイルデバイス１２０によって実装され得る。
【０１３０】
[0153]アグリゲート送信モードが選択されたかどうかについて、決定が行われ得る（段階１６０５）。モバイルデバイス１２０のアグリゲーション層２２５は、モバイルデバイス１２０からフェムトセル１１５にアップリンクデータストリームを送るために使われるべき送信モードを決定することができる。アグリゲーション層２２５によってアグリゲート送信モードが選択された場合、アップリンクデータストリームからのデータパケットは、ＬＴＥおよびＷｉＦｉチャネルの両方を介してフェムトセル１１５に送信され得る。
【０１３１】
[0154]ハイブリッド／アグリゲート送信モードが選択された場合、フェムトセル１１５に送信されるべきパケットの第１の部分が、モデム／ルータ１３０を介してフェムトセル１１５に送信されるように選択されてよい（段階１６１０）。モバイルデバイス１２０に送信されるべきパケットの第２の部分が、モバイルデバイス１２０のＬＴＥインターフェース２３０を介してモバイルデバイス１２０に送信されるように選択されてよい（段階１６１５）。
【０１３２】
[0155]データパケットの第１の部分は、モバイルデバイス１２０のＷｉＦｉインターフェース２３５を介してモデム／ルータ１３０送信され得る（段階１６２０）。アグリゲーション層２２５は、データパケットの宛先ＩＰアドレスを、パケットを受信するように指定されたリモートネットワークエンティティに関連付けられたＩＰアドレスに設定すればよい。モデム／ルータ１３０は、ＷｉＦｉインターフェース２４５を介してデータパケットの第１の部分を受信し、イーサネットインターフェース２４０を介してパケットをフェムトセル１１５にルーティングすることができる。
【０１３３】
[0156]データパケットの第２の部分は、モバイルデバイスのＬＴＥインターフェース２３０を使ってフェムトセル１１５に送信され得る（段階１６２５）。モバイルデバイス１２０のアグリゲーション層２２５は、データパケットの第２の部分を、モバイルデバイス１２０のＬＴＥインターフェース２３０を介してフェムトセル１１５に送るように構成され得る。
【０１３４】
[0157]ハイブリッド／アグリゲート送信モードが選択されなかった場合、ＷｉＦｉオンリー送信モードが選択されているかどうかという決定が行われ得る（段階１６３０）。ＷｉＦｉオンリー送信モードが選択されている場合、モバイルデバイス１２０のアグリゲーション層２２５はデータストリームのデータパケットを、フェムトセル１１５にルーティングするために、ＷｉＦｉインターフェース２３５を介してモデム／ルータ１３０に送信するように構成され得る（段階１６３５）。
【０１３５】
[0158]ハイブリッド／アグリゲート送信モードもＷｉＦｉオンリーモードもそのどちらも選択されなかった場合、モバイルデバイス１２０のアグリゲーション層２２５はデータストリームからのデータパケットを、モバイルデバイス１２０のＬＴＥインターフェース２３０を介してフェムトセル１１５に送信するように構成されてよい（段階１６４０）。パケットのソースＩＰアドレスは、モバイルデバイス１２０のＬＴＥインターフェース２３０に関連付けられたＩＰアドレスに設定されてよく、パケットの宛先ＩＰアドレスは、パケットがフェムトセル１１５によって最終的にルーティングされることになるリモートネットワークエンティティのＩＰアドレスに設定されてよい。
【０１３６】
[0159]図１７は、本明細書で開示する技法を実装するのに使われ得る、データパケットがフェムトセル１１５とモバイルデバイス１２０との間のＷｉＦｉおよびＬＴＥインターフェースを介して送信される場合にモバイルデバイス１２０からアップリンク上でフェムトセル１１５においてデータパケットを受信するための例示的プロセスの流れ図である。図１７に示されるプロセスはフェムトセル１１５によって実装され得る。
【０１３７】
[0160]フェムトセル１１５のアグリゲーション層２０５およびモバイルデバイス１２０のアグリゲーション層２２５は、フェムトセル１２０とモバイルデバイス１２０との間のＬＴＥインターフェースを介して、またはモバイルデバイス１２０とモデム／ルータ１３０との間のＷｉＦｉインターフェースを介して、アグリゲーション情報を交換するように構成され得る。交換されるアグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。フェムトセルのアグリゲーション層２０５およびモバイルデバイス１２０のアグリゲーション層２２５は、フェムトセル１１５および／またはモバイルデバイス１２０が電源投入されるといつでもアグリゲーション情報の交換が起こり得るように構成され得る。フェムトセルのアグリゲーション層２０５およびモバイルデバイス１２０のアグリゲーション層２２５は、モバイルデバイス１２０もしくはフェムトセル１１５に新たなＩＰアドレスもしくはモバイルデバイス１２０のＩＰアドレスが割り当てられるか、またはフェムトセル１１５が更新されたときにも常にアグリゲーション情報の交換が得るように構成され得る。フェムトセルのアグリゲーション層２０５およびモバイルデバイス１２０のアグリゲーション層２２５は、デバイスの間でアグリゲーションセッションが確立される度にアグリゲーション情報の交換が起こるとは限らないように構成され得る。その代わりに、フェムトセル１１５およびモバイルデバイス１２０のそれぞれのアグリゲーション層は、デバイスにＩＰアドレスが割り当てられるか、あるいは更新されたＩＰアドレス、ポート情報に対する変化、および／またはアグリゲーション情報に対する他の変化を受信するなど、アグリゲーション情報が変化するイベントに応答して、アグリゲーション情報を他方のデバイスと交換するように構成され得る。
【０１３８】
[0161]フェムトセル１１５は、モバイルデバイス１２０とフェムトセル１１５との間のアグリゲートデータセッションの開始を示す信号をモバイルデバイス１２０から受信し得る（段階１７０５）。モバイルデバイス１２０のアグリゲーション層２２５は、データストリームがモバイルデバイス１２０とフェムトセル１１５との間のＷｉＦｉおよびＬＴＥ接続を介してフェムトセル１１５にこれから送られることをシグナリングするための信号を、フェムトセル１１５のアグリゲーション層２０５に送るように構成され得る。いくつかの実装形態では、他のデータパケットがフェムトセル１１５およびモデム／ルータ１３０にモバイルデバイス１２０に送信されるのを、フェムトセルのアグリゲーション層２０５がアグリゲーションセッションの持続時間だけ妨害するように構成され得るとき。
【０１３９】
[0162]フェムトセル１１５は次いで、モデム／ルータ１３０を介してモバイルデバイス１２０からデータパケットの第１のセットを受信することができる（段階１７１０）。モバイルデバイス１２０のアグリゲーション層２２５は、モバイルデバイス１２０のＷｉＦｉインターフェース２３５を介してフェムトセル１１５に送信されるべきデータパケットの第１の部分を選択するように構成され得る。パケットの第１の部分はモデム／ルータ１３０に送信され、モデム／ルータ１３０は次いで受信パケットをモデム／ルータ１３０とフェムトセル１１５との間のイーサネット接続を介してフェムトセル１１５にルーティングすればよい。
【０１４０】
[0163]フェムトセル１１５は次いで、ＬＴＥインターフェース２１５を介してモバイルデバイス１２０からデータパケットの第２の部分を受信することができる（段階１７１５）。モバイルデバイス１２０のアグリゲーション層２２５は、モバイルデバイス１２０のＬＴＥインターフェース２３０を介してフェムトセル１１５に送信されるべきアグリゲートデータストリームのデータパケットの第１の部分を選択するように構成され得る。フェムトセル１１５は、これらのデータパケットをＬＴＥインターフェース２１５を介して受信するように構成されてよく、ＬＴＥインターフェース２１５は、受信したデータパケットをフェムトセル１１５のアグリゲーション層２０５に提供するように構成されてよい。
【０１４１】
[0164]フェムトセル１１５は次いで、フェムトセル１１５とモバイルデバイス１２０との間のアグリゲートデータセッションの終了を示す信号を、モバイルデバイス１２０から受信することができる（段階１７１５）。モバイルデバイス１２０のアグリゲーション層２２５は、データストリームを関連付けたデータが送信済みであることと、フェムトセル１１５とモバイルデバイス１２０との間のアグリゲートデータセッションが終了していることとをシグナリングするための信号を、フェムトセル１１５のアグリゲーション層２０５に送るように構成され得る。
【０１４２】
[0165]フェムトセル１１５は次いで、データパケットの第１のセットおよびデータパケットの第２のセットからのデータパケットストリームを、それぞれＷｉＦｉおよびＬＴＥ、接続を介して送信される第１および第２の部分に元々分割されていたデータストリームを再アセンブルするようにアグリゲートすることができる（段階１７２０）。フェムトセル１１５のアグリゲーション層２０５は、アグリゲートデータセッションが完了しているという信号をフェムトセルから受信したことに応答して、モバイルデバイス１２０から受信されたデータパケットの第１および第２の部分をアグリゲートするように構成され得る。いくつかの実装形態では、アグリゲーション層２０５は、モデム／ルータ１３０およびＬＴＥインターフェース２１５から受信されたパケットからの元のデータストリームを、データパケットが受信されたときに再アセンブルし始めるように構成され得る。いくつかの実装形態では、データパケットは、元のデータストリーム中でのパケットの相対的位置を示すパケットシーケンス番号を含むことができ、アグリゲーション層は、パケットシーケンス番号を、パケットがアグリゲートデータストリーム中どこに属すか決定するのに使うことができる。アグリゲーション層２０５は、アグリゲートデータストリームをセキュアサーバ１５０に送るように構成されてよく、サーバ１５０は、データストリームを、サーバ１２５などのリモートネットワークエンティティに、または別のモバイルデバイス１２０にさえも送ることができる。別のモバイルデバイス１２０は、フェムトセルおよび／またはモデム／ルータ１３０に接続されてもよく、別の基地局またはワイヤレスアクセスポイントに関連付けられてもよい。いくつかの実装形態では、アグリゲーション層２０５は、データストリームをリモートネットワークエンティティにストリーミングする前に、アグリゲートデータストリームの少なくとも一部分をフェムトセル１１５のメモリにバッファリングするように構成され得る。アグリゲーション層２０５によって使われるバッファのサイズはＷｉＦｉおよびＬＴＥ接続によって与えられるデータレートに依存してよく、ＷｉＦｉおよびＬＴＥ接続がより高いデータを与える場合、より小さいバッファが求められる場合があり、ＷｉＦｉおよび／またはＬＴＥ接続がより低いデータレートを与える場合は、より大きいバッファが求められる場合がある。アグリゲーション層２０５は、ＬＴＥおよびＷｉＦｉ接続を介したチャネル条件に少なくとも部分的に基づいて、バッファのサイズを決定するように構成され得る。
【０１４３】
[0166]アグリゲートされたデータストリームは次いで、予定受信側にフォワードされ得る（段階１７２５）。いくつかの実装形態では、フェムトセル１１５は、アグリゲートデータストリームをサーバゲートウェイ１５０にフォワードするように構成されてよく、ゲートウェイ１５０は、データストリームを、サーバ１２５などの別のリモートネットワークエンティティに、または別のモバイルデバイス１２０にフォワードすればよい（段階１７３０）。
【０１４４】
[0167]図１８は、本明細書で開示する技法を実装するのに使われ得る、モデム／ルータ１３０においてモバイルデバイス１２０から受信されたパケットを、フェムトセル１１５にルーティングするための例示的プロセスの流れ図である。図１８に示されるプロセスはモデムルータ１３０によって実装され得る。プロセスでは始めに、データストリームに関連付けられたデータパケットの第１の部分を、モデム／ルータ１３０のＷｉＦｉインターフェース２４５を介してモバイルデバイス１２０から受信する（段階１８０５）。モデム／ルータ１３０は、パケットをフェムトセル１１５にルーティングするように構成され得る（段階１８１０）。モデム／ルータ１３０は、イーサネットインターフェース２４０を介してパケットをフェムトセル１１５にルーティングするように構成され得る。図９に示すカプセル化技法が実装されている場合、モバイルデバイスからアップリンク上で受信されたデータパケットは、それらの宛先ＭＡＣフィールド９０５を、モデム／ルータ１３０のＷｉＦｉインターフェース２４５のＭＡＣアドレスおよび宛先ＩＰアドレスフィールドに設定させればよい。他の実装形態では、カプセル化技法が使われていない場合、図８に示すものと同様のフレームフォーマットが使われてよく、宛先ＭＡＣアドレスフィールド８１０はフェムトセル１１５のＭＡＣアドレスに設定されてよく、ファイルされたソースＭＡＣアドレス８１５は、ＵＥ  ＬＴＥインターフェースに関連付けられたＭＡＣアドレスに設定されてよい。
【０１４５】
[0168]図２０は、本明細書で開示する技法を実装するのに使われ得る、アグリゲーション層の発見および構成のためのモバイルデバイス開始プロセスの例の流れ図である。図２０に示される方法はモバイルデバイス１２０によって実装され得る。
【０１４６】
[0169]モバイルデバイス１２０は、モバイルデバイス１２０のアグリゲーション層２２５およびフェムトセル１１５のアグリゲーション層２０５向けの発見および構成プロセスを開始するように構成され得る。モバイルデバイス１２０は、モバイルデバイス１２０とフェムトセル１１５との間でＬＴＥ接続が確立されたことに応答して、発見および構成プロセスを開始するように構成され得る。ＬＴＥ接続は、モバイルデバイス１２０がフェムトセル１１５のカバレージエリアに入ったときに確立されてよく、マクロセル基地局または別のフェムトセル１１５からのハンドオフに関連付けられてよい。モバイルデバイス１２０は、モバイルデバイス１２０がリブートされた場合、発見および構成プロセスを開始するようにも構成され得る。モバイルデバイス１２０は、モバイルデバイス１２０のＬＴＥインターフェース１２０および／またはＷｉＦｉインターフェース２３５に関連付けられたＩＰアドレスなど、１つまたは複数の通信パラメータが割り当てられるか、または更新された場合、発見および構成プロセスを開始するようにも構成され得る。
【０１４７】
[0170]発見および構成プロセスでは始めに、モバイルデバイス１２０がフェムトセル１１５にアグリゲーション発見メッセージを送る（段階２００５）。アグリゲーション発見メッセージは、フェムトセル１１５が本明細書で開示するアグリゲーション技法をサポートするように構成されるかどうか決定するために、およびフェムトセル１１５のアグリゲーション層２０５とモバイルデバイス１２０のアグリゲーション層２２５とを構成するために、フェムトセル１１５に送られ得る。アグリゲーション発見メッセージは、モバイルデバイス１２０とフェムトセル１１５との間のＬＴＥ接続を介して送信され得る。アグリゲーション発見メッセージは、フェムトセル１１５が本明細書で開示するアグリゲーション技法をサポートするように構成されているかどうかを識別するための、フェムトセル１１５に対する情報についての要求を備え得る。アグリゲーション発見メッセージは、モバイルデバイス１２０によってサポートされるアグリゲーションプロトコルの１つのバージョンまたは複数のバージョンなどの情報を含み得る。アグリゲーション発見メッセージは、モバイルデバイスのアグリゲーション層２２５によって生成され得る。いくつかの実装形態では、フェムトセル１１５が本明細書で開示するデータアグリゲーション技法をサポートしない場合、モバイルデバイス１２０はアグリゲーション発見メッセージに対する応答を受信することができない。アグリゲーション層２２５は、フェムトセル１１５がアグリゲーションをサポートするように構成されていないと決定する前に、アグリゲーション発見メッセージを所定の回数だけ再送するように構成され得る。アグリゲーション層２２５はまた、アグリゲーション発見メッセージを再送するか、またはフェムトセル１１５がアグリゲーション発見メッセージに対して応答する予定がないという決定を行う前に、タイムアウト期間が経過するのを待つ構成され得る。
【０１４８】
[0171]モバイルデバイス１２０は次いで、フェムトセル１１５に送られたアグリゲーション発見メッセージに応答して、フェムトセル１１５からアグリゲーション発見応答を受信することができる（段階２０１０）。アグリゲーション発見応答は、ＬＴＥインターフェース２３０を介してモバイルデバイス１２０によって受信され得る。アグリゲーション発見応答は、フェムトセル１１５によってサポートされるアグリゲーションプロトコルの１つのバージョンまたは複数のバージョンなどの情報を含み得る。アグリゲーション発見応答は、フェムトセル１１５とモバイルデバイス１２０との間の通信に使われるべきアグリゲーションプロトコルのバージョンを選択することもできる。他の実装形態では、モバイルデバイス１２０とフェムトセル１１５の両方によってサポートされるアグリゲーションプロトコルの最も高いバージョン番号が、フェムトセル１１５とのアグリゲーションセッション通信とともに使用するために、モバイルデバイス１２０のアグリゲーション層２２５によって選択され得る。
【０１４９】
[0172]モバイルデバイス１２０は次いで、フェムトセル１１５にアグリゲーション情報を送信すればよい（段階２０１５）。モバイルデバイス１２０は、モバイルデバイス１２０とフェムトセル１１５との間のＬＴＥ接続を介して、フェムトセル１１５にアグリゲーション情報を送信することができる。アグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５に送信されるアグリゲーション情報は、モバイルデバイス１２０のＷｉＦｉインターフェース２３５のＭＡＣアドレスおよび／またはＩＰアドレスを含み得る。
【０１５０】
[0173]モバイルデバイス１２０は、フェムトセル１１５からアグリゲーション情報を受信することもできる（段階２０２０）。フェムトセル１１５から受信されたアグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５から受信されたアグリゲーション情報は、モデム／ルータ１３０のＷｉＦｉインターフェース２４５のＭＡＣアドレスおよび／またはＩＰアドレス、ならびに／あるいはモバイルデバイス１２０のアグリゲーション層２２５がアグリゲートデータストリームを送り、および／または受信するのに使うことができる他の情報を含み得る。フェムトセル１１５から受信されたアグリゲーション情報は、アグリゲーションポリシー情報も含み得る。アグリゲーションポリシー情報は、フェムトセル１１５にデータを送るための送信モードを選択するとき、モバイルデバイス１２０のアグリゲーション層２２５によって使われ得る。たとえば、アグリゲーションポリシーは、ある特定のタイプのデータストリームが特定の送信モードを使って送信されるべきであること、またはアグリゲーションがある特定のタイプのデータストリームとともに使われなくてよいことを示し得る。
【０１５１】
[0174]モバイルデバイス１２０とフェムトセル１１５との間のＷｉＦｉ接続性もテストされ得る（段階２０２５）。モバイルデバイス１２０は、ＷｉＦｉインターフェースを介した、モバイルデバイス１２０とフェムトセル１１５との間の接続性があるかどうか決定するためのテストメッセージを、フェムトセル１１５のアグリゲーション層２０５に送るように構成され得る。モバイルデバイス１２０は、ＷｉＦｉインターフェース２３５を使ってテストメッセージをモデム／ルータ１３０に送信すればよく、モデム／ルータ１３０は、テストメッセージをフェムトセル１１５にルーティングすればよい。フェムトセル１１５のアグリゲーション層２０５は、フェムトセル１１５がモバイルデバイス１２０からテストメッセージを受信したことに応答して、モバイルデバイス１２０のアグリゲーション層２２５にテストメッセージ応答を送るように構成され得る。アグリゲーション層２０５は、テストメッセージ応答をイーサネットインターフェース２１０を介してモバイルデバイス１２０に送るように構成されてよく、モデム／ルータ１３０は次いでテストメッセージ応答を、ＷｉＦｉインターフェース２４５を介してモバイルデバイス１２０に送信すればよい。いくつかの実装形態では、モバイルデバイス１２０は、ＷｉＦｉ接続を介して送られたメッセージがモバイルデバイス１２０によって受信されない場合、ＬＴＥインターフェース２１５を介してモバイルデバイス１２０にテストメッセージ応答を送ることもでき、モバイルデバイス１２０のアグリゲーション層２２５は、テストメッセージがフェムトセル１１５によって受信されたが、フェムトセル１１５によって送られた応答がモバイルデバイス１２０に一度も届かなかったことを識別することができる。発見および構成プロセスの一部としてＷｉＦｉ接続性をテストすることは、モデム／ルータ１３０がブリッジ機能性をサポートし得るかどうかの決定を行うことも含み得る。モバイルデバイス１２０のアグリゲーション層２２５は、モデム／ルータ１３０がブリッジ機能性をサポートするように構成されているかどうか決定するために、フェムトセル１１５およびモバイルデバイス１２０に関連付けられたＩＰサブネットマスクおよび／またはＩＰアドレスを調べることによって、モデム／ルータ１３０がブリッジ機能性をサポートするように構成されているかどうか決定するように構成され得る。
【０１５２】
[0175]モバイルデバイス１２０のアグリゲーション層２２５は次いで、フェムトセルから受信されたアグリゲーション情報に基づいて構成され得る（段階２０３０）。アグリゲーション層２２５は、モバイルデバイス１２０とフェムトセル１１５との間の接続性が検証済みである場合、データアグリゲーションを可能にするように構成され得る。アグリゲーション層２２５は、その中に含まれるどのアグリゲーションポリシー情報も含むフェムトセル１１５から受信されたアグリゲーション情報を、本明細書で開示する様々な技法で説明したように、アップリンクデータに使うべき送信モードを決定するのに使うように構成され得る。いくつかの実装形態では、モバイルデバイス１２０のアグリゲーション層２２５は、モデム／ルータ１３０のカバレージエリア中にあるとき、ＷｉＦｉ接続の自動選択を無効にするように構成され得る。いくつかのモバイルデバイス１２０は、ワイヤレスローカルアクセスネットワーク（ＷＬＡＮ）接続性が利用可能であるとき、モデム／ルータ１３０などのＷｉＦｉアクセスポイントに自動的に接続するように、およびＬＴＥまたは他のＷＷＡＮ接続性をオフに切り替えるように構成され得る。いくつかのモバイルデバイスは、ＷｉＦｉがＬＴＥネットワークまたは他のＷＷＬＡＮ上でのデータ使用を削減するのに利用可能であるとき、ＷｉＦｉオンリー接続性に自動的に切り替えるように構成される。モバイルデバイス１２０のアグリゲーション層２２５は、モデム／ルータ１３０がブリッジ機能性をサポートする場合は、アグリゲーションセッション中にフェムトセル１１５にアップリンクデータを送るときの図８に示す非カプセル化手法を、またはモデム／ルータ１３０がブリッジ機能性をサポートしない場合は、図９に示すカプセル化手法を選択することのいずれかを選択するようにも構成され得る（段階２０２５において決定されるように）。
【０１５３】
[0176]図２１は、本明細書で開示する技法を実装するのに使われ得る、アグリゲーション層の発見および構成のためのモバイルデバイス開始プロセスの例の流れ図である。図２１に示される方法はフェムトセル１１５によって実装され得る。
【０１５４】
[0177]フェムトセル１１５は、モバイルデバイス１２０からアグリゲーション発見メッセージを受信することができる（段階２１０５）。フェムトセル１１５はアグリゲーション発見メッセージを、ＬＴＥインターフェース２１５を介してモバイルデバイス１２０から受信することができる。アグリゲーション発見メッセージは、フェムトセル１１５が本明細書で開示するアグリゲーション技法をサポートするように構成されているかどうかを識別するための、フェムトセル１１５に対する情報についての要求を備え得る。アグリゲーション発見メッセージは、モバイルデバイス１２０によってサポートされるアグリゲーションプロトコルの１つのバージョンまたは複数のバージョンなどの情報を含み得る。
【０１５５】
[0178]フェムトセル１１５は、アグリゲーション発見要求を受信したことに応答して、モバイルデバイス１２０にアグリゲーション発見応答を送ればよい（段階２１１０）。フェムトセル１１５はアグリゲーション発見応答を、ＬＴＥインターフェース２１５を介してモバイルデバイス１２０に送るように構成され得る。アグリゲーション発見応答は、フェムトセル１１５によってサポートされるアグリゲーションプロトコルの１つのバージョンまたは複数のバージョンなどの情報を含み得る。アグリゲーション発見応答は、フェムトセル１１５とモバイルデバイス１２０との間の通信に使われるべきアグリゲーションプロトコルのバージョンを選択することもできる。たとえば、フェムトセルのアグリゲーション層２０５は、モバイルデバイス１２０とフェムトセル１１５の両方によってサポートされるアグリゲーションプロトコルの最も高いバージョン番号を、モバイルデバイス１２０とのアグリゲーションセッションとともに使用するために選択するように構成され得る。
【０１５６】
[0179]フェムトセル１１５は、モバイルデバイス１２０からアグリゲーション情報を受信することができる（段階２１１５）。フェムトセル１１５は、モバイルデバイス１２０とフェムトセル１１５との間のＬＴＥ接続を介して、モバイルデバイス１２０からアグリゲーション情報を受信することができる。アグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５によって受信されるアグリゲーション情報は、モバイルデバイス１２０のＷｉＦｉインターフェース２３５のＭＡＣアドレスおよび／またはＩＰアドレスを含み得る。
【０１５７】
[0180]フェムトセル１１５は、モバイルデバイス１２０にアグリゲーション情報を送ることもできる（段階２１２０）。フェムトセル１１５から受信されたアグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５から受信されたアグリゲーション情報は、モデム／ルータ１３０のＷｉＦｉインターフェース２４５のＭＡＣアドレスおよび／またはＩＰアドレス、ならびに／あるいはモバイルデバイス１２０のアグリゲーション層２２５がアグリゲートデータストリームを送り、および／または受信するのに使うことができる他の情報を含み得る。フェムトセル１１５から受信されたアグリゲーション情報は、アグリゲーションポリシー情報も含み得る。アグリゲーションポリシー情報は、フェムトセル１１５にデータを送るための送信モードを選択するとき、モバイルデバイス１２０のアグリゲーション層２２５によって使われ得る。たとえば、アグリゲーションポリシーは、ある特定のタイプのデータストリームが特定の送信モードを使って送信されるべきであること、またはアグリゲーションがある特定のタイプのデータストリームとともに使われなくてよいことを示し得る。
【０１５８】
[0181]フェムトセル１１５は、モバイルデバイス１２０とのＷｉＦｉ接続性をテストするように構成され得る（段階２１２５）。いくつかの実装形態では、モバイルデバイス１２０のアグリゲーション層２２５は、フェムトセル１１５にテストメッセージを送るように構成されてよく、フェムトセル１１５のアグリゲーション層２０５はテストメッセージに応答するように構成されてよい。他の実装形態では、フェムトセル１１５のアグリゲーション層２０５は、モバイルデバイス１２０にテストメッセージを送るように構成されてよく、モバイルデバイス１２０のアグリゲーション層２２５はテストメッセージに応答するように構成されてよい。フェムトセル１１５とモバイルデバイス１２０との間のメッセージの交換は、２つのデバイスの間のＷｉＦｉ接続性が確立済みであるかどうか決定するのに使われ得る。いくつかの実装形態では、フェムトセル１１５は、そこではフェムトセル１１５とモバイルデバイス１２０との間のＷｉＦｉ接続を確立することが問題場合、ＷｉＦｉ接続性に伴う問題の診断を円滑にするために、テストメッセージおよび／または応答を、ＷｉＦｉ接続を介して送るのに加え、テストメッセージおよび／またはテストメッセージ応答を、ＬＴＥインターフェース２１５を介してモバイルデバイス１２０に送るように構成され得る。発見および構成プロセスの一部としてＷｉＦｉ接続性をテストすることは、モデム／ルータ１３０がブリッジ機能性をサポートし得るかどうかの決定を行うことも含み得る。フェムトセル１１５のアグリゲーション層２０５は、モデム／ルータ１３０がブリッジ機能性をサポートするように構成されているかどうか決定するために、フェムトセル１１５およびモバイルデバイス１２０に関連付けられたＩＰサブネットマスクおよび／またはＩＰアドレスを調べることによって、モデム／ルータ１３０がブリッジ機能性をサポートするように構成されているかどうか決定するように構成され得る。
【０１５９】
[0182]フェムトセル１１５はアグリゲーション層２０５を構成することができる（段階２１３０）。アグリゲーション層２０５は、モバイルデバイス１２０とフェムトセル１１５との間の接続性が検証済みである場合、データアグリゲーションを可能にするように構成され得る。アグリゲーション層２０５は、その中に含まれるどのアグリゲーションポリシー情報も含む、モバイルデバイス１２０と共有されるアグリゲーション情報を、本明細書で開示する様々な技法で説明したように、アップリンクデータに使うべき送信モードを決定するのに使うように構成され得る。アグリゲーション層２０５が構成されると、フェムトセル１１５は、本明細書において論じるアグリゲーション技法のうちの１つまたは複数をモバイルデバイス１２０とともに実行することができる。フェムトセル１１５は、複数のモバイルデバイス１２０と通信するように構成されてよく、本明細書に記載する発見および構成プロセスを、フェムトセル１１５に接続された各モバイルデバイス１２０向けに実施するように構成されてよい。フェムトセル１１５のアグリゲーション層２０５は、モデム／ルータ１３０がブリッジ機能性をサポートする場合は、アグリゲーションセッション中にモバイルデバイス１２０にダウンリンクデータを送るときの図８に示す非カプセル化手法、またはモデム／ルータ１３０がブリッジ機能性をサポートしない場合は、図９に示すカプセル化手法を選択することのいずれかを選択するようにも構成され得る（段階２１２５において決定されるように）。
【０１６０】
[0183]図２２は、本明細書で開示する技法を実装するのに使われ得る、アグリゲーション層の発見および構成のためのフェムトセル開始プロセスの例の流れ図である。図２２に示される方法はフェムトセル１１５によって実装され得る。
【０１６１】
[0184]フェムトセル１１５は、フェムトセル１１５のアグリゲーション層２０５とモバイルデバイスのアグリゲーション層２０５とを構成するための発見および構成プロセスを開始するように構成され得る。フェムトセル１１５は、ＬＴＥ接続がフェムトセル１１５とモバイルデバイス１２０との間で確立されたことに応答して、発見および構成プロセスを開始する構成され得る。ＬＴＥ接続は、モバイルデバイス１２０がフェムトセル１１５のカバレージエリアに入ったときに確立されてよく、マクロセル基地局または別のフェムトセル１１５からのハンドオフに関連付けられてよい。発見および構成プロセスでは始めに、フェムトセル１１５がモバイルデバイス１２０にアグリゲーション発見メッセージを送る。
【０１６２】
[0185]発見および構成プロセスでは始めに、フェムトセル１１５がモバイル１２０にアグリゲーション発見メッセージを送る（段階２２０５）。アグリゲーション発見メッセージは、モバイルデバイス１２０が本明細書で開示するアグリゲーション技法をサポートするように構成されるかどうか決定するために、およびフェムトセル１１５のアグリゲーション層２０５とモバイルデバイス１２０のアグリゲーション層２２５とを構成するために、モバイルデバイス１２０に送られ得る。アグリゲーション発見メッセージは、フェムトセル１１５とモバイルデバイス１２０との間のＬＴＥ接続を介して送信され得る。アグリゲーション発見メッセージは、モバイルデバイス１２０が本明細書で開示するアグリゲーション技法をサポートするように構成されているかどうかを識別するための、モバイルデバイス１２０に対する情報についての要求を備え得る。アグリゲーション発見メッセージは、フェムトセル１１５によってサポートされるアグリゲーションプロトコルの１つのバージョンまたは複数のバージョンなどの情報を含み得る。アグリゲーション発見メッセージは、フェムトセル１１５のアグリゲーション層２０５によって生成され得る。いくつかの実装形態では、モバイルデバイス１２０が、本明細書で開示するデータアグリゲーション技法をサポートしない場合、フェムトセル１１５は、アグリゲーション発見メッセージに対する応答を受信することができない。アグリゲーション層２０５は、モバイルデバイス１２０がアグリゲーションをサポートするように構成されていないと決定する前に、アグリゲーション発見メッセージを所定の回数だけ再送するように構成され得る。アグリゲーション層２０５はまた、アグリゲーション発見メッセージを再送するか、またはモバイルデバイス１２０がアグリゲーション発見メッセージに対して応答する予定がないという決定を行う前に、タイムアウト期間が経過するのを待つ構成され得る。
【０１６３】
[0186]フェムトセル１１５は次いで、モバイルデバイス１２０に送られたアグリゲーション発見メッセージに応答して、モバイルデバイス１２０からアグリゲーション発見応答を受信することができる（段階２２１０）。アグリゲーション発見応答は、ＬＴＥインターフェース２１５を介してフェムトセル１１５によって受信され得る。アグリゲーション発見応答は、モバイルデバイス１２０によってサポートされるアグリゲーションプロトコルの１つのバージョンまたは複数のバージョンなどの情報を含み得る。アグリゲーション発見応答は、フェムトセル１１５とモバイルデバイス１２０との間の通信に使われるべきアグリゲーションプロトコルのバージョンを選択することもできる。他の実装形態では、モバイルデバイス１２０とフェムトセル１１５の両方によってサポートされるアグリゲーションプロトコルの最も高いバージョン番号が、モバイルデバイス１２０とのアグリゲーションセッション通信とともに使用するために、フェムトセル１１５のアグリゲーション層２０５によって選択され得る。
【０１６４】
[0187]フェムトセル１１５は、モバイルデバイス１２０にアグリゲーション情報を送信することができる（段階２２１５）。フェムトセル１１５によって送られるアグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５によって送られるアグリゲーション情報は、モデム／ルータ１３０のＷｉＦｉインターフェース２４５のＭＡＣアドレスおよび／またはＩＰアドレス、ならびに／あるいはモバイルデバイス１２０のアグリゲーション層２２５がアグリゲートデータストリームを送り、および／または受信するのに使うことができる他の情報を含み得る。フェムトセル１１５によって送られる受信されたアグリゲーション情報は、アグリゲーションポリシー情報も含み得る。アグリゲーションポリシー情報は、フェムトセル１１５にデータを送るための送信モードを選択するとき、モバイルデバイス１２０のアグリゲーション層２２５によって使われ得る。たとえば、アグリゲーションポリシーは、ある特定のタイプのデータストリームが特定の送信モードを使って送信されるべきであること、またはアグリゲーションがある特定のタイプのデータストリームとともに使われなくてよいことを示し得る。
【０１６５】
[0188]フェムトセル１１５は、モバイルデバイス１２０からアグリゲーション情報を受信することもできる（段階２２２０）。モバイルデバイス１２０は、モバイルデバイス１２０とフェムトセル１１５との間のＬＴＥ接続を介してフェムトセル１１５にアグリゲーション情報を送信することができる。アグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５に送信されるアグリゲーション情報は、モバイルデバイス１２０のＷｉＦｉインターフェース２３５のＭＡＣアドレスおよび／またはＩＰアドレスを含み得る。
【０１６６】
[0189]フェムトセル１１５とモバイルデバイス１２０との間のＷｉＦｉ接続性がテストされてもよい（段階２２２５）。いくつかの実装形態では、モバイルデバイス１２０のアグリゲーション層２２５は、フェムトセル１１５にテストメッセージを送るように構成されてよく、フェムトセル１１５のアグリゲーション層２０５はテストメッセージに応答するように構成されてよい。他の実装形態では、フェムトセル１１５のアグリゲーション層２０５は、モバイルデバイス１２０にテストメッセージを送るように構成されてよく、モバイルデバイス１２０のアグリゲーション層２２５はテストメッセージに応答するように構成されてよい。フェムトセル１１５とモバイルデバイス１２０との間のメッセージの交換は、２つのデバイスの間のＷｉＦｉ接続性が確立済みであるかどうか決定するのに使われ得る。いくつかの実装形態では、フェムトセル１１５は、そこではフェムトセル１１５とモバイルデバイス１２０との間のＷｉＦｉ接続を確立することが問題場合、ＷｉＦｉ接続性に伴う問題の診断を円滑にするために、テストメッセージおよび／または応答を、ＷｉＦｉ接続を介して送るのに加え、テストメッセージおよび／またはテストメッセージ応答をＬＴＥインターフェース２１５を介してモバイルデバイス１２０に送るように構成され得る。発見および構成プロセスの一部としてＷｉＦｉ接続性をテストすることは、モデム／ルータ１３０がブリッジ機能性をサポートし得るかどうかの決定を行うことも含み得る。フェムトセル１１５のアグリゲーション層２０５は、モデム／ルータ１３０がブリッジ機能性をサポートするように構成されているかどうか決定するために、フェムトセル１１５およびモバイルデバイス１２０に関連付けられたＩＰサブネットマスクおよび／またはＩＰアドレスを調べることによって、モデム／ルータ１３０がブリッジ機能性をサポートするように構成されているかどうか決定するように構成され得る。
【０１６７】
[0190]フェムトセル１１５のアグリゲーション層２０５は次いで、モバイルデバイス１２０から受信されたアグリゲーション情報およびモバイルデバイス１２０に関連付けられたアグリゲーションポリシー情報（あるなら）に基づいて構成され得る（段階２２３０）。アグリゲーション層２０５は、モバイルデバイス１２０とフェムトセル１１５との間の接続性が検証済みである場合、データアグリゲーションを可能にするように構成され得る。アグリゲーション層２０５は、モバイルデバイスから受信されたアグリゲーション情報、ならびにモバイルデバイス１２０に関連付けられたどのアグリゲーションポリシー情報も、本明細書で開示する様々な技法において説明したアップリンクデータ用に使うべき送信モードを決定するのに使うように構成され得る。フェムトセル１１５のアグリゲーション層２０５は、モデム／ルータ１３０がブリッジ機能性をサポートする場合は、アグリゲーションセッション中にモバイルデバイス１２０にダウンリンクデータを送るときの図８に示す非カプセル化手法を、またはモデム／ルータ１３０がブリッジ機能性をサポートしない場合は、図９に示すカプセル化手法を選択することのいずれかを選択するように構成され得る（段階２２２５において決定されるように）。
【０１６８】
[0191]図２３は、本明細書で開示する技法を実装するのに使われ得る、アグリゲーション層の発見および構成のためのフェムトセル開始プロセスの例の流れ図である。図２３に示される方法はモバイルデバイス１２０によって実装され得る。
【０１６９】
[0192]モバイルデバイス１２０は、フェムトセル１１５からアグリゲーション発見メッセージを受信することができる（段階２３０５）。モバイルデバイス１２０はアグリゲーション発見メッセージを、ＬＴＥインターフェース２３０を介してフェムトセル１１５から受信することができる。アグリゲーション発見メッセージは、モバイルデバイス１２０が本明細書で開示するアグリゲーション技法をサポートするように構成されているかどうかを識別するための、モバイルデバイス１２０に対する情報についての要求を備え得る。アグリゲーション発見メッセージは、フェムトセル１１５によってサポートされるアグリゲーションプロトコルの１つのバージョンまたは複数のバージョンなどの情報を含み得る。
【０１７０】
[0193]モバイルデバイス１２０は、アグリゲーション発見要求を受信したことに応答して、フェムトセル１１５にアグリゲーション発見応答を送ればよい（段階２３１０）。モバイルデバイス１２０のアグリゲーション層２２５は、ＬＴＥインターフェース２２５を介してフェムトセル１１５にアグリゲーション発見応答を送るように構成され得る。アグリゲーション発見応答は、モバイルデバイス１２０によってサポートされるアグリゲーションプロトコルの１つのバージョンまたは複数のバージョンなどの情報を含み得る。アグリゲーション発見応答は、フェムトセル１１５とモバイルデバイス１２０との間の通信に使われるべきアグリゲーションプロトコルのバージョンを選択することもできる。たとえば、フェムトセルのアグリゲーション層２２５は、モバイルデバイス１２０とフェムトセル１１５の両方によってサポートされるアグリゲーションプロトコルの最も高いバージョン番号を、フェムトセルとのアグリゲーションセッションとともに使用するために選択するように構成され得る。いくつかの実装形態では、フェムトセル１１５は、モバイルデバイス１２０と通信するときに使うべきアグリゲーションプロトコルのバージョンを選択するように構成され得る。
【０１７１】
[0194]モバイルデバイスは、フェムトセル１１５からアグリゲーション情報を受信することができる（段階２３１５）。モバイルデバイス１２０は、モバイルデバイス１２０とフェムトセル１１５との間のＬＴＥ接続を介してフェムトセル１１５からアグリゲーション情報を受信することができる。フェムトセル１１５から受信されたアグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５から受信されたアグリゲーション情報は、モデム／ルータ１３０のＷｉＦｉインターフェース２４５のＭＡＣアドレスおよび／またはＩＰアドレス、ならびに／あるいはモバイルデバイス１２０のアグリゲーション層２２５がアグリゲートデータストリームを送り、および／または受信するのに使うことができる他の情報を含み得る。フェムトセル１１５から受信されたアグリゲーション情報は、アグリゲーションポリシー情報も含み得る。アグリゲーションポリシー情報は、フェムトセル１１５にデータを送るための送信モードを選択するとき、モバイルデバイス１２０のアグリゲーション層２２５によって使われ得る。たとえば、アグリゲーションポリシーは、ある特定のタイプのデータストリームが特定の送信モードを使って送信されるべきであること、またはアグリゲーションがある特定のタイプのデータストリームとともに使われなくてよいことを示し得る。
【０１７２】
[0195]モバイルデバイス１２０は、フェムトセル１１５にアグリゲーション情報を送ることもできる（段階２３２０）。アグリゲーション情報は、ＭＡＣアドレス情報と、ＩＰアドレス情報と、ポート情報と、２つのデバイスのアグリゲーション層が本明細書で開示する様々な技法に従って情報をルーティングするときに使うことができる他の情報とを含み得る。たとえば、フェムトセル１１５に送られるアグリゲーション情報は、モバイルデバイス１２０のＷｉＦｉインターフェース２３５のＭＡＣアドレスおよび／またはＩＰアドレスを含み得る。
【０１７３】
[0196]モバイルデバイス１２０は、モバイルフェムトセル１１５とのＷｉＦｉ接続性をテストするように構成され得る（段階２３２５）。いくつかの実装形態では、モバイルデバイス１２０のアグリゲーション層２２５は、フェムトセル１１５にテストメッセージを送るように構成されてよく、フェムトセル１１５のアグリゲーション層２０５はテストメッセージに応答するように構成されてよい。他の実装形態では、フェムトセル１１５のアグリゲーション層２０５は、モバイルデバイス１２０にテストメッセージを送るように構成されてよく、モバイルデバイス１２０のアグリゲーション層２２５はテストメッセージに応答するように構成されてよい。フェムトセル１１５とモバイルデバイス１２０との間のメッセージの交換は、２つのデバイスの間のＷｉＦｉ接続性が確立済みであるかどうか決定するのに使われ得る。いくつかの実装形態では、モバイルデバイス１２０は、そこではフェムトセル１１５とモバイルデバイス１２０との間のＷｉＦｉ接続を確立することが問題場合、ＷｉＦｉ接続性に伴う問題の診断を円滑にするために、テストメッセージおよび／または応答を、ＷｉＦｉ接続を介して送るのに加え、テストメッセージおよび／またはテストメッセージ応答を、ＬＴＥインターフェース２３０を介してフェムトセル１１５に送るように構成され得る。発見および構成プロセスの一部としてＷｉＦｉ接続性をテストすることは、モデム／ルータ１３０がブリッジ機能性をサポートし得るかどうかの決定を行うことも含み得る。モバイルデバイス１２０のアグリゲーション層２２５は、モデム／ルータ１３０がブリッジ機能性をサポートするように構成されているかどうか決定するために、フェムトセル１１５およびモバイルデバイス１２０に関連付けられたＩＰサブネットマスクおよび／またはＩＰアドレスを調べることによって、モデム／ルータ１３０がブリッジ機能性をサポートするように構成されているかどうか決定するように構成され得る。
【０１７４】
[0197]モバイルデバイス１２０はアグリゲーション層２２５を構成することができる（段階２３３０）。アグリゲーション層２２５は、モバイルデバイス１２０とフェムトセル１１５との間の接続性が検証済みである場合、データアグリゲーションを可能にするように構成され得る。アグリゲーション層２２５は、その中に含まれるどのアグリゲーションポリシー情報も含む、モバイルデバイス１２０と共有されるアグリゲーション情報を、本明細書で開示する様々な技法で説明したように、アップリンクデータに使うべき送信モードをフェムトセル１１５によって決定するのに使うように構成され得る。アグリゲーション層２２５が構成されると、モバイルデバイス１２０は、本明細書において論じるアグリゲーション技法のうちの１つまたは複数をフェムトセル１１５とともに実行することができる。モバイルデバイス１２０のアグリゲーション層２２５は、モデム／ルータ１３０がブリッジ機能性をサポートする場合は、アグリゲーションセッション中にフェムトセル１１５にアップリンクデータを送るときの図８に示す非カプセル化手法、またはモデム／ルータ１３０がブリッジ機能性をサポートしない場合は、図９に示すカプセル化手法を選択することのいずれかを選択するように構成され得る（段階２３２５において決定されるように）。
【０１７５】
[0198]本明細書に記載の方法は、用途に応じて様々な手段によって実装され得る。たとえば、これらの方法は、ハードウェア、ファームウェア、ソフトウェア、またはそれらの任意の組合せで実装され得る。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実施するように設計された他の電子ユニット、またはそれらの組合せの中で実装され得る。
【０１７６】
[0199]ファームウェアおよび／またはソフトウェア実装形態において、本方法は本明細書に記載の機能を実施するモジュール（たとえば手順、機能など）で実装され得る。本明細書で説明された方法を実装する際に、命令を明確に具体化する任意の機械可読媒体が使用され得る。たとえば、ソフトウェアコードがメモリに記憶され、プロセッサユニットによって実行され得る。メモリはプロセッサユニット内、またはプロセッサユニットの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいは媒体のタイプに限定されるべきではない。有形媒体は、ランダムアクセスメモリ、磁気ストレージ、光記憶媒体など、機械可読媒体の１つまたは複数の物理的物品を含む。
【０１７７】
[0200]ファームウェアおよび／またはソフトウェアで実装される場合、機能は１つまたは複数の命令またはコードとしてコンピュータ可読媒体上に記憶され得る。例としては、データ構造で符号化されたコンピュータ可読媒体、およびコンピュータプログラムで符号化されたコンピュータ可読媒体がある。コンピュータ可読媒体は物理的コンピュータ記憶媒体を含む。記憶媒体は、コンピュータによってアクセスされ得る任意の市販の媒体であってよい。限定ではなく例として、そのようなコンピュータ可読媒体は、ＲＡＭと、ＲＯＭと、ＥＥＰＲＯＭ（登録商標）と、ＣＤ−ＲＯＭもしくは他の光ディスク（disk）ストレージと、磁気ディスク（disk）ストレージもしくは他の磁気ストレージデバイスと、または命令もしくはデータ構造の形態で所望のプログラムコードを記憶するために使用されコンピュータによってアクセスされ得る任意の他の媒体とを備えてよく、本明細書で使用するディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）およびブルーレイ（登録商標）ディスク（disc）とを含み、ディスク（disk）は通常データを磁気的に再生し、ディスク（disc）はデータをレーザーで光学的に再生する。上述の組合せもコンピュータ可読媒体の範囲内に含まれるべきである。そのような媒体はまた、機械可読であり得る非一時的媒体の例を与え、ここでコンピュータは、そのような非一時的媒体から読み取ることができる機械の一例である。
【０１７８】
[0201]本明細書で説明した一般原理は、本開示または特許請求の範囲の趣旨または範囲から逸脱することなく他の実装形態に適用され得る。
【図１】
2016523482.tif 000003
【図２】
2016523482.tif 000004
【図３】
2016523482.tif 000005
【図４Ａ】
2016523482.tif 000006
【図４Ｂ】
2016523482.tif 000007
【図４Ｃ】
2016523482.tif 000008
【図５】
2016523482.tif 000009
【図６】
2016523482.tif 000010
【図７】
2016523482.tif 000011
【図８】
2016523482.tif 000012
【図９】
2016523482.tif 000013
【図１０】
2016523482.tif 000014
【図１１】
2016523482.tif 000015
【図１２】
2016523482.tif 000016
【図１３】
2016523482.tif 000017
【図１４】
2016523482.tif 000018
【図１５】
2016523482.tif 000019
【図１６】
2016523482.tif 000020
【図１７】
2016523482.tif 000021
【図１８】
2016523482.tif 000022
【図１９】
2016523482.tif 000023
【図２０】
2016523482.tif 000024
【図２１】
2016523482.tif 000025
【図２２】
2016523482.tif 000026
【図２３】
2016523482.tif 000027
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
フェムトセルにおいてワイヤレス通信トラフィックをアグリゲートするための方法であって、
フェムトセルにおいて、モバイルデバイス向けのデータパケットのストリームを受信することと、
前記フェムトセルから前記モバイルデバイスに前記データパケットストリームのデータパケットを送るための送信モードを選択することと、前記選択することは、第１の送信モード、第２の送信モード、または第３の送信モードを使って、前記データパケットストリームからの前記データパケットを前記モバイルデバイスに送信するかどうかを決定することを備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、前記ワイヤレストランシーバのＷｉＦｉ（登録商標）インターフェースを介して前記ストリームからの前記データパケットを送信するために前記モバイルデバイスへの送信のためにワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送ることと
を備える、方法。
【請求項２】
前記ワイヤレストランシーバはワイヤレスルータのワイヤレストランシーバである、請求項１に記載の方法。
【請求項３】
前記送信モードを選択することは、前記フェムトセルと前記モバイルデバイスとの間のＬＴＥリンクのリンク状態に少なくとも部分的に基づいて前記送信モードを選択することを備える、請求項１に記載の方法。
【請求項４】
前記送信モードを選択することは、前記ワイヤレストランシーバと前記モバイルデバイスとの間のＷｉＦｉリンクのリンク状態に少なくとも部分的に基づいて前記送信モードを選択することを備える、請求項１に記載の方法。
【請求項５】
前記送信モードを選択することは、前記フェムトセルと前記モバイルデバイスとの間のＬＴＥリンクのローディングに少なくとも部分的に基づいて前記送信モードを選択することを備える、請求項１に記載の方法。
【請求項６】
前記送信モードを選択することは、前記ワイヤレストランシーバと前記モバイルデバイスとの間のＷｉＦｉリンクのローディングに少なくとも部分的に基づいて前記送信モードを選択することを備える、請求項１に記載の方法。
【請求項７】
前記送信モードを選択することは、少なくとも、前記フェムトセルのバックホールのローディングに少なくとも部分的に基づいて前記送信モードを選択することを備える、請求項１に記載の方法。
【請求項８】
前記選択された送信モードに従って前記データパケットを送ることは、前記フェムトセルから前記モバイルデバイスに送信されるパケットをカプセル化することを備える、請求項１に記載の方法。
【請求項９】
前記ワイヤレスルータがブリッジング機能性を提供するかどうか決定することをさらに備え、前記フェムトセルから前記モバイルデバイスに送信されるパケットを前記カプセル化することは、前記ワイヤレスルータがブリッジング機能性を提供しない場合に実施される、請求項８に記載の方法。
【請求項１０】
前記第３の送信モードが選択されたことに応答して、アグリゲートデータセッションの開始を示す信号を前記モバイルデバイスに送ることをさらに備える、請求項１に記載の方法。
【請求項１１】
前記第３の送信モードに従って前記データパケットを送った後、前記アグリゲートデータセッションの終了を示す信号を前記モバイルデバイスに送ることをさらに備える、請求項１０に記載の方法。
【請求項１２】
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、請求項１に記載の方法。
【請求項１３】
前記モバイルデバイスにアグリゲーション発見メッセージを送ることと、
前記モバイルデバイスからアグリゲーション発見応答を受信することと、
前記モバイルデバイスに第１のアグリゲーション情報を送信することと、
前記モバイルデバイスから第２のアグリゲーション情報を受信することと、
前記第１のアグリゲーション情報および前記第２のアグリゲーション情報に基づいて前記フェムトセルのアグリゲーション層を構成することと
をさらに備える、請求項１に記載の方法。
【請求項１４】
前記第１のアグリゲーション情報はアグリゲーションポリシー情報を備える、請求項１３に記載の方法。
【請求項１５】
前記モバイルデバイスとのＷｉＦｉ接続性をテストすることをさらに備える、請求項１３に記載の方法。
【請求項１６】
フェムトセルにおいてワイヤレス通信トラフィックをアグリゲートするための装置であって、
フェムトセルにおいて、モバイルデバイス向けのデータパケットのストリームを受信するための手段と、
前記フェムトセルから前記モバイルデバイスに前記データパケットストリームのデータパケットを送るための送信モードを選択するための手段と、選択するための前記手段は、第１の送信モード、第２の送信モード、または第３の送信モードを使って、前記データパケットストリームからの前記データパケットを前記モバイルデバイスに送信するかどうかを決定するための手段を備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、前記ワイヤレストランシーバのＷｉＦｉインターフェースを介して前記ストリームからの前記データパケットを送信するために前記モバイルデバイスへの送信のためにワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を、前記ＷｉＦｉインターフェースを介して前記モバイルデバイスへの送信のために前記ワイヤレストランシーバに送ることを備え、
前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送るための手段と
を備える、装置。
【請求項１７】
前記ワイヤレストランシーバはワイヤレスルータのワイヤレストランシーバである、請求項１６に記載の装置。
【請求項１８】
前記送信モードを選択するための前記手段は、前記フェムトセルと前記モバイルデバイスとの間のＬＴＥリンクのリンク状態に少なくとも部分的に基づいて、前記送信モードを選択するための手段を備える、請求項１６に記載の装置。
【請求項１９】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項１６に記載の装置。
【請求項２０】
前記送信モードを選択するための前記手段は、前記フェムトセルと前記モバイルデバイスとの間のＬＴＥリンクのローディングに少なくとも部分的に基づいて前記送信モードを選択するための手段を備える、請求項１６に記載の装置。
【請求項２１】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項１６に記載の装置。
【請求項２２】
前記送信モードを選択するための前記手段は、少なくとも、前記フェムトセルのバックホールのローディングに少なくとも部分的に基づいて前記送信モードを選択するための手段を備える、請求項１６に記載の装置。
【請求項２３】
前記選択された送信モードに従って前記データパケットを送るための前記手段は、前記フェムトセルから前記モバイルデバイスに送信されるパケットをカプセル化するための手段を備える、請求項１６に記載の装置。
【請求項２４】
前記ワイヤレスルータがブリッジング機能性を提供するかどうか決定するための手段をさらに備え、前記フェムトセルから前記モバイルデバイスに送信されるパケットをカプセル化するための前記手段は、前記ワイヤレスルータがブリッジング機能性を提供しない場合に前記パケットをカプセル化するための手段を備える、請求項２３に記載の装置。
【請求項２５】
前記第３の送信モードが選択されたことに応答して、アグリゲートデータセッションの開始を示す信号を前記モバイルデバイスに送るための手段をさらに備える、請求項１６に記載の装置。
【請求項２６】
前記第３の送信モードに従って前記データパケットを送った後、前記アグリゲートデータセッションの終了を示す信号を前記モバイルデバイスに送るための手段をさらに備える、請求項２５に記載の装置。
【請求項２７】
前記送信モードを選択することは、
ＬＴＥユーザプレーンデータ用に前記第２の送信モードを選択するための手段と、
ＬＴＥ制御プレーンデータ用に前記第１の送信モードを選択するための手段と
をさらに備える、請求項１６に記載の装置。
【請求項２８】
前記モバイルデバイスにアグリゲーション発見メッセージを送るための手段と、
前記モバイルデバイスからアグリゲーション発見応答を受信するための手段と、
前記モバイルデバイスに第１のアグリゲーション情報を送信するための手段と、
前記モバイルデバイスから第２のアグリゲーション情報を受信するための手段と、
前記第１のアグリゲーション情報および前記第２のアグリゲーション情報に基づいて前記フェムトセルのアグリゲーション層を構成するための手段と
をさらに備える、請求項１６に記載の装置。
【請求項２９】
前記第１のアグリゲーション情報はアグリゲーションポリシー情報を備える、請求項２８に記載の装置。
【請求項３０】
前記モバイルデバイスとのＷｉＦｉ接続性をテストするための手段をさらに備える、請求項２８に記載の装置。
【請求項３１】
フェムトセルにおいてワイヤレス通信トラフィックをアグリゲートするためのコンピュータ可読命令を記憶した有形のコンピュータ可読媒体であって、コンピュータに、
フェムトセルにおいて、モバイルデバイス向けのデータパケットのストリームを受信させ、
前記フェムトセルから前記モバイルデバイスに前記データパケットストリームのデータパケットを送るための送信モードを選択させ、前記コンピュータに、前記送信モードを選択させるように構成された前記命令は、前記コンピュータに、第１の送信モード、第２の送信モード、または第３の送信モードを使って、前記データパケットストリームからの前記データパケットを前記モバイルデバイスに送信するかどうかを決定させる命令を備え、
前記第１の送信モードは、前記フェムトセルのロングタームエボリューション（ＬＴＥ）インターフェースを介して前記ストリームからの前記データパケットを送信することを備え、
前記第２の送信モードは、前記ワイヤレストランシーバのＷｉＦｉインターフェースを介して前記ストリームからの前記データパケットを送信することを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送らせる
ように構成された命令を備える、有形のコンピュータ可読媒体。
【請求項３２】
前記ワイヤレストランシーバはワイヤレスルータのワイヤレストランシーバである、請求項３１に記載の有形のコンピュータ可読媒体。
【請求項３３】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項３１に記載の有形のコンピュータ可読媒体。
【請求項３４】
前記コンピュータに前記送信モードを選択させるように構成された前記命令は、前記コンピュータに、前記フェムトセルと前記モバイルデバイスとの間のＷｉＦｉリンクのリンク状態に少なくとも部分的に基づいて前記送信モードを選択させるように構成された命令を備える、請求項３１に記載の有形のコンピュータ可読媒体。
【請求項３５】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項３１に記載の有形のコンピュータ可読媒体。
【請求項３６】
前記コンピュータに前記送信モードを選択させるように構成された前記命令は、前記コンピュータに、前記フェムトセルと前記モバイルデバイスとの間のＷｉＦｉリンクのローディングに少なくとも部分的に基づいて前記送信モードを選択させるように構成された命令を備える、請求項３１に記載の有形のコンピュータ可読媒体。
【請求項３７】
前記コンピュータに前記送信モードを選択させるように構成された前記命令は、前記コンピュータに、少なくとも、前記フェムトセルのバックホールのローディングに少なくとも部分的に基づいて前記送信モードを選択させるように構成された命令を備える、請求項３１に記載の有形のコンピュータ可読媒体。
【請求項３８】
前記コンピュータに前記選択された送信モードに従って前記データパケットを送らせるように構成された前記命令は、前記コンピュータに、前記フェムトセルから前記モバイルデバイスに送信されるパケットをカプセル化させるように構成された命令を備える、請求項３１に記載の有形のコンピュータ可読媒体。
【請求項３９】
前記コンピュータに、
前記ワイヤレスルータがブリッジング機能性を提供するかどうか決定させるように構成された命令をさらに備え、前記コンピュータに、前記パケットをカプセル化させるように構成された前記命令は、前記ワイヤレスルータがブリッジング機能性を提供しない場合、前記コンピュータに、前記フェムトセルから前記モバイルデバイスに送信される前記パケットをカプセル化させるように構成された命令を備える、実施される、請求項８に記載の有形のコンピュータ可読媒体。
【請求項４０】
前記コンピュータに、
前記第３の送信モードが選択されたことに応答して、アグリゲートデータセッションの開始を示す信号を前記モバイルデバイスに送らせるように構成された命令をさらに備える、請求項３１に記載の有形のコンピュータ可読媒体。
【請求項４１】
前記コンピュータに、
前記第３の送信モードに従って前記データパケットを送った後、前記アグリゲートデータセッションの終了を示す信号を前記モバイルデバイスに送らせるように構成された命令をさらに備える、請求項４０に記載の有形のコンピュータ可読媒体。
【請求項４２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させる
ように構成された命令をさらに備える、請求項３１に記載の有形のコンピュータ可読媒体。
【請求項４３】
前記コンピュータに、
前記モバイルデバイスにアグリゲーション発見メッセージを送らせ、
前記モバイルデバイスからアグリゲーション発見応答を受信させ、
前記モバイルデバイスに第１のアグリゲーション情報を送信させ、
前記モバイルデバイスから第２のアグリゲーション情報を受信させ、
前記第１のアグリゲーション情報および前記第２のアグリゲーション情報に基づいて前記フェムトセルのアグリゲーション層を構成させる
ように構成された前記命令をさらに備える、請求項３１に記載の有形のコンピュータ可読媒体。
【請求項４４】
前記第１のアグリゲーション情報はアグリゲーションポリシー情報を備える、請求項４３に記載の有形のコンピュータ可読媒体。
【請求項４５】
前記コンピュータに、
前記モバイルデバイスとのＷｉＦｉ接続性をテストさせるように構成された命令をさらに備える、請求項４３に記載の有形のコンピュータ可読媒体。
【請求項４６】
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
フェムトセルにおいて、モバイルデバイス向けのデータパケットのストリームを受信し、
前記フェムトセルから前記モバイルデバイスに前記データパケットストリームのデータパケットを送るための送信モードを選択し、前記データアグリゲーションモジュールは、第１の送信モード、第２の送信モード、または第３の送信モードを使って、前記データパケットストリームからの前記データパケットを前記モバイルデバイスに送信するかどうかを決定するようにさらに構成され、
前記第１の送信モードは、前記フェムトセルのロングタームエボリューション（ＬＴＥ）インターフェースを介して前記ストリームからの前記データパケットを送信することを備え、
前記第２の送信モードは、前記ワイヤレストランシーバのＷｉＦｉインターフェースを介して前記ストリームからの前記データパケットを送信することを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送る
ように構成された、装置。
【請求項４７】
前記ワイヤレストランシーバはワイヤレスルータのワイヤレストランシーバである、請求項４６に記載の装置。
【請求項４８】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項４６に記載の装置。
【請求項４９】
前記送信モードを選択するように構成されている前記データアグリゲーションモジュールは、前記コンピュータに、前記フェムトセルと前記モバイルデバイスとの間のＷｉＦｉリンクのリンク状態に少なくとも部分的に基づいて前記送信モードを選択させるようにさらに構成される、請求項４６に記載の装置。
【請求項５０】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項４６に記載の装置。
【請求項５１】
前記送信モードを選択するように構成されている前記データアグリゲーションモジュールは、前記フェムトセルと前記モバイルデバイスとの間のＷｉＦｉリンクのローディングに少なくとも部分的に基づいて前記送信モードを選択するようにさらに構成される、請求項４６に記載の装置。
【請求項５２】
前記送信モードを選択するように構成されている前記データアグリゲーションモジュールは、少なくとも、前記フェムトセルのバックホールのローディングに少なくとも部分的に基づいて前記送信モードを選択するようにさらに構成される、請求項４６に記載の装置。
【請求項５３】
前記選択された送信モードに従って前記データパケットを送るように構成されている前記データアグリゲーションモジュールは、前記フェムトセルから前記モバイルデバイスに送信されるパケットをカプセル化するようにさらに構成される、請求項４６に記載の装置。
【請求項５４】
前記データアグリゲーションモジュールは、前記ワイヤレスルータがブリッジング機能性を提供するかどうか決定するように構成され、前記データアグリゲーションモジュールは、前記ワイヤレスルータがブリッジング機能性を提供しない場合、前記フェムトセルから前記モバイルデバイスに送信されるパケットをカプセル化するように構成される、請求項５３に記載の装置。
【請求項５５】
前記データアグリゲーションモジュールは、
前記第３の送信モードが選択されたことに応答して、アグリゲートデータセッションの開始を示す信号を前記モバイルデバイスに送るようにさらに構成される、請求項４６に記載の装置。
【請求項５６】
前記データアグリゲーションモジュールは、
前記第３の送信モードに従って前記データパケットを送った後、前記アグリゲートデータセッションの終了を示す信号を前記モバイルデバイスに送るようにさらに構成される、請求項４６に記載の装置。
【請求項５７】
前記データアグリゲーションモジュールは、
ＬＴＥユーザプレーンデータ用に前記第２の送信モードを選択し、
ＬＴＥ制御プレーンデータ用に前記第１の送信モードを選択する
ように構成される、請求項４６に記載の装置。
【請求項５８】
前記データアグリゲーションモジュールは、
前記モバイルデバイスにアグリゲーション発見メッセージを送り、
前記モバイルデバイスからアグリゲーション発見応答を受信し、
前記モバイルデバイスに第１のアグリゲーション情報を送信し、
前記モバイルデバイスから第２のアグリゲーション情報を受信し、
前記第１のアグリゲーション情報および前記第２のアグリゲーション情報に基づいて前記フェムトセルのアグリゲーション層を構成する
ように構成される、請求項４６に記載の装置。
【請求項５９】
前記第１のアグリゲーション情報はアグリゲーションポリシー情報を備える、請求項５８に記載の装置。
【請求項６０】
前記データアグリゲーションモジュールは、
前記モバイルデバイスとのＷｉＦｉ接続性をテストするようにさらに構成される、請求項５８に記載の装置。
【請求項６１】
モバイルデバイスにおいてワイヤレス通信トラフィックをアグリゲートするための方法であって、
第１のワイヤレス通信プロトコルに対する干渉および第２のワイヤレス通信プロトコルに対する干渉のうちの少なくとも１つに基づいて送信のアグリゲートされたモードを選択することと、
前記第１のワイヤレス通信プロトコルを使って、フェムトセルから、データストリームからのデータパケットの第１の部分を受信することと、
前記第２のワイヤレス通信プロトコルを使って、ワイヤレストランシーバから、前記データストリームからのデータパケットの第２の部分を受信することと、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートすることと
を備える、方法。
【請求項６２】
前記データパケットの前記第１の部分と前記データパケットの前記第２の部分とを受信するのに先立って、アグリゲートデータセッションの開始を示す信号を、前記フェムトセルから受信することをさらに備える、請求項６１に記載の方法。
【請求項６３】
前記データパケットの前記第１の部分と前記データパケットの前記第２の部分とを受信した後、前記アグリゲートデータセッションの終了を示す信号を、前記フェムトセルから受信することをさらに備える、請求項６１に記載の方法。
【請求項６４】
前記ワイヤレストランシーバはワイヤレスルータのワイヤレストランシーバである、請求項６１に記載の方法。
【請求項６５】
モバイルデバイスにおいてワイヤレス通信トラフィックをアグリゲートするための装置であって、
第１のワイヤレス通信プロトコルに対する干渉および第２のワイヤレス通信プロトコルに対する干渉のうちの少なくとも１つに基づいて送信のアグリゲートされたモードを選択するための手段と、
前記第１のワイヤレス通信プロトコルを使って、フェムトセルから、データストリームからのデータパケットの第１の部分を受信するための手段と、
前記第２のワイヤレス通信プロトコルを使って、ワイヤレストランシーバから、前記データストリームからのデータパケットの第２の部分を受信するための手段と、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするための手段と
を備える、装置。
【請求項６６】
前記データパケットの前記第１の部分と前記データパケットの前記第２の部分とを受信するのに先立って、アグリゲートデータセッションの開始を示す信号を、前記フェムトセルから受信するための手段をさらに備える、請求項６５に記載の装置。
【請求項６７】
前記データパケットの前記第１の部分と前記データパケットの前記第２の部分とを受信した後、前記アグリゲートデータセッションの終了を示す信号を、前記フェムトセルから受信するための手段をさらに備える、請求項６５に記載の装置。
【請求項６８】
前記ワイヤレストランシーバはワイヤレスルータのワイヤレストランシーバである、請求項６５に記載の装置。
【請求項６９】
モバイルデバイスにおいてワイヤレス通信トラフィックをアグリゲートするためのコンピュータ可読命令を記憶した有形のコンピュータ可読媒体であって、コンピュータに、
第１のワイヤレス通信プロトコルに対する干渉および第２のワイヤレス通信プロトコルに対する干渉のうちの少なくとも１つに基づいて送信のアグリゲートされたモードを選択させ、
前記第１のワイヤレス通信プロトコルを使って、フェムトセルから、データストリームからのデータパケットの第１の部分を受信させ、
前記第２のワイヤレス通信プロトコルを使って、ワイヤレストランシーバから、前記データストリームからのデータパケットの第２の部分を受信させ、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートさせる
ように構成された命令を備える、有形のコンピュータ可読媒体。
【請求項７０】
前記コンピュータに、
前記データパケットの前記第１の部分と前記データパケットの前記第２の部分とを受信するのに先立って、アグリゲートデータセッションの開始を示す信号を、前記フェムトセルから受信させるように構成された命令をさらに備える、請求項６９に記載の有形のコンピュータ可読媒体。
【請求項７１】
前記コンピュータに、
前記データパケットの前記第１の部分と前記データパケットの前記第２の部分とを受信した後、前記アグリゲートデータセッションの終了を示す信号を、前記フェムトセルから受信させるように構成された命令をさらに備える、請求項６９に記載の有形のコンピュータ可読媒体。
【請求項７２】
前記ワイヤレストランシーバはワイヤレスルータのワイヤレストランシーバである、請求項６９に記載の有形のコンピュータ可読媒体。
【請求項７３】
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
第１のワイヤレス通信プロトコルに対する干渉および第２のワイヤレス通信プロトコルに対する干渉のうちの少なくとも１つに基づいて送信のアグリゲートされたモードを選択し、
前記第１のワイヤレス通信プロトコルを使って、フェムトセルから、データストリームからのデータパケットの第１の部分を受信し、
前記第２のワイヤレス通信プロトコルを使って、ワイヤレストランシーバから、前記データストリームからのデータパケットの第２の部分を受信し、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートする
ように構成された、装置。
【請求項７４】
前記データアグリゲーションモジュールは、前記コンピュータに、
前記データパケットの前記第１の部分と前記データパケットの前記第２の部分とを受信するのに先立って、アグリゲートデータセッションの開始を示す信号を、前記フェムトセルから受信させるようにさらに構成される、請求項７３に記載の装置。
【請求項７５】
前記データアグリゲーションモジュールは、
前記データパケットの前記第１の部分と前記データパケットの前記第２の部分とを受信した後、前記アグリゲートデータセッションの終了を示す信号を、前記フェムトセルから受信するようにさらに構成される、請求項７３に記載の装置。
【請求項７６】
前記ワイヤレストランシーバはワイヤレスルータのワイヤレストランシーバである、請求項７３に記載の装置。
【請求項７７】
モバイルデバイスにおいてワイヤレス通信トラフィックをアグリゲートするための方法であって、
モバイルデバイスのアグリゲーションモジュールにおいて、リモートネットワークエンティティに送信されるべきデータパケットのストリームを受信することと、
前記モバイルデバイスから、前記モバイルデバイスに関連付けられたフェムトセルに前記データパケットストリームのデータパケットを送るための送信モードを選択することと、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って前記データストリームからの前記データパケットを送信するかを、決定することを備え、前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送ることと
を備える、方法。
【請求項７８】
前記送信モードを選択することは、前記フェムトセルと前記モバイルデバイスとの間のＬＴＥリンクのリンク状態に少なくとも部分的に基づいて前記送信モードを選択することを備える、請求項７７に記載の方法。
【請求項７９】
前記送信モードを選択することは、前記フェムトセルと前記モバイルデバイスとの間のＷｉＦｉリンクのリンク状態に少なくとも部分的に基づいて前記送信モードを選択することを備える、請求項７７に記載の方法。
【請求項８０】
前記送信モードを選択することは、前記フェムトセルと前記モバイルデバイスとの間のＬＴＥリンクのローディングに少なくとも部分的に基づいて前記送信モードを選択することを備える、請求項７７に記載の方法。
【請求項８１】
前記送信モードを選択することは、前記フェムトセルと前記モバイルデバイスとの間のＷｉＦｉリンクのローディングに少なくとも部分的に基づいて前記送信モードを選択することを備える、請求項７７に記載の方法。
【請求項８２】
前記選択された送信モードに従って前記データパケットを送ることは、前記モバイルデバイスから前記フェムトセルに送信されるパケットをカプセル化することを備える、請求項７７に記載の方法。
【請求項８３】
前記第３の送信モードが選択されたことに応答して、アグリゲートデータセッションの開始を示す信号を前記フェムトセルに送ることをさらに備える、請求項７７に記載の方法。
【請求項８４】
前記第３の送信モードに従って前記データパケットを送った後、前記アグリゲートデータセッションの終了を示す信号を前記フェムトセルに送ることをさらに備える、請求項８３に記載の方法。
【請求項８５】
前記ワイヤレストランシーバはワイヤレスルータのワイヤレストランシーバである、請求項７７に記載の方法。
【請求項８６】
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、請求項７７に記載の方法。
【請求項８７】
前記フェムトセルにアグリゲーション発見メッセージを送ることと、
前記フェムトセルからアグリゲーション発見応答を受信することと、
前記フェムトセルに第１のアグリゲーション情報を送信することと、
前記フェムトセルから第２のアグリゲーション情報を受信することと、
前記第１のアグリゲーション情報および前記第２のアグリゲーション情報に基づいて前記モバイルデバイスのアグリゲーション層を構成することと
をさらに備える、請求項７７に記載の方法。
【請求項８８】
前記第１のアグリゲーション情報はアグリゲーションポリシー情報を備える、請求項８７に記載の方法。
【請求項８９】
前記フェムトセルとのＷｉＦｉ接続性をテストすることをさらに備える、請求項８７に記載の方法。
【請求項９０】
モバイルデバイスにおいてワイヤレス通信トラフィックをアグリゲートするための装置であって、
モバイルデバイスのアグリゲーションモジュールにおいて、リモートネットワークエンティティに送信されるべきデータパケットのストリームを受信するための手段と、
前記モバイルデバイスから、前記モバイルデバイスに関連付けられたフェムトセルに前記データパケットストリームのデータパケットを送るための送信モードを選択するための手段と、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備え、前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送るための手段と
を備える、装置。
【請求項９１】
前記送信モードを選択するための前記手段は、前記フェムトセルと前記モバイルデバイスとの間のＬＴＥリンクのリンク状態に少なくとも部分的に基づいて前記送信モードを選択するための手段を備える、請求項９０に記載の装置。
【請求項９２】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項９０に記載の装置。
【請求項９３】
前記送信モードを選択するための前記手段は、前記フェムトセルと前記モバイルデバイスとの間のＬＴＥリンクのローディングに少なくとも部分的に基づいて前記送信モードを選択するための手段を備える、請求項９０に記載の装置。
【請求項９４】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項９０に記載の装置。
【請求項９５】
前記選択された送信モードに従って前記データパケットを送るための前記手段は、前記モバイルデバイスから前記フェムトセルに送信されるパケットをカプセル化するための手段を備える、請求項９０に記載の装置。
【請求項９６】
前記第３の送信モードが選択されたことに応答して、アグリゲートデータセッションの開始を示す信号を前記フェムトセルに送るための手段をさらに備える、請求項９０に記載の装置。
【請求項９７】
前記第３の送信モードに従って前記データパケットを送った後、前記アグリゲートデータセッションの終了を示す信号を前記フェムトセルに送るための手段をさらに備える、請求項９６に記載の装置。
【請求項９８】
前記ワイヤレストランシーバはワイヤレスルータのワイヤレストランシーバである、請求項９０に記載の装置。
【請求項９９】
前記送信モードを選択するための前記手段は、
ＬＴＥユーザプレーンデータ用に前記第２の送信モードを選択するための手段と、
ＬＴＥ制御プレーンデータ用に前記第１の送信モードを選択するための手段と
をさらに備える、請求項９０に記載の装置。
【請求項１００】
前記フェムトセルにアグリゲーション発見メッセージを送るための手段と、
前記フェムトセルからアグリゲーション発見応答を受信するための手段と、
前記フェムトセルに第１のアグリゲーション情報を送信するための手段と、
前記フェムトセルから第２のアグリゲーション情報を受信するための手段と、
前記第１のアグリゲーション情報および前記第２のアグリゲーション情報に基づいて前記モバイルデバイスのアグリゲーション層を構成するための手段と
をさらに備える、請求項９０に記載の装置。
【請求項１０１】
前記第１のアグリゲーション情報はアグリゲーションポリシー情報を備える、請求項１００に記載の装置。
【請求項１０２】
前記フェムトセルとのＷｉＦｉ接続性をテストするための手段をさらに備える、請求項１００に記載の装置。
【請求項１０３】
モバイルデバイスにおいてワイヤレス通信トラフィックをアグリゲートするためのコンピュータ可読命令を記憶した有形のコンピュータ可読媒体であって、コンピュータに、
モバイルデバイスのアグリゲーションモジュールにおいて、リモートネットワークエンティティに送信されるべきデータパケットのストリームを受信させ、
前記モバイルデバイスから、前記モバイルデバイスに関連付けられたフェムトセルに前記データパケットストリームのデータパケットを送るための送信モードを選択させ、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備え、前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送らせる
ように構成された命令を備える、有形のコンピュータ可読媒体。
【請求項１０４】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項１０３に記載の有形のコンピュータ可読媒体。
【請求項１０５】
前記コンピュータに前記送信モードを選択させるように構成された前記命令は、前記コンピュータに、前記ワイヤレストランシーバと前記モバイルデバイスとの間のＷｉＦｉリンクのリンク状態に少なくとも部分的に基づいて前記送信モードを選択させるように構成された命令を備える、請求項１０３に記載の有形のコンピュータ可読媒体。
【請求項１０６】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項１０３に記載の有形のコンピュータ可読媒体。
【請求項１０７】
前記コンピュータに前記送信モードを選択させるように構成された前記命令は、前記コンピュータに、前記ワイヤレストランシーバと前記モバイルデバイスとの間のＷｉＦｉリンクのローディングに少なくとも部分的に基づいて前記送信モードを選択させるように構成された命令を備える、請求項１０３に記載の有形のコンピュータ可読媒体。
【請求項１０８】
前記コンピュータに前記選択された送信モードに従って前記データパケットを送らせるように構成された前記命令は、前記コンピュータに、前記モバイルデバイスから前記フェムトセルに送信されるパケットをカプセル化させるように構成された命令を備える、請求項１０３に記載の有形のコンピュータ可読媒体。
【請求項１０９】
前記コンピュータに、
前記第３の送信モードが選択されたことに応答して、アグリゲートデータセッションの開始を示す信号を前記フェムトセルに送らせるように構成された命令をさらに備える、請求項１０３に記載の有形のコンピュータ可読媒体。
【請求項１１０】
前記コンピュータに、
前記第３の送信モードに従って前記データパケットを送った後、前記アグリゲートデータセッションの終了を示す信号を前記フェムトセルに送らせるように構成された命令をさらに備える、請求項１０９に記載の有形のコンピュータ可読媒体。
【請求項１１１】
前記ワイヤレストランシーバはワイヤレスルータのワイヤレストランシーバである、請求項１０３に記載の有形のコンピュータ可読媒体。
【請求項１１２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させる
ように構成された命令をさらに備える、請求項１０３に記載の有形のコンピュータ可読媒体。
【請求項１１３】
前記コンピュータに、
前記フェムトセルにアグリゲーション発見メッセージを送らせ、
前記フェムトセルからアグリゲーション発見応答を受信させ、
前記フェムトセルに第１のアグリゲーション情報を送信させ、
前記フェムトセルから第２のアグリゲーション情報を受信させ、
前記第１のアグリゲーション情報および前記第２のアグリゲーション情報に基づいて前記モバイルデバイスのアグリゲーション層を構成させる
ように構成された命令をさらに備える、請求項１０３に記載の有形のコンピュータ可読媒体。
【請求項１１４】
前記第１のアグリゲーション情報はアグリゲーションポリシー情報を備える、請求項１１３に記載の有形のコンピュータ可読媒体。
【請求項１１５】
前記コンピュータに
前記モバイルデバイスとのＷｉＦｉ接続性をテストさせるように構成された命令をさらに備える、請求項１１３に記載の有形のコンピュータ可読媒体。
【請求項１１６】
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
モバイルデバイスのアグリゲーションモジュールにおいて、リモートネットワークエンティティに送信されるべきデータパケットのストリームを受信し、
前記モバイルデバイスから、前記モバイルデバイスに関連付けられたフェムトセルに前記データパケットストリームのデータパケットを送るための送信モードを選択し、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備え、前記送信モードは、前記ＬＴＥインターフェースに対する干渉および前記ＷｉＦｉインターフェースに対する干渉のうちの少なくとも１つに基づいて選択される、
前記選択された送信モードに従って前記データパケットを送る
ように構成された、装置。
【請求項１１７】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項１１６に記載の装置。
【請求項１１８】
前記送信モードを選択するように構成されている前記データアグリゲーションモジュールは、前記ワイヤレストランシーバと前記モバイルデバイスとの間のＷｉＦｉリンクのリンク状態に少なくとも部分的に基づいて前記送信モードを選択するようにさらに構成される、請求項１１６に記載の装置。
【請求項１１９】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項１１６に記載の装置。
【請求項１２０】
前記送信モードを選択するように構成されている前記データアグリゲーションモジュールは、前記ワイヤレストランシーバと前記モバイルデバイスとの間のＷｉＦｉリンクのローディングに少なくとも部分的に基づいて前記送信モードを選択するようにさらに構成される、請求項１１６に記載の装置。
【請求項１２１】
前記選択された送信モードに従って前記データパケットを送るように構成されている前記データアグリゲーションモジュールは、前記モバイルデバイスから前記フェムトセルに送信されるパケットをカプセル化するようにさらに構成される、請求項１１６に記載の装置。
【請求項１２２】
前記データアグリゲーションモジュールは、
前記第３の送信モードが選択されたことに応答して、アグリゲートデータセッションの開始を示す信号を前記フェムトセルに送るようにさらに構成される、請求項１１６に記載の装置。
【請求項１２３】
前記データアグリゲーションモジュールは、
前記第３の送信モードに従って前記データパケットを送った後、前記アグリゲートデータセッションの終了を示す信号を前記フェムトセルに送るようにさらに構成される、請求項１１６に記載の装置。
【請求項１２４】
前記ワイヤレストランシーバはワイヤレスルータのワイヤレストランシーバである、請求項１１６に記載の装置。
【請求項１２５】
前記データアグリゲーションモジュールは、
ＬＴＥユーザプレーンデータ用に前記第２の送信モードを選択し、
ＬＴＥ制御プレーンデータ用に前記第１の送信モードを選択する
ようにさらに構成される、請求項１１６に記載の装置。
【請求項１２６】
前記データアグリゲーションモジュールは、
前記フェムトセルにアグリゲーション発見メッセージを送り、
前記フェムトセルからアグリゲーション発見応答を受信し、
前記フェムトセルに第１のアグリゲーション情報を送信し、
前記フェムトセルから第２のアグリゲーション情報を受信し、
前記第１のアグリゲーション情報および前記第２のアグリゲーション情報に基づいて前記モバイルデバイスのアグリゲーション層を構成する
ようにさらに構成される、請求項１１６に記載の装置。
【請求項１２７】
前記第１のアグリゲーション情報はアグリゲーションポリシー情報を備える、請求項１２６に記載の装置。
【請求項１２８】
前記データアグリゲーションモジュールは、
前記フェムトセルとのＷｉＦｉ接続性をテストするようにさらに構成される、請求項１２６に記載の装置。
【請求項１２９】
フェムトセルにおいてワイヤレス通信トラフィックをアグリゲートするための方法であって、
第１のワイヤレス通信プロトコルに対する干渉および第２のワイヤレス通信プロトコルに対する干渉のうちの少なくとも１つに基づいて送信のアグリゲートされたモードを選択することと、
前記第１のワイヤレス通信プロトコルを使って、前記フェムトセルにおいて、データストリームからのデータパケットの第１の部分を、前記フェムトセルの外部のデバイスを介してモバイルデバイスから受信することと、
前記第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信することと、
アグリゲートされたデータストリームを作成するために、前記フェムトセルにおいて前記データストリームを再アセンブルするように、前記データパケットの前記第１の部分と前記データパケットの前記第２の部分とをアグリゲートすることと、
前記アグリゲートされたデータストリームを、データパケットの第１のセットおよびデータパケットの第２のセットの予定受信側である宛先ネットワークエンティティに送ることと
を備える、方法。
【請求項１３０】
前記データパケットの前記第１の部分と前記データパケットの前記第２の部分とを受信するのに先立って、アグリゲートデータセッションの開始を示す信号を前記モバイルデバイスから受信することをさらに備える、請求項１２９に記載の方法。
【請求項１３１】
前記データパケットの前記第１の部分と前記データパケットの前記第２の部分とを受信した後、前記アグリゲートデータセッションの終了を示す信号を前記モバイルデバイスから受信することをさらに備える、請求項１２９に記載の方法。
【請求項１３２】
前記ワイヤレストランシーバは、前記フェムトセルに接続されたワイヤレスルータのワイヤレストランシーバである、請求項１２９に記載の方法。
【請求項１３３】
フェムトセルにおいてワイヤレス通信トラフィックをアグリゲートするための装置であって、
第１のワイヤレス通信プロトコルに対する干渉および第２のワイヤレス通信プロトコルに対する干渉のうちの少なくとも１つに基づいて送信のアグリゲートされたモードを選択するための手段と、
前記第１のワイヤレス通信プロトコルを使って、前記フェムトセルにおいて、データストリームからのデータパケットの第１の部分を、前記フェムトセルの外部のデバイスを介してモバイルデバイスから受信するための手段と、
前記第２のワイヤレス通信プロトコルを使って、前記フェムトセルにおいて、前記データストリームからのデータパケットの第２の部分を、前記モバイルデバイスとのワイヤレス接続を介して前記モバイルから受信するための手段と、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートするための手段と、
前記アグリゲートされたデータストリームを、データパケットの第１のセットおよびデータパケットの第２のセットの予定受信側である宛先ネットワークエンティティに送るための手段と
を備える装置。
【請求項１３４】
前記データパケットの前記第１の部分と前記データパケットの前記第２の部分とを受信するのに先立って、アグリゲートデータセッションの開始を示す信号を前記モバイルデバイスから受信するための手段をさらに備える、請求項１３３に記載の装置。
【請求項１３５】
前記データパケットの前記第１の部分と前記データパケットの前記第２の部分とを受信した後、前記アグリゲートデータセッションの終了を示す信号を前記モバイルデバイスから受信するための手段をさらに備える、請求項１３３に記載の装置。
【請求項１３６】
前記ワイヤレストランシーバは、前記フェムトセルに接続されたワイヤレスルータのワイヤレストランシーバである、請求項１３３に記載の装置。
【請求項１３７】
フェムトセルにおいてワイヤレス通信トラフィックをアグリゲートするためのコンピュータ可読命令を記憶した有形のコンピュータ可読媒体であって、コンピュータに、
第１のワイヤレス通信プロトコルに対する干渉および第２のワイヤレス通信プロトコルに対する干渉のうちの少なくとも１つに基づいて送信のアグリゲートされたモードを選択させ、
前記第１のワイヤレス通信プロトコルを使って、前記フェムトセルにおいて、データストリームからのデータパケットの第１の部分を、前記フェムトセルの外部のデバイスを介してモバイルデバイスから受信させ、
前記第２のワイヤレス通信プロトコルを使って、前記フェムトセルにおいて、前記データストリームからのデータパケットの第２の部分を、前記モバイルデバイスとのワイヤレス接続を介して前記モバイルから受信させ、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートさせ、
前記アグリゲートされたデータストリームを、データパケットの第１のセットおよびデータパケットの第２のセットの予定受信側である宛先ネットワークエンティティに送らせる
ように構成された命令を備える、有形のコンピュータ可読媒体。
【請求項１３８】
前記コンピュータに、
前記データパケットの前記第１の部分と前記データパケットの前記第２の部分とを受信するのに先立って、アグリゲートデータセッションの開始を示す信号を前記モバイルデバイスから受信させるように構成された命令をさらに備える、請求項１３７に記載の有形のコンピュータ可読媒体。
【請求項１３９】
前記コンピュータに、
前記データパケットの前記第１の部分と前記データパケットの前記第２の部分とを受信した後、前記アグリゲートデータセッションの終了を示す信号を前記モバイルデバイスから受信させるように構成された命令をさらに備える、請求項１３７に記載の有形のコンピュータ可読媒体。
【請求項１４０】
前記ワイヤレストランシーバは、前記フェムトセルに接続されたワイヤレスルータのワイヤレストランシーバである、請求項１３７に記載の有形のコンピュータ可読媒体。
【請求項１４１】
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
第１のワイヤレス通信プロトコルに対する干渉および第２のワイヤレス通信プロトコルに対する干渉のうちの少なくとも１つに基づいて送信のアグリゲートされたモードを選択し、
前記第１のワイヤレス通信プロトコルを使って、前記フェムトセルにおいて、データストリームからのデータパケットの第１の部分を、前記フェムトセルの外部のデバイスを介してモバイルデバイスから受信し、
前記第２のワイヤレス通信プロトコルを使って、前記フェムトセルにおいて、前記データストリームからのデータパケットの第２の部分を、前記モバイルデバイスとのワイヤレス接続を介して前記モバイルから受信し、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートし、
前記アグリゲートされたデータストリームを、データパケットの第１のセットおよびデータパケットの第２のセットの予定受信側である宛先ネットワークエンティティに送る
ように構成された、装置。
【請求項１４２】
前記データアグリゲーションモジュールは、
前記データパケットの前記第１の部分と前記データパケットの前記第２の部分とを受信するのに先立って、アグリゲートデータセッションの開始を示す信号を前記モバイルデバイスから受信するようにさらに構成される、請求項１４１に記載の装置。
【請求項１４３】
前記データアグリゲーションモジュールは、
前記データパケットの前記第１の部分と前記データパケットの前記第２の部分とを受信した後、前記アグリゲートデータセッションの終了を示す信号を前記モバイルデバイスから受信するようにさらに構成される、請求項１４１に記載の装置。
【請求項１４４】
前記ワイヤレストランシーバは、前記フェムトセルに接続されたワイヤレスルータのワイヤレストランシーバである、請求項１４１に記載の装置。
【請求項１４５】
前記モバイルデバイスからの前記ＬＴＥリンク上の干渉または前記ＷｉＦｉリンク上の干渉のうちの少なくとも１つに関する情報を要求することと、
前記モバイルデバイスから受信された前記ＬＴＥリンク上の前記干渉または前記ＷｉＦｉリンク上の前記干渉のうちの少なくとも１つに少なくとも部分的に基づいて前記送信モードを選択することと
をさらに備える、請求項１に記載の方法。
【請求項１４６】
前記第３の送信モードが選択された場合に他のデータパケットが前記フェムトセルからまたは前記ワイヤレストランシーバから送信されるのを妨害することをさらに備える、請求項１に記載の方法。
【手続補正２】
【補正対象書類名】明細書
【補正対象項目名】０１７８
【補正方法】変更
【補正の内容】
【０１７８】
[0201]本明細書で説明した一般原理は、本開示または特許請求の範囲の趣旨または範囲から逸脱することなく他の実装形態に適用され得る。
以下に、出願当初の特許請求の範囲に記載された発明を付記する。
［Ｃ１］
フェムトセルにおいてワイヤレス通信トラフィックをアグリゲートするための方法であって、
フェムトセルにおいて、ワイヤレストランシーバからモバイルデバイス向けのデータパケットのストリームを受信することと、
前記フェムトセルから前記モバイルデバイスに前記データパケットストリームのデータパケットを送るための送信モードを選択することと、前記選択することは、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉ（登録商標）インターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定することを備える、
前記選択された送信モードに従って前記データパケットを送ることとを備える、方法。
［Ｃ２］
前記ワイヤレストランシーバはワイヤレスルータのワイヤレストランシーバである、Ｃ１に記載の方法。
［Ｃ３］
前記送信モードを選択することは、前記フェムトセルと前記モバイルデバイスとの間のＬＴＥリンクのリンク状態に少なくとも部分的に基づいて前記送信モードを選択することを備える、Ｃ１に記載の方法。
［Ｃ４］
前記送信モードを選択することは、前記ワイヤレストランシーバと前記モバイルデバイスとの間のＷｉＦｉリンクのリンク状態に少なくとも部分的に基づいて前記送信モードを選択することを備える、Ｃ１に記載の方法。
［Ｃ５］
前記送信モードを選択することは、前記フェムトセルと前記モバイルデバイスとの間のＬＴＥリンクのローディングに少なくとも部分的に基づいて前記送信モードを選択することを備える、Ｃ１に記載の方法。
［Ｃ６］
前記送信モードを選択することは、前記ワイヤレストランシーバと前記モバイルデバイスとの間のＷｉＦｉリンクのローディングに少なくとも部分的に基づいて前記送信モードを選択することを備える、Ｃ１に記載の方法。
［Ｃ７］
前記送信モードを選択することは、少なくとも、前記フェムトセルのバックホールのローディングに少なくとも部分的に基づいて前記送信モードを選択することを備える、Ｃ１に記載の方法。
［Ｃ８］
前記選択された送信モードに従って前記データパケットを送ることは、前記フェムトセルから前記モバイルデバイスに送信されるパケットをカプセル化することを備える、Ｃ１に記載の方法。
［Ｃ９］
前記ワイヤレスルータがブリッジング機能性を提供するかどうか決定することをさらに備え、前記フェムトセルから前記モバイルデバイスに送信されるパケットを前記カプセル化することは、前記ワイヤレスルータがブリッジング機能性を提供しない場合に実施される、Ｃ８に記載の方法。
［Ｃ１０］
前記第３の送信モードが選択されたことに応答して、アグリゲートデータセッションの開始を示す信号を前記モバイルデバイスに送ることをさらに備える、Ｃ１に記載の方法。
［Ｃ１１］
前記第３の送信モードに従って前記データパケットを送った後、前記アグリゲートデータセッションの終了を示す信号を前記モバイルデバイスに送ることをさらに備える、Ｃ１０に記載の方法。
［Ｃ１２］
前記送信モードを選択することは、
ＬＴＥユーザプレーンデータ用に前記第２の送信モードを選択することと、
ＬＴＥ制御プレーンデータ用に前記第１の送信モードを選択することとをさらに備える、Ｃ１に記載の方法。
［Ｃ１３］
前記モバイルデバイスにアグリゲーション発見メッセージを送ることと、
前記モバイルデバイスからアグリゲーション発見応答を受信することと、
前記モバイルデバイスに第１のアグリゲーション情報を送信することと、
前記モバイルデバイスから第２のアグリゲーション情報を受信することと、
前記第１のアグリゲーション情報および前記第２のアグリゲーション情報に基づいて前記フェムトセルのアグリゲーション層を構成することとをさらに備える、Ｃ１に記載の方法。
［Ｃ１４］
前記第１のアグリゲーション情報はアグリゲーションポリシー情報を備える、Ｃ１３に記載の方法。
［Ｃ１５］
前記モバイルデバイスとのＷｉＦｉ接続性をテストすることをさらに備える、Ｃ１３に記載の方法。
［Ｃ１６］
フェムトセルにおいてワイヤレス通信トラフィックをアグリゲートするための装置であって、
フェムトセルにおいて、ワイヤレストランシーバからモバイルデバイス向けのデータパケットのストリームを受信するための手段と、
前記フェムトセルから前記モバイルデバイスに前記データパケットストリームのデータパケットを送るための送信モードを選択するための手段と、選択するための前記手段は、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を、前記ＷｉＦｉインターフェースを介して前記モバイルデバイスへの送信のために前記ワイヤレストランシーバに送ることを備える第３の送信モードを使って、前記データストリームからの前記データパケットを送信するかを、決定するための手段を備える、
前記選択された送信モードに従って前記データパケットを送るための手段とを備える、装置。
［Ｃ１７］
前記ワイヤレストランシーバはワイヤレスルータのワイヤレストランシーバである、Ｃ１６に記載の装置。
［Ｃ１８］
前記送信モードを選択するための前記手段は、前記フェムトセルと前記モバイルデバイスとの間のＬＴＥリンクのリンク状態に少なくとも部分的に基づいて、前記送信モードを選択するための手段を備える、Ｃ１６に記載の装置。
［Ｃ１９］
前記送信モードを選択するための前記手段は、前記フェムトセルと前記モバイルデバイスとの間のＷｉＦｉリンクのリンク状態に少なくとも部分的に基づいて前記送信モードを選択するための手段を備える、Ｃ１６に記載の装置。
［Ｃ２０］
前記送信モードを選択するための前記手段は、前記フェムトセルと前記モバイルデバイスとの間のＬＴＥリンクのローディングに少なくとも部分的に基づいて前記送信モードを選択するための手段を備える、Ｃ１６に記載の装置。
［Ｃ２１］
前記送信モードを選択するための前記手段は、前記フェムトセルと前記モバイルデバイスとの間のＷｉＦｉリンクのローディングに少なくとも部分的に基づいて前記送信モードを選択するための手段を備える、Ｃ１６に記載の装置。
［Ｃ２２］
前記送信モードを選択するための前記手段は、少なくとも、前記フェムトセルのバックホールのローディングに少なくとも部分的に基づいて前記送信モードを選択するための手段を備える、Ｃ１６に記載の装置。
［Ｃ２３］
前記選択された送信モードに従って前記データパケットを送るための前記手段は、前記フェムトセルから前記モバイルデバイスに送信されるパケットをカプセル化するための手段を備える、Ｃ１６に記載の装置。
［Ｃ２４］
前記ワイヤレスルータがブリッジング機能性を提供するかどうか決定するための手段をさらに備え、前記フェムトセルから前記モバイルデバイスに送信されるパケットをカプセル化するための前記手段は、前記ワイヤレスルータがブリッジング機能性を提供しない場合に前記パケットをカプセル化するための手段を備える、Ｃ２３に記載の装置。
［Ｃ２５］
前記第３の送信モードが選択されたことに応答して、アグリゲートデータセッションの開始を示す信号を前記モバイルデバイスに送るための手段をさらに備える、Ｃ１６に記載の装置。
［Ｃ２６］
前記第３の送信モードに従って前記データパケットを送った後、前記アグリゲートデータセッションの終了を示す信号を前記モバイルデバイスに送るための手段をさらに備える、Ｃ２５に記載の装置。
［Ｃ２７］
前記送信モードを選択することは、
ＬＴＥユーザプレーンデータ用に前記第２の送信モードを選択するための手段と、
ＬＴＥ制御プレーンデータ用に前記第１の送信モードを選択するための手段とをさらに備える、Ｃ１６に記載の装置。
［Ｃ２８］
前記モバイルデバイスにアグリゲーション発見メッセージを送るための手段と、
前記モバイルデバイスからアグリゲーション発見応答を受信するための手段と、
前記モバイルデバイスに第１のアグリゲーション情報を送信するための手段と、
前記モバイルデバイスから第２のアグリゲーション情報を受信するための手段と、
前記第１のアグリゲーション情報および前記第２のアグリゲーション情報に基づいて前記フェムトセルのアグリゲーション層を構成するための手段とをさらに備える、Ｃ１６に記載の装置。
［Ｃ２９］
前記第１のアグリゲーション情報はアグリゲーションポリシー情報を備える、Ｃ２８に記載の装置。
［Ｃ３０］
前記モバイルデバイスとのＷｉＦｉ接続性をテストするための手段をさらに備える、Ｃ２８に記載の装置。
［Ｃ３１］
フェムトセルにおいてワイヤレス通信トラフィックをアグリゲートするためのコンピュータ可読命令を記憶した有形のコンピュータ可読媒体であって、コンピュータに、
フェムトセルにおいて、ワイヤレストランシーバからモバイルデバイス向けのデータパケットのストリームを受信させ、
前記フェムトセルから前記モバイルデバイスに前記データパケットストリームのデータパケットを送るための送信モードを選択させ、前記コンピュータに、前記送信モードを選択させるように構成された前記命令は、前記コンピュータに、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定させるための命令を備える、
前記選択された送信モードに従って前記データパケットを送らせるように構成された命令を備える、有形のコンピュータ可読媒体。
［Ｃ３２］
前記ワイヤレストランシーバはワイヤレスルータのワイヤレストランシーバである、Ｃ３１に記載の有形のコンピュータ可読媒体。
［Ｃ３３］
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、Ｃ３１に記載の有形のコンピュータ可読媒体。
［Ｃ３４］
前記コンピュータに前記送信モードを選択させるように構成された前記命令は、前記コンピュータに、前記フェムトセルと前記モバイルデバイスとの間のＷｉＦｉリンクのリンク状態に少なくとも部分的に基づいて前記送信モードを選択させるように構成された命令を備える、Ｃ３１に記載の有形のコンピュータ可読媒体。
［Ｃ３５］
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、Ｃ３１に記載の有形のコンピュータ可読媒体。
［Ｃ３６］
前記コンピュータに前記送信モードを選択させるように構成された前記命令は、前記コンピュータに、前記フェムトセルと前記モバイルデバイスとの間のＷｉＦｉリンクのローディングに少なくとも部分的に基づいて前記送信モードを選択させるように構成された命令を備える、Ｃ３１に記載の有形のコンピュータ可読媒体。
［Ｃ３７］
前記コンピュータに前記送信モードを選択させるように構成された前記命令は、前記コンピュータに、少なくとも、前記フェムトセルのバックホールのローディングに少なくとも部分的に基づいて前記送信モードを選択させるように構成された命令を備える、Ｃ３１に記載の有形のコンピュータ可読媒体。
［Ｃ３８］
前記コンピュータに前記選択された送信モードに従って前記データパケットを送らせるように構成された前記命令は、前記コンピュータに、前記フェムトセルから前記モバイルデバイスに送信されるパケットをカプセル化させるように構成された命令を備える、Ｃ３１に記載の有形のコンピュータ可読媒体。
［Ｃ３９］
前記コンピュータに
前記ワイヤレスルータがブリッジング機能性を提供するかどうか決定させるように構成された命令をさらに備え、前記コンピュータに、前記パケットをカプセル化させるように構成された前記命令は、前記ワイヤレスルータがブリッジング機能性を提供しない場合、前記コンピュータに、前記フェムトセルから前記モバイルデバイスに送信される前記パケットをカプセル化させるように構成された命令を備える、実施される、Ｃ８に記載の有形のコンピュータ可読媒体。
［Ｃ４０］
前記コンピュータに、
前記第３の送信モードが選択されたことに応答して、アグリゲートデータセッションの開始を示す信号を前記モバイルデバイスに送らせるように構成された命令をさらに備える、Ｃ３１に記載の有形のコンピュータ可読媒体。
［Ｃ４１］
前記コンピュータに、
前記第３の送信モードに従って前記データパケットを送った後、前記アグリゲートデータセッションの終了を示す信号を前記モバイルデバイスに送らせるように構成された命令をさらに備える、Ｃ４０に記載の有形のコンピュータ可読媒体。
［Ｃ４２］
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させるように構成された命令をさらに備える、Ｃ３１に記載の有形のコンピュータ可読媒体。
［Ｃ４３］
前記コンピュータに、
前記モバイルデバイスにアグリゲーション発見メッセージを送らせ、
前記モバイルデバイスからアグリゲーション発見応答を受信させ、
前記モバイルデバイスに第１のアグリゲーション情報を送信させ、
前記モバイルデバイスから第２のアグリゲーション情報を受信させ、
前記第１のアグリゲーション情報および前記第２のアグリゲーション情報に基づいて前記フェムトセルのアグリゲーション層を構成させるように構成された前記命令をさらに備える、Ｃ３１に記載の有形のコンピュータ可読媒体。
［Ｃ４４］
前記第１のアグリゲーション情報はアグリゲーションポリシー情報を備える、Ｃ４３に記載の有形のコンピュータ可読媒体。
［Ｃ４５］
前記コンピュータに
前記モバイルデバイスとのＷｉＦｉ接続性をテストさせるように構成された命令をさらに備える、Ｃ４３に記載の有形のコンピュータ可読媒体。
［Ｃ４６］
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
フェムトセルにおいて、ワイヤレストランシーバからモバイルデバイス向けのデータパケットのストリームを受信し、
前記フェムトセルから前記モバイルデバイスに前記データパケットストリームのデータパケットを送るための送信モードを選択し、前記データアグリゲーションモジュールは、前記フェムトセルのロングタームエボリューション（ＬＴＥ）インターフェースを介して前記ストリームからの前記データパケットを送信することを備える第１の送信モードを使って、前記データパケットストリームからの前記データパケットを前記モバイルデバイスに送信するか、前記データパケットを、前記ワイヤレストランシーバのＷｉＦｉインターフェースを介して前記ストリームからの前記データパケットを送信することを備える第２の送信モードを使って前記モバイルデバイスへの送信のために前記ワイヤレストランシーバに送るか、あるいは前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備える第３の送信モードを使って、前記データストリームからの前記データパケットを送信するかを、決定するようにさらに構成される、
前記選択された送信モードに従って前記データパケットを送るように構成された、装置。
［Ｃ４７］
前記ワイヤレストランシーバはワイヤレスルータのワイヤレストランシーバである、Ｃ４６に記載の装置。
［Ｃ４８］
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、Ｃ４６に記載の装置。
［Ｃ４９］
前記送信モードを選択するように構成されている前記データアグリゲーションモジュールは、前記コンピュータに、前記フェムトセルと前記モバイルデバイスとの間のＷｉＦｉリンクのリンク状態に少なくとも部分的に基づいて前記送信モードを選択させるようにさらに構成される、Ｃ４６に記載の装置。
［Ｃ５０］
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、Ｃ４６に記載の装置。
［Ｃ５１］
前記送信モードを選択するように構成されている前記データアグリゲーションモジュールは、前記フェムトセルと前記モバイルデバイスとの間のＷｉＦｉリンクのローディングに少なくとも部分的に基づいて前記送信モードを選択するようにさらに構成される、Ｃ４６に記載の装置。
［Ｃ５２］
前記送信モードを選択するように構成されている前記データアグリゲーションモジュールは、少なくとも、前記フェムトセルのバックホールのローディングに少なくとも部分的に基づいて前記送信モードを選択するようにさらに構成される、Ｃ４６に記載の装置。
［Ｃ５３］
前記選択された送信モードに従って前記データパケットを送るように構成されている前記データアグリゲーションモジュールは、前記フェムトセルから前記モバイルデバイスに送信されるパケットをカプセル化するようにさらに構成される、Ｃ４６に記載の装置。
［Ｃ５４］
前記データアグリゲーションモジュールは、前記ワイヤレスルータがブリッジング機能性を提供するかどうか決定するように構成され、前記データアグリゲーションモジュールは、前記ワイヤレスルータがブリッジング機能性を提供しない場合、前記フェムトセルから前記モバイルデバイスに送信されるパケットをカプセル化するように構成される、Ｃ５３に記載の装置。
［Ｃ５５］
前記データアグリゲーションモジュールは、
前記第３の送信モードが選択されたことに応答して、アグリゲートデータセッションの開始を示す信号を前記モバイルデバイスに送るようにさらに構成される、Ｃ４６に記載の装置。
［Ｃ５６］
前記データアグリゲーションモジュールは、
前記第３の送信モードに従って前記データパケットを送った後、前記アグリゲートデータセッションの終了を示す信号を前記モバイルデバイスに送るようにさらに構成される、Ｃ４６に記載の装置。
［Ｃ５７］
前記データアグリゲーションモジュールは、
ＬＴＥユーザプレーンデータ用に前記第２の送信モードを選択し、
ＬＴＥ制御プレーンデータ用に前記第１の送信モードを選択するように構成される、Ｃ４６に記載の装置。
［Ｃ５８］
前記データアグリゲーションモジュールは、
前記モバイルデバイスにアグリゲーション発見メッセージを送り、
前記モバイルデバイスからアグリゲーション発見応答を受信し、
前記モバイルデバイスに第１のアグリゲーション情報を送信し、
前記モバイルデバイスから第２のアグリゲーション情報を受信し、
前記第１のアグリゲーション情報および前記第２のアグリゲーション情報に基づいて前記フェムトセルのアグリゲーション層を構成するように構成される、Ｃ４６に記載の装置。
［Ｃ５９］
前記第１のアグリゲーション情報はアグリゲーションポリシー情報を備える、Ｃ５８に記載の装置。
［Ｃ６０］
前記データアグリゲーションモジュールは、
前記モバイルデバイスとのＷｉＦｉ接続性をテストするようにさらに構成される、Ｃ５８に記載の装置。
［Ｃ６１］
モバイルデバイスにおいてワイヤレス通信トラフィックをアグリゲートするための方法であって、
第１のワイヤレス通信プロトコルを使って、フェムトセルから、データストリームからのデータパケットの第１の部分を受信することと、
第２のワイヤレス通信プロトコルを使って、ワイヤレストランシーバから、前記データストリームからのデータパケットの第２の部分を受信することと、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートすることとを備える、方法。
［Ｃ６２］
前記データパケットの前記第１の部分と前記データパケットの前記第２の部分とを受信するのに先立って、アグリゲートデータセッションの開始を示す信号を、前記フェムトセルから受信することをさらに備える、Ｃ６１に記載の方法。
［Ｃ６３］
前記データパケットの前記第１の部分と前記データパケットの前記第２の部分とを受信した後、前記アグリゲートデータセッションの終了を示す信号を、前記フェムトセルから受信することをさらに備える、Ｃ６１に記載の方法。
［Ｃ６４］
前記ワイヤレストランシーバはワイヤレスルータのワイヤレストランシーバである、Ｃ６１に記載の方法。
［Ｃ６５］
モバイルデバイスにおいてワイヤレス通信トラフィックをアグリゲートするための装置であって、
第１のワイヤレス通信プロトコルを使って、フェムトセルから、データストリームからのデータパケットの第１の部分を受信するための手段と、
第２のワイヤレス通信プロトコルを使って、ワイヤレストランシーバから、前記データストリームからのデータパケットの第２の部分を受信するための手段と、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするための手段とを備える、装置。
［Ｃ６６］
前記データパケットの前記第１の部分と前記データパケットの前記第２の部分とを受信するのに先立って、アグリゲートデータセッションの開始を示す信号を、前記フェムトセルから受信するための手段をさらに備える、Ｃ６５に記載の装置。
［Ｃ６７］
前記データパケットの前記第１の部分と前記データパケットの前記第２の部分とを受信した後、前記アグリゲートデータセッションの終了を示す信号を、前記フェムトセルから受信するための手段をさらに備える、Ｃ６５に記載の装置。
［Ｃ６８］
前記ワイヤレストランシーバはワイヤレスルータのワイヤレストランシーバである、Ｃ６５に記載の装置。
［Ｃ６９］
モバイルデバイスにおいてワイヤレス通信トラフィックをアグリゲートするためのコンピュータ可読命令を記憶した有形のコンピュータ可読媒体であって、前記命令は、コンピュータに、
第１のワイヤレス通信プロトコルを使って、フェムトセルから、データストリームからのデータパケットの第１の部分を受信させ、
第２のワイヤレス通信プロトコルを使って、ワイヤレストランシーバから、前記データストリームからのデータパケットの第２の部分を受信させ、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートさせるように構成された命令を備える、有形のコンピュータ可読媒体。
［Ｃ７０］
前記コンピュータに、
前記データパケットの前記第１の部分と前記データパケットの前記第２の部分とを受信するのに先立って、アグリゲートデータセッションの開始を示す信号を、前記フェムトセルから受信させるように構成された命令をさらに備える、Ｃ６９に記載の有形のコンピュータ可読媒体。
［Ｃ７１］
前記コンピュータに、
前記データパケットの前記第１の部分と前記データパケットの前記第２の部分とを受信した後、前記アグリゲートデータセッションの終了を示す信号を、前記フェムトセルから受信させるように構成された命令をさらに備える、Ｃ６９に記載の有形のコンピュータ可読媒体。
［Ｃ７２］
前記ワイヤレストランシーバはワイヤレスルータのワイヤレストランシーバである、Ｃ６９に記載の有形のコンピュータ可読媒体。
［Ｃ７３］
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
第１のワイヤレス通信プロトコルを使って、フェムトセルから、データストリームからのデータパケットの第１の部分を受信し、
第２のワイヤレス通信プロトコルを使って、ワイヤレストランシーバから、前記データストリームからのデータパケットの第２の部分を受信し、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするように構成された、装置。
［Ｃ７４］
前記データアグリゲーションモジュールは、前記コンピュータに、
前記データパケットの前記第１の部分と前記データパケットの前記第２の部分とを受信するのに先立って、アグリゲートデータセッションの開始を示す信号を、前記フェムトセルから受信させるようにさらに構成される、Ｃ７３に記載の装置。
［Ｃ７５］
前記データアグリゲーションモジュールは、
前記データパケットの前記第１の部分と前記データパケットの前記第２の部分とを受信した後、前記アグリゲートデータセッションの終了を示す信号を、前記フェムトセルから受信するようにさらに構成される、Ｃ７３に記載の装置。
［Ｃ７６］
前記ワイヤレストランシーバはワイヤレスルータのワイヤレストランシーバである、Ｃ７３に記載の装置。
［Ｃ７７］
モバイルデバイスにおいてワイヤレス通信トラフィックをアグリゲートするための方法であって、
モバイルデバイスのアグリゲーションモジュールにおいて、リモートネットワークエンティティに送信されるべきデータパケットのストリームを受信することと、
前記モバイルデバイスから、前記モバイルデバイスに関連付けられたフェムトセルに前記データパケットストリームのデータパケットを送るための送信モードを選択することと、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って前記データストリームからの前記データパケットを送信するかを、決定することを備える、
前記選択された送信モードに従って前記データパケットを送ることとを備える、方法。
［Ｃ７８］
前記送信モードを選択することは、前記フェムトセルと前記モバイルデバイスとの間のＬＴＥリンクのリンク状態に少なくとも部分的に基づいて前記送信モードを選択することを備える、Ｃ７７に記載の方法。
［Ｃ７９］
前記送信モードを選択することは、前記フェムトセルと前記モバイルデバイスとの間のＷｉＦｉリンクのリンク状態に少なくとも部分的に基づいて前記送信モードを選択することを備える、Ｃ７７に記載の方法。
［Ｃ８０］
前記送信モードを選択することは、前記フェムトセルと前記モバイルデバイスとの間のＬＴＥリンクのローディングに少なくとも部分的に基づいて前記送信モードを選択することを備える、Ｃ７７に記載の方法。
［Ｃ８１］
前記送信モードを選択することは、前記フェムトセルと前記モバイルデバイスとの間のＷｉＦｉリンクのローディングに少なくとも部分的に基づいて前記送信モードを選択することを備える、Ｃ７７に記載の方法。
［Ｃ８２］
前記選択された送信モードに従って前記データパケットを送ることは、前記モバイルデバイスから前記フェムトセルに送信されるパケットをカプセル化することを備える、Ｃ７７に記載の方法。
［Ｃ８３］
前記第３の送信モードが選択されたことに応答して、アグリゲートデータセッションの開始を示す信号を前記フェムトセルに送ることをさらに備える、Ｃ７７に記載の方法。
［Ｃ８４］
前記第３の送信モードに従って前記データパケットを送った後、前記アグリゲートデータセッションの終了を示す信号を前記フェムトセルに送ることをさらに備える、Ｃ８３に記載の方法。
［Ｃ８５］
前記ワイヤレストランシーバはワイヤレスルータのワイヤレストランシーバである、Ｃ７７に記載の方法。
［Ｃ８６］
前記送信モードを選択することは、
ＬＴＥユーザプレーンデータ用に前記第２の送信モードを選択することと、
ＬＴＥ制御プレーンデータ用に前記第１の送信モードを選択することとをさらに備える、Ｃ７７に記載の方法。
［Ｃ８７］
前記フェムトセルにアグリゲーション発見メッセージを送ることと、
前記フェムトセルからアグリゲーション発見応答を受信することと、
前記フェムトセルに第１のアグリゲーション情報を送信することと、
前記フェムトセルから第２のアグリゲーション情報を受信することと、
前記第１のアグリゲーション情報および前記第２のアグリゲーション情報に基づいて前記モバイルデバイスのアグリゲーション層を構成することとをさらに備える、Ｃ７７に記載の方法。
［Ｃ８８］
前記第１のアグリゲーション情報はアグリゲーションポリシー情報を備える、Ｃ８７に記載の方法。
［Ｃ８９］
前記フェムトセルとのＷｉＦｉ接続性をテストすることをさらに備える、Ｃ８７に記載の方法。
［Ｃ９０］
モバイルデバイスにおいてワイヤレス通信トラフィックをアグリゲートするための装置であって、
モバイルデバイスのアグリゲーションモジュールにおいて、リモートネットワークエンティティに送信されるべきデータパケットのストリームを受信するための手段と、
前記モバイルデバイスから、前記モバイルデバイスに関連付けられたフェムトセルに前記データパケットストリームのデータパケットを送るための送信モードを選択するための手段と、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送るための手段とを備える、装置。
［Ｃ９１］
前記送信モードを選択するための前記手段は、前記フェムトセルと前記モバイルデバイスとの間のＬＴＥリンクのリンク状態に少なくとも部分的に基づいて前記送信モードを選択するための手段を備える、Ｃ９０に記載の装置。
［Ｃ９２］
前記送信モードを選択するための前記手段は、前記フェムトセルと前記モバイルデバイスとの間のＷｉＦｉリンクのリンク状態に少なくとも部分的に基づいて前記送信モードを選択するための手段を備える、Ｃ９０に記載の装置。
［Ｃ９３］
前記送信モードを選択するための前記手段は、前記フェムトセルと前記モバイルデバイスとの間のＬＴＥリンクのローディングに少なくとも部分的に基づいて前記送信モードを選択するための手段を備える、Ｃ９０に記載の装置。
［Ｃ９４］
前記送信モードを選択するための前記手段は、前記フェムトセルと前記モバイルデバイスとの間のＷｉＦｉリンクのローディングに少なくとも部分的に基づいて前記送信モードを選択するための手段を備える、Ｃ９０に記載の装置。
［Ｃ９５］
前記選択された送信モードに従って前記データパケットを送るための前記手段は、前記モバイルデバイスから前記フェムトセルに送信されるパケットをカプセル化するための手段を備える、Ｃ９０に記載の装置。
［Ｃ９６］
前記第３の送信モードが選択されたことに応答して、アグリゲートデータセッションの開始を示す信号を前記フェムトセルに送るための手段をさらに備える、Ｃ９０に記載の装置。
［Ｃ９７］
前記第３の送信モードに従って前記データパケットを送った後、前記アグリゲートデータセッションの終了を示す信号を前記フェムトセルに送るための手段をさらに備える、Ｃ９６に記載の装置。
［Ｃ９８］
前記ワイヤレストランシーバはワイヤレスルータのワイヤレストランシーバである、Ｃ９０に記載の装置。
［Ｃ９９］
前記送信モードを選択するための前記手段は、
ＬＴＥユーザプレーンデータ用に前記第２の送信モードを選択するための手段と、
ＬＴＥ制御プレーンデータ用に前記第１の送信モードを選択するための手段とをさらに備える、Ｃ９０に記載の装置。
［Ｃ１００］
前記フェムトセルにアグリゲーション発見メッセージを送るための手段と、
前記フェムトセルからアグリゲーション発見応答を受信するための手段と、
前記フェムトセルに第１のアグリゲーション情報を送信するための手段と、
前記フェムトセルから第２のアグリゲーション情報を受信するための手段と、
前記第１のアグリゲーション情報および前記第２のアグリゲーション情報に基づいて前記モバイルデバイスのアグリゲーション層を構成するための手段とをさらに備える、Ｃ９０に記載の装置。
［Ｃ１０１］
前記第１のアグリゲーション情報はアグリゲーションポリシー情報を備える、Ｃ１００に記載の装置。
［Ｃ１０２］
前記フェムトセルとのＷｉＦｉ接続性をテストするための手段をさらに備える、Ｃ１００に記載の装置。
［Ｃ１０３］
モバイルデバイスにおいてワイヤレス通信トラフィックをアグリゲートするためのコンピュータ可読命令を記憶した有形のコンピュータ可読媒体であって、前記命令は、コンピュータに、
モバイルデバイスのアグリゲーションモジュールにおいて、リモートネットワークエンティティに送信されるべきデータパケットのストリームを受信させ、
前記モバイルデバイスから、前記モバイルデバイスに関連付けられたフェムトセルに前記データパケットストリームのデータパケットを送るための送信モードを選択させ、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送らせるように構成された命令を備える、有形のコンピュータ可読媒体。
［Ｃ１０４］
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、Ｃ１０３に記載の有形のコンピュータ可読媒体。
［Ｃ１０５］
前記コンピュータに前記送信モードを選択させるように構成された前記命令は、前記コンピュータに、前記ワイヤレストランシーバと前記モバイルデバイスとの間のＷｉＦｉリンクのリンク状態に少なくとも部分的に基づいて前記送信モードを選択させるように構成された命令を備える、Ｃ１０３に記載の有形のコンピュータ可読媒体。
［Ｃ１０６］
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、Ｃ１０３に記載の有形のコンピュータ可読媒体。
［Ｃ１０７］
前記コンピュータに前記送信モードを選択させるように構成された前記命令は、前記コンピュータに、前記ワイヤレストランシーバと前記モバイルデバイスとの間のＷｉＦｉリンクのローディングに少なくとも部分的に基づいて前記送信モードを選択させるように構成された命令を備える、Ｃ１０３に記載の有形のコンピュータ可読媒体。
［Ｃ１０８］
前記コンピュータに前記選択された送信モードに従って前記データパケットを送らせるように構成された前記命令は、前記コンピュータに、前記モバイルデバイスから前記フェムトセルに送信されるパケットをカプセル化させるように構成された命令を備える、Ｃ１０３に記載の有形のコンピュータ可読媒体。
［Ｃ１０９］
前記コンピュータに、
前記第３の送信モードが選択されたことに応答して、アグリゲートデータセッションの開始を示す信号を前記フェムトセルに送らせるように構成された命令をさらに備える、Ｃ１０３に記載の有形のコンピュータ可読媒体。
［Ｃ１１０］
前記コンピュータに、
前記第３の送信モードに従って前記データパケットを送った後、前記アグリゲートデータセッションの終了を示す信号を前記フェムトセルに送らせるように構成された命令をさらに備える、Ｃ１０９に記載の有形のコンピュータ可読媒体。
［Ｃ１１１］
前記ワイヤレストランシーバはワイヤレスルータのワイヤレストランシーバである、Ｃ１０３に記載の有形のコンピュータ可読媒体。
［Ｃ１１２］
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させるように構成された命令をさらに備える、Ｃ１０３に記載の有形のコンピュータ可読媒体。
［Ｃ１１３］
前記コンピュータに、
前記フェムトセルにアグリゲーション発見メッセージを送らせ、
前記フェムトセルからアグリゲーション発見応答を受信させ、
前記フェムトセルに第１のアグリゲーション情報を送信させ、
前記フェムトセルから第２のアグリゲーション情報を受信させ、
前記第１のアグリゲーション情報および前記第２のアグリゲーション情報に基づいて前記モバイルデバイスのアグリゲーション層を構成させるように構成された命令をさらに備える、Ｃ１０３に記載の有形のコンピュータ可読媒体。
［Ｃ１１４］
前記第１のアグリゲーション情報はアグリゲーションポリシー情報を備える、Ｃ１１３に記載の有形のコンピュータ可読媒体。
［Ｃ１１５］
前記コンピュータに
前記モバイルデバイスとのＷｉＦｉ接続性をテストさせるように構成された命令をさらに備える、Ｃ１１３に記載の有形のコンピュータ可読媒体。
［Ｃ１１６］
モバイルデバイスにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
モバイルデバイスのアグリゲーションモジュールにおいて、リモートネットワークエンティティに送信されるべきデータパケットのストリームを受信し、
前記モバイルデバイスから、前記モバイルデバイスに関連付けられたフェムトセルに前記データパケットストリームのデータパケットを送るための送信モードを選択し、前記選択することは、前記モバイルデバイスのロングタームエボリューション（ＬＴＥ）インターフェースを介して前記ストリームからの前記データパケットを送信することを備える第１の送信モードを使って、前記データパケットストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、前記データストリームからの前記データパケットを送信するかを、決定することを備える、
前記選択された送信モードに従って前記データパケットを送るように構成された、装置。
［Ｃ１１７］
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、Ｃ１１６に記載の装置。
［Ｃ１１８］
前記送信モードを選択するように構成されている前記データアグリゲーションモジュールは、前記ワイヤレストランシーバと前記モバイルデバイスとの間のＷｉＦｉリンクのリンク状態に少なくとも部分的に基づいて前記送信モードを選択するようにさらに構成される、Ｃ１１６に記載の装置。
［Ｃ１１９］
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、Ｃ１１６に記載の装置。
［Ｃ１２０］
前記送信モードを選択するように構成されている前記データアグリゲーションモジュールは、前記ワイヤレストランシーバと前記モバイルデバイスとの間のＷｉＦｉリンクのローディングに少なくとも部分的に基づいて前記送信モードを選択するようにさらに構成される、Ｃ１１６に記載の装置。
［Ｃ１２１］
前記選択された送信モードに従って前記データパケットを送るように構成されている前記データアグリゲーションモジュールは、前記モバイルデバイスから前記フェムトセルに送信されるパケットをカプセル化するようにさらに構成される、Ｃ１１６に記載の装置。
［Ｃ１２２］
前記データアグリゲーションモジュールは、
前記第３の送信モードが選択されたことに応答して、アグリゲートデータセッションの開始を示す信号を前記フェムトセルに送るようにさらに構成される、Ｃ１１６に記載の装置。
［Ｃ１２３］
前記データアグリゲーションモジュールは、
前記第３の送信モードに従って前記データパケットを送った後、前記アグリゲートデータセッションの終了を示す信号を前記フェムトセルに送るようにさらに構成される、Ｃ１１６に記載の装置。
［Ｃ１２４］
前記ワイヤレストランシーバはワイヤレスルータのワイヤレストランシーバである、Ｃ１１６に記載の装置。
［Ｃ１２５］
前記データアグリゲーションモジュールは、
ＬＴＥユーザプレーンデータ用に前記第２の送信モードを選択し、
ＬＴＥ制御プレーンデータ用に前記第１の送信モードを選択するようにさらに構成される、Ｃ１１６に記載の装置。
［Ｃ１２６］
前記データアグリゲーションモジュールは、
前記フェムトセルにアグリゲーション発見メッセージを送り、
前記フェムトセルからアグリゲーション発見応答を受信し、
前記フェムトセルに第１のアグリゲーション情報を送信し、
前記フェムトセルから第２のアグリゲーション情報を受信し、
前記第１のアグリゲーション情報および前記第２のアグリゲーション情報に基づいて前記モバイルデバイスのアグリゲーション層を構成するようにさらに構成される、Ｃ１１６に記載の装置。
［Ｃ１２７］
前記第１のアグリゲーション情報はアグリゲーションポリシー情報を備える、Ｃ１２６に記載の装置。
［Ｃ１２８］
前記データアグリゲーションモジュールは、
前記フェムトセルとのＷｉＦｉ接続性をテストするようにさらに構成される、Ｃ１２６に記載の装置。
［Ｃ１２９］
フェムトセルにおいてワイヤレス通信トラフィックをアグリゲートするための方法であって、
前記フェムトセルにおいて、データストリームからのデータパケットの第１の部分を、前記フェムトセルの外部のワイヤレストランシーバを介してモバイルデバイスから受信することと、
前記フェムトセルにおいて、前記データストリームからのデータパケットの第２の部分を、前記モバイルデバイスとのワイヤレス接続を介して前記モバイルデバイスから受信することと、
アグリゲートされたデータストリームを作成するために、前記フェムトセルにおいて前記データストリームを再アセンブルするように、前記データパケットの前記第１の部分と前記データパケットの前記第２の部分とをアグリゲートすることと、
前記アグリゲートされたデータストリームを、データパケットの第１のセットおよびデータパケットの第２のセットの予定受信側である宛先ネットワークエンティティに送ることとを備える、方法。
［Ｃ１３０］
前記データパケットの前記第１の部分と前記データパケットの前記第２の部分とを受信するのに先立って、アグリゲートデータセッションの開始を示す信号を前記モバイルデバイスから受信することをさらに備える、Ｃ１２９に記載の方法。
［Ｃ１３１］
前記データパケットの前記第１の部分と前記データパケットの前記第２の部分とを受信した後、前記アグリゲートデータセッションの終了を示す信号を前記モバイルデバイスから受信することをさらに備える、Ｃ１２９に記載の方法。
［Ｃ１３２］
前記ワイヤレストランシーバは、前記フェムトセルに接続されたワイヤレスルータのワイヤレストランシーバである、Ｃ１２９に記載の方法。
［Ｃ１３３］
フェムトセルにおいてワイヤレス通信トラフィックをアグリゲートするための装置であって、
前記フェムトセルにおいて、データストリームからのデータパケットの第１の部分を、前記フェムトセルの外部のワイヤレストランシーバを介してモバイルデバイスから受信するための手段と、
前記フェムトセルにおいて、前記データストリームからのデータパケットの第２の部分を、前記モバイルデバイスとのワイヤレス接続を介して前記モバイルから受信するための手段と、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートするための手段と、
前記アグリゲートされたデータストリームを、データパケットの第１のセットおよびデータパケットの第２のセットの予定受信側である宛先ネットワークエンティティに送るための手段とを備える装置。
［Ｃ１３４］
前記データパケットの前記第１の部分と前記データパケットの前記第２の部分とを受信するのに先立って、アグリゲートデータセッションの開始を示す信号を前記モバイルデバイスから受信するための手段をさらに備える、Ｃ１３３に記載の装置。
［Ｃ１３５］
前記データパケットの前記第１の部分と前記データパケットの前記第２の部分とを受信した後、前記アグリゲートデータセッションの終了を示す信号を前記モバイルデバイスから受信するための手段をさらに備える、Ｃ１３３に記載の装置。
［Ｃ１３６］
前記ワイヤレストランシーバは、前記フェムトセルに接続されたワイヤレスルータのワイヤレストランシーバである、Ｃ１３３に記載の装置。
［Ｃ１３７］
フェムトセルにおいてワイヤレス通信トラフィックをアグリゲートするためのコンピュータ可読命令を記憶した有形のコンピュータ可読媒体であって、コンピュータに、
前記フェムトセルにおいて、データストリームからのデータパケットの第１の部分を、前記フェムトセルの外部のワイヤレストランシーバを介してモバイルデバイスから受信させ、
前記フェムトセルにおいて、前記データストリームからのデータパケットの第２の部分を、前記モバイルデバイスとのワイヤレス接続を介して前記モバイルから受信させ、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートさせ、
前記アグリゲートされたデータストリームを、データパケットの第１のセットおよびデータパケットの第２のセットの予定受信側である宛先ネットワークエンティティに送らせるように構成された命令を備える、有形のコンピュータ可読媒体。
［Ｃ１３８］
前記コンピュータに、
前記データパケットの前記第１の部分と前記データパケットの前記第２の部分とを受信するのに先立って、アグリゲートデータセッションの開始を示す信号を前記モバイルデバイスから受信させるように構成された命令をさらに備える、Ｃ１３７に記載の有形のコンピュータ可読媒体。
［Ｃ１３９］
前記コンピュータに、
前記データパケットの前記第１の部分と前記データパケットの前記第２の部分とを受信した後、前記アグリゲートデータセッションの終了を示す信号を前記モバイルデバイスから受信させるように構成された命令をさらに備える、Ｃ１３７に記載の有形のコンピュータ可読媒体。
［Ｃ１４０］
前記ワイヤレストランシーバは、前記フェムトセルに接続されたワイヤレスルータのワイヤレストランシーバである、Ｃ１３７に記載の有形のコンピュータ可読媒体。
［Ｃ１４１］
フェムトセルにおいてワイヤレス通信トラフィックをアグリゲートするための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールとを備え、前記データアグリゲーションモジュールは、
前記フェムトセルにおいて、データストリームからのデータパケットの第１の部分を、前記フェムトセルの外部のワイヤレストランシーバを介してモバイルデバイスから受信し、
前記フェムトセルにおいて、前記データストリームからのデータパケットの第２の部分を、前記モバイルデバイスとのワイヤレス接続を介して前記モバイルから受信し、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートし、
前記アグリゲートされたデータストリームを、データパケットの第１のセットおよびデータパケットの第２のセットの予定受信側である宛先ネットワークエンティティに送るように構成された、装置。
［Ｃ１４２］
前記データアグリゲーションモジュールは、
前記データパケットの前記第１の部分と前記データパケットの前記第２の部分とを受信するのに先立って、アグリゲートデータセッションの開始を示す信号を前記モバイルデバイスから受信するようにさらに構成される、Ｃ１４１に記載の装置。
［Ｃ１４３］
前記データアグリゲーションモジュールは、
前記データパケットの前記第１の部分と前記データパケットの前記第２の部分とを受信した後、前記アグリゲートデータセッションの終了を示す信号を前記モバイルデバイスから受信するようにさらに構成される、Ｃ１４１に記載の装置。
［Ｃ１４４］
前記ワイヤレストランシーバは、前記フェムトセルに接続されたワイヤレスルータのワイヤレストランシーバである、Ｃ１４１に記載の装置。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
フェムトセルにおいてワイヤレス通信トラフィックをアグリゲートするための方法であって、
フェムトセルにおいて、モバイルデバイス向けのデータパケットのストリームを受信することと、
前記フェムトセルから前記モバイルデバイスに前記データパケットのストリームのデータパケットを送るための送信モードを選択することと、前記選択することは、第１の送信モード、第２の送信モード、または第３の送信モードを使って、前記データパケットのストリームからの前記データパケットを前記モバイルデバイスに送信するかどうかを決定することを備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、ワイヤレストランシーバのＷｉＦｉ（登録商標）インターフェースを介して前記ストリームからの前記データパケットを送信するために前記モバイルデバイスへの送信のために前記ワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送ることと
を備える、方法。
【請求項２】
前記ワイヤレストランシーバはワイヤレスルータのワイヤレストランシーバである、請求項１に記載の方法。
【請求項３】
前記送信モードを選択することは、前記フェムトセルと前記モバイルデバイスとの間のＬＴＥリンクのリンク状態に少なくとも部分的に基づいて前記送信モードを選択することを備える、請求項１に記載の方法。
【請求項４】
前記送信モードを選択することは、前記ワイヤレストランシーバと前記モバイルデバイスとの間のＷｉＦｉリンクのリンク状態に少なくとも部分的に基づいて前記送信モードを選択することを備える、請求項１に記載の方法。
【請求項５】
前記送信モードを選択することは、前記フェムトセルと前記モバイルデバイスとの間のＬＴＥリンクのローディングに少なくとも部分的に基づいて前記送信モードを選択することを備える、請求項１に記載の方法。
【請求項６】
前記送信モードを選択することは、前記ワイヤレストランシーバと前記モバイルデバイスとの間のＷｉＦｉリンクのローディングに少なくとも部分的に基づいて前記送信モードを選択することを備える、請求項１に記載の方法。
【請求項７】
前記送信モードを選択することは、少なくとも、前記フェムトセルのバックホールのローディングに少なくとも部分的に基づいて前記送信モードを選択することを備える、請求項１に記載の方法。
【請求項８】
前記選択された送信モードに従って前記データパケットを送ることは、前記フェムトセルから前記モバイルデバイスに送信されるパケットをカプセル化することを備える、請求項１に記載の方法。
【請求項９】
前記ワイヤレスルータがブリッジング機能性を提供するかどうか決定することをさらに備え、前記フェムトセルから前記モバイルデバイスに送信されるパケットを前記カプセル化することは、前記ワイヤレスルータがブリッジング機能性を提供しない場合に実施される、請求項２に記載の方法。
【請求項１０】
前記第３の送信モードが選択されたことに応答して、アグリゲートデータセッションの開始を示す信号を前記モバイルデバイスに送ることをさらに備える、請求項１に記載の方法。
【請求項１１】
前記第３の送信モードに従って前記データパケットを送った後、前記アグリゲートデータセッションの終了を示す信号を前記モバイルデバイスに送ることをさらに備える、請求項１０に記載の方法。
【請求項１２】
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、請求項１に記載の方法。
【請求項１３】
前記モバイルデバイスにアグリゲーション発見メッセージを送ることと、
前記モバイルデバイスからアグリゲーション発見応答を受信することと、
前記モバイルデバイスに第１のアグリゲーション情報を送信することと、
前記モバイルデバイスから第２のアグリゲーション情報を受信することと、
前記第１のアグリゲーション情報および前記第２のアグリゲーション情報に基づいて前記フェムトセルのアグリゲーション層を構成することと
をさらに備える、請求項１に記載の方法。
【請求項１４】
前記第１のアグリゲーション情報はアグリゲーションポリシー情報を備える、請求項１３に記載の方法。
【請求項１５】
前記モバイルデバイスとのＷｉＦｉ接続性をテストすることをさらに備える、請求項１３に記載の方法。
【請求項１６】
フェムトセルにおいてワイヤレス通信トラフィックをアグリゲートするための装置であって、
フェムトセルにおいて、モバイルデバイス向けのデータパケットのストリームを受信するための手段と、
前記フェムトセルから前記モバイルデバイスに前記データパケットのストリームのデータパケットを送るための送信モードを選択するための手段と、選択するための前記手段は、第１の送信モード、第２の送信モード、または第３の送信モードを使って、前記データパケットのストリームからの前記データパケットを前記モバイルデバイスに送信するかどうかを決定するための手段を備え、
前記第１の送信モードは、前記フェムトセルのロングタームエボリューション（ＬＴＥ）インターフェースを介して前記ストリームからの前記データパケットを送信することを備え、
前記第２の送信モードは、前記データパケットを、ワイヤレストランシーバのＷｉＦｉインターフェースを介して前記ストリームからの前記データパケットを送信するために前記モバイルデバイスへの送信のために前記ワイヤレストランシーバに送ることを備え、
前記第３の送信モードは、前記ＬＴＥインターフェースを介して前記モバイルデバイスに前記データパケットの第１の部分を送信すること、および前記データパケットの第２の部分を、前記ＷｉＦｉインターフェースを介して前記モバイルデバイスへの送信のために前記ワイヤレストランシーバに送ることを備え、
前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送るための手段と
を備える、装置。
【請求項１７】
前記ワイヤレストランシーバはワイヤレスルータのワイヤレストランシーバである、請求項１６に記載の装置。
【請求項１８】
前記送信モードを選択するための前記手段は、前記フェムトセルと前記モバイルデバイスとの間のＬＴＥリンクのリンク状態に少なくとも部分的に基づいて、前記送信モードを選択するための手段を備える、請求項１６に記載の装置。
【請求項１９】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項１６に記載の装置。
【請求項２０】
前記送信モードを選択するための前記手段は、前記フェムトセルと前記モバイルデバイスとの間のＬＴＥリンクのローディングに少なくとも部分的に基づいて前記送信モードを選択するための手段を備える、請求項１６に記載の装置。
【請求項２１】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項１６に記載の装置。
【請求項２２】
前記送信モードを選択するための前記手段は、少なくとも、前記フェムトセルのバックホールのローディングに少なくとも部分的に基づいて前記送信モードを選択するための手段を備える、請求項１６に記載の装置。
【請求項２３】
前記選択された送信モードに従って前記データパケットを送るための前記手段は、前記フェムトセルから前記モバイルデバイスに送信されるパケットをカプセル化するための手段を備える、請求項１６に記載の装置。
【請求項２４】
前記ワイヤレスルータがブリッジング機能性を提供するかどうか決定するための手段をさらに備え、前記フェムトセルから前記モバイルデバイスに送信されるパケットをカプセル化するための前記手段は、前記ワイヤレスルータがブリッジング機能性を提供しない場合に前記パケットをカプセル化するための手段を備える、請求項１７に記載の装置。
【請求項２５】
前記第３の送信モードが選択されたことに応答して、アグリゲートデータセッションの開始を示す信号を前記モバイルデバイスに送るための手段をさらに備える、請求項１６に記載の装置。
【請求項２６】
前記第３の送信モードに従って前記データパケットを送った後、前記アグリゲートデータセッションの終了を示す信号を前記モバイルデバイスに送るための手段をさらに備える、請求項２５に記載の装置。
【請求項２７】
前記送信モードを選択することは、
ＬＴＥユーザプレーンデータ用に前記第２の送信モードを選択するための手段と、
ＬＴＥ制御プレーンデータ用に前記第１の送信モードを選択するための手段と
をさらに備える、請求項１６に記載の装置。
【請求項２８】
前記モバイルデバイスにアグリゲーション発見メッセージを送るための手段と、
前記モバイルデバイスからアグリゲーション発見応答を受信するための手段と、
前記モバイルデバイスに第１のアグリゲーション情報を送信するための手段と、
前記モバイルデバイスから第２のアグリゲーション情報を受信するための手段と、
前記第１のアグリゲーション情報および前記第２のアグリゲーション情報に基づいて前記フェムトセルのアグリゲーション層を構成するための手段と
をさらに備える、請求項１６に記載の装置。
【請求項２９】
前記第１のアグリゲーション情報はアグリゲーションポリシー情報を備える、請求項２８に記載の装置。
【請求項３０】
前記モバイルデバイスとのＷｉＦｉ接続性をテストするための手段をさらに備える、請求項２８に記載の装置。
【請求項３１】
フェムトセルにおいてワイヤレス通信トラフィックをアグリゲートするためのコンピュータ可読命令を記憶した有形のコンピュータ可読媒体であって、コンピュータに、
フェムトセルにおいて、モバイルデバイス向けのデータパケットのストリームを受信させ、
前記フェムトセルから前記モバイルデバイスに前記データパケットのストリームのデータパケットを送るための送信モードを選択させ、前記コンピュータに、前記送信モードを選択させるように構成された前記コンピュータ可読命令は、前記コンピュータに、第１の送信モード、第２の送信モード、または第３の送信モードを使って、前記データパケットのストリームからの前記データパケットを前記モバイルデバイスに送信するかどうかを決定させる命令を備え、
前記第１の送信モードは、前記フェムトセルのロングタームエボリューション（ＬＴＥ）インターフェースを介して前記ストリームからの前記データパケットを送信することを備え、
前記第２の送信モードは、ワイヤレストランシーバのＷｉＦｉインターフェースを介して前記ストリームからの前記データパケットを送信することを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送らせる
ように構成された命令を備える、有形のコンピュータ可読媒体。
【請求項３２】
前記ワイヤレストランシーバはワイヤレスルータのワイヤレストランシーバである、請求項３１に記載の有形のコンピュータ可読媒体。
【請求項３３】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項３１に記載の有形のコンピュータ可読媒体。
【請求項３４】
前記コンピュータに前記送信モードを選択させるように構成された前記命令は、前記コンピュータに、前記フェムトセルと前記モバイルデバイスとの間のＷｉＦｉリンクのリンク状態に少なくとも部分的に基づいて前記送信モードを選択させるように構成された命令を備える、請求項３１に記載の有形のコンピュータ可読媒体。
【請求項３５】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項３１に記載の有形のコンピュータ可読媒体。
【請求項３６】
前記コンピュータに前記送信モードを選択させるように構成された前記命令は、前記コンピュータに、前記フェムトセルと前記モバイルデバイスとの間のＷｉＦｉリンクのローディングに少なくとも部分的に基づいて前記送信モードを選択させるように構成された命令を備える、請求項３１に記載の有形のコンピュータ可読媒体。
【請求項３７】
前記コンピュータに前記送信モードを選択させるように構成された前記命令は、前記コンピュータに、少なくとも、前記フェムトセルのバックホールのローディングに少なくとも部分的に基づいて前記送信モードを選択させるように構成された命令を備える、請求項３１に記載の有形のコンピュータ可読媒体。
【請求項３８】
前記コンピュータに前記選択された送信モードに従って前記データパケットを送らせるように構成された前記命令は、前記コンピュータに、前記フェムトセルから前記モバイルデバイスに送信されるパケットをカプセル化させるように構成された命令を備える、請求項３１に記載の有形のコンピュータ可読媒体。
【請求項３９】
前記コンピュータに、
前記ワイヤレスルータがブリッジング機能性を提供するかどうか決定させるように構成された命令をさらに備え、前記コンピュータに、前記パケットをカプセル化させるように構成された前記命令は、前記ワイヤレスルータがブリッジング機能性を提供しない場合、前記コンピュータに、前記フェムトセルから前記モバイルデバイスに送信される前記パケットをカプセル化させるように構成された命令を備える、実施される、請求項３２に記載の有形のコンピュータ可読媒体。
【請求項４０】
前記コンピュータに、
前記第３の送信モードが選択されたことに応答して、アグリゲートデータセッションの開始を示す信号を前記モバイルデバイスに送らせるように構成された命令をさらに備える、請求項３１に記載の有形のコンピュータ可読媒体。
【請求項４１】
前記コンピュータに、
前記第３の送信モードに従って前記データパケットを送った後、前記アグリゲートデータセッションの終了を示す信号を前記モバイルデバイスに送らせるように構成された命令をさらに備える、請求項４０に記載の有形のコンピュータ可読媒体。
【請求項４２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させる
ように構成された命令をさらに備える、請求項３１に記載の有形のコンピュータ可読媒体。
【請求項４３】
前記コンピュータに、
前記モバイルデバイスにアグリゲーション発見メッセージを送らせ、
前記モバイルデバイスからアグリゲーション発見応答を受信させ、
前記モバイルデバイスに第１のアグリゲーション情報を送信させ、
前記モバイルデバイスから第２のアグリゲーション情報を受信させ、
前記第１のアグリゲーション情報および前記第２のアグリゲーション情報に基づいて前記フェムトセルのアグリゲーション層を構成させる
ように構成された前記命令をさらに備える、請求項３１に記載の有形のコンピュータ可読媒体。
【請求項４４】
前記第１のアグリゲーション情報はアグリゲーションポリシー情報を備える、請求項４３に記載の有形のコンピュータ可読媒体。
【請求項４５】
前記コンピュータに、
前記モバイルデバイスとのＷｉＦｉ接続性をテストさせるように構成された命令をさらに備える、請求項４３に記載の有形のコンピュータ可読媒体。
【請求項４６】
フェムトセルにおいてワイヤレス通信トラフィックをアグリゲートするための装置であって、
有形の非一時的コンピュータ可読メモリと、
前記コンピュータ可読メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
フェムトセルにおいて、モバイルデバイス向けのデータパケットのストリームを受信し、
前記フェムトセルから前記モバイルデバイスに前記データパケットのストリームのデータパケットを送るための送信モードを選択し、前記データアグリゲーションモジュールは、第１の送信モード、第２の送信モード、または第３の送信モードを使って、前記データパケットのストリームからの前記データパケットを前記モバイルデバイスに送信するかどうかを決定するようにさらに構成され、
前記第１の送信モードは、前記フェムトセルのロングタームエボリューション（ＬＴＥ）インターフェースを介して前記ストリームからの前記データパケットを送信することを備え、
前記第２の送信モードは、ワイヤレストランシーバのＷｉＦｉインターフェースを介して前記ストリームからの前記データパケットを送信することを備え、
前記第３の送信モードは、前記ＬＴＥインターフェースを介して前記モバイルデバイスに前記データパケットの第１の部分を送信すること、および前記データパケットの第２の部分を前記ＷｉＦｉインターフェースを介して前記モバイルデバイスへの送信のために前記ワイヤレストランシーバに送ることを備え、
前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送る
ように構成された、装置。
【請求項４７】
前記ワイヤレストランシーバはワイヤレスルータのワイヤレストランシーバである、請求項４６に記載の装置。
【請求項４８】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項４６に記載の装置。
【請求項４９】
前記送信モードを選択するように構成されている前記データアグリゲーションモジュールは、コンピュータに、前記フェムトセルと前記モバイルデバイスとの間のＷｉＦｉリンクのリンク状態に少なくとも部分的に基づいて前記送信モードを選択させるようにさらに構成される、請求項４６に記載の装置。
【請求項５０】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項４６に記載の装置。
【請求項５１】
前記送信モードを選択するように構成されている前記データアグリゲーションモジュールは、前記フェムトセルと前記モバイルデバイスとの間のＷｉＦｉリンクのローディングに少なくとも部分的に基づいて前記送信モードを選択するようにさらに構成される、請求項４６に記載の装置。
【請求項５２】
前記送信モードを選択するように構成されている前記データアグリゲーションモジュールは、少なくとも、前記フェムトセルのバックホールのローディングに少なくとも部分的に基づいて前記送信モードを選択するようにさらに構成される、請求項４６に記載の装置。
【請求項５３】
前記選択された送信モードに従って前記データパケットを送るように構成されている前記データアグリゲーションモジュールは、前記フェムトセルから前記モバイルデバイスに送信されるパケットをカプセル化するようにさらに構成される、請求項４６に記載の装置。
【請求項５４】
前記データアグリゲーションモジュールは、前記ワイヤレスルータがブリッジング機能性を提供するかどうか決定するように構成され、前記データアグリゲーションモジュールは、前記ワイヤレスルータがブリッジング機能性を提供しない場合、前記フェムトセルから前記モバイルデバイスに送信されるパケットをカプセル化するように構成される、請求項４７に記載の装置。
【請求項５５】
前記データアグリゲーションモジュールは、
前記第３の送信モードが選択されたことに応答して、アグリゲートデータセッションの開始を示す信号を前記モバイルデバイスに送るようにさらに構成される、請求項４６に記載の装置。
【請求項５６】
前記データアグリゲーションモジュールは、
前記第３の送信モードに従って前記データパケットを送った後、前記アグリゲートデータセッションの終了を示す信号を前記モバイルデバイスに送るようにさらに構成される、請求項５５に記載の装置。
【請求項５７】
前記データアグリゲーションモジュールは、
ＬＴＥユーザプレーンデータ用に前記第２の送信モードを選択し、
ＬＴＥ制御プレーンデータ用に前記第１の送信モードを選択する
ように構成される、請求項４６に記載の装置。
【請求項５８】
前記データアグリゲーションモジュールは、
前記モバイルデバイスにアグリゲーション発見メッセージを送り、
前記モバイルデバイスからアグリゲーション発見応答を受信し、
前記モバイルデバイスに第１のアグリゲーション情報を送信し、
前記モバイルデバイスから第２のアグリゲーション情報を受信し、
前記第１のアグリゲーション情報および前記第２のアグリゲーション情報に基づいて前記フェムトセルのアグリゲーション層を構成する
ように構成される、請求項４６に記載の装置。
【請求項５９】
前記第１のアグリゲーション情報はアグリゲーションポリシー情報を備える、請求項５８に記載の装置。
【請求項６０】
前記データアグリゲーションモジュールは、
前記モバイルデバイスとのＷｉＦｉ接続性をテストするようにさらに構成される、請求項５８に記載の装置。
【請求項６１】
モバイルデバイスにおいてワイヤレス通信トラフィックをアグリゲートするための方法であって、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択することと、
前記第１のワイヤレス通信プロトコルを使って、フェムトセルから、データストリームからのデータパケットの第１の部分を受信することと、
前記第２のワイヤレス通信プロトコルを使って、ワイヤレストランシーバから、前記データストリームからのデータパケットの第２の部分を受信することと、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートすることと
を備える、方法。
【請求項６２】
前記データパケットの前記第１の部分と前記データパケットの前記第２の部分とを受信するのに先立って、アグリゲートデータセッションの開始を示す信号を、前記フェムトセルから受信することをさらに備える、請求項６１に記載の方法。
【請求項６３】
前記データパケットの前記第１の部分と前記データパケットの前記第２の部分とを受信した後、前記アグリゲートデータセッションの終了を示す信号を、前記フェムトセルから受信することをさらに備える、請求項６２に記載の方法。
【請求項６４】
前記ワイヤレストランシーバはワイヤレスルータのワイヤレストランシーバである、請求項６１に記載の方法。
【請求項６５】
モバイルデバイスにおいてワイヤレス通信トラフィックをアグリゲートするための装置であって、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択するための手段と、
前記第１のワイヤレス通信プロトコルを使って、フェムトセルから、データストリームからのデータパケットの第１の部分を受信するための手段と、
前記第２のワイヤレス通信プロトコルを使って、ワイヤレストランシーバから、前記データストリームからのデータパケットの第２の部分を受信するための手段と、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートするための手段と
を備える、装置。
【請求項６６】
前記データパケットの前記第１の部分と前記データパケットの前記第２の部分とを受信するのに先立って、アグリゲートデータセッションの開始を示す信号を、前記フェムトセルから受信するための手段をさらに備える、請求項６５に記載の装置。
【請求項６７】
前記データパケットの前記第１の部分と前記データパケットの前記第２の部分とを受信した後、前記アグリゲートデータセッションの終了を示す信号を、前記フェムトセルから受信するための手段をさらに備える、請求項６６に記載の装置。
【請求項６８】
前記ワイヤレストランシーバはワイヤレスルータのワイヤレストランシーバである、請求項６５に記載の装置。
【請求項６９】
モバイルデバイスにおいてワイヤレス通信トラフィックをアグリゲートするためのコンピュータ可読命令を記憶した有形のコンピュータ可読媒体であって、コンピュータに、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択させ、
前記第１のワイヤレス通信プロトコルを使って、フェムトセルから、データストリームからのデータパケットの第１の部分を受信させ、
前記第２のワイヤレス通信プロトコルを使って、ワイヤレストランシーバから、前記データストリームからのデータパケットの第２の部分を受信させ、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートさせる
ように構成された命令を備える、有形のコンピュータ可読媒体。
【請求項７０】
前記コンピュータに、
前記データパケットの前記第１の部分と前記データパケットの前記第２の部分とを受信するのに先立って、アグリゲートデータセッションの開始を示す信号を、前記フェムトセルから受信させるように構成された命令をさらに備える、請求項６９に記載の有形のコンピュータ可読媒体。
【請求項７１】
前記コンピュータに、
前記データパケットの前記第１の部分と前記データパケットの前記第２の部分とを受信した後、前記アグリゲートデータセッションの終了を示す信号を、前記フェムトセルから受信させるように構成された命令をさらに備える、請求項７０に記載の有形のコンピュータ可読媒体。
【請求項７２】
前記ワイヤレストランシーバはワイヤレスルータのワイヤレストランシーバである、請求項６９に記載の有形のコンピュータ可読媒体。
【請求項７３】
モバイルデバイスにおいてワイヤレス通信トラフィックをアグリゲートするための装置であって、
有形の非一時的コンピュータ可読メモリと、
前記コンピュータ可読メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択し、
前記第１のワイヤレス通信プロトコルを使って、フェムトセルから、データストリームからのデータパケットの第１の部分を受信し、
前記第２のワイヤレス通信プロトコルを使って、ワイヤレストランシーバから、前記データストリームからのデータパケットの第２の部分を受信し、前記ワイヤレストランシーバは前記フェムトセルとは離れている、
前記モバイルデバイスにおいて前記データストリームを再アセンブルするために、前記データパケットの前記第１の部分と前記データパケットの前記第２の部分とをアグリゲートする
ように構成された、装置。
【請求項７４】
前記データアグリゲーションモジュールは、コンピュータに、
前記データパケットの前記第１の部分と前記データパケットの前記第２の部分とを受信するのに先立って、アグリゲートデータセッションの開始を示す信号を、前記フェムトセルから受信させるようにさらに構成される、請求項７３に記載の装置。
【請求項７５】
前記データアグリゲーションモジュールは、
前記データパケットの前記第１の部分と前記データパケットの前記第２の部分とを受信した後、前記アグリゲートデータセッションの終了を示す信号を、前記フェムトセルから受信するようにさらに構成される、請求項７４に記載の装置。
【請求項７６】
前記ワイヤレストランシーバはワイヤレスルータのワイヤレストランシーバである、請求項７３に記載の装置。
【請求項７７】
モバイルデバイスにおいてワイヤレス通信トラフィックをアグリゲートするための方法であって、
モバイルデバイスのアグリゲーションモジュールにおいて、リモートネットワークエンティティに送信されるべきデータパケットのストリームを受信することと、
前記モバイルデバイスから、前記モバイルデバイスに関連付けられたフェムトセルに前記データパケットのストリームのデータパケットを送るための送信モードを選択することと、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使ってデータストリームからの前記データパケットを送信するかを、決定することを備え、前記第３の送信モードは、前記ＬＴＥインターフェースに対する干渉および前記ＷｉＦｉインターフェースに対する干渉のうちの少なくとも１つに基づいて、少なくとも部分的に、選択される、
前記選択された送信モードに従って前記データパケットを送ることと
を備える、方法。
【請求項７８】
前記送信モードを選択することは、前記フェムトセルと前記モバイルデバイスとの間のＬＴＥリンクのリンク状態に少なくとも部分的に基づいて前記送信モードを選択することを備える、請求項７７に記載の方法。
【請求項７９】
前記送信モードを選択することは、前記フェムトセルと前記モバイルデバイスとの間のＷｉＦｉリンクのリンク状態に少なくとも部分的に基づいて前記送信モードを選択することを備える、請求項７７に記載の方法。
【請求項８０】
前記送信モードを選択することは、前記フェムトセルと前記モバイルデバイスとの間のＬＴＥリンクのローディングに少なくとも部分的に基づいて前記送信モードを選択することを備える、請求項７７に記載の方法。
【請求項８１】
前記送信モードを選択することは、前記フェムトセルと前記モバイルデバイスとの間のＷｉＦｉリンクのローディングに少なくとも部分的に基づいて前記送信モードを選択することを備える、請求項７７に記載の方法。
【請求項８２】
前記選択された送信モードに従って前記データパケットを送ることは、前記モバイルデバイスから前記フェムトセルに送信されるパケットをカプセル化することを備える、請求項７７に記載の方法。
【請求項８３】
前記第３の送信モードが選択されたことに応答して、アグリゲートデータセッションの開始を示す信号を前記フェムトセルに送ることをさらに備える、請求項７７に記載の方法。
【請求項８４】
前記第３の送信モードに従って前記データパケットを送った後、前記アグリゲートデータセッションの終了を示す信号を前記フェムトセルに送ることをさらに備える、請求項８３に記載の方法。
【請求項８５】
前記ワイヤレストランシーバはワイヤレスルータのワイヤレストランシーバである、請求項７７に記載の方法。
【請求項８６】
前記送信モードを選択することは、
ＬＴＥユーザプレーンデータ用に前記第２の送信モードを選択することと、
ＬＴＥ制御プレーンデータ用に前記第１の送信モードを選択することと
をさらに備える、請求項７７に記載の方法。
【請求項８７】
前記フェムトセルにアグリゲーション発見メッセージを送ることと、
前記フェムトセルからアグリゲーション発見応答を受信することと、
前記フェムトセルに第１のアグリゲーション情報を送信することと、
前記フェムトセルから第２のアグリゲーション情報を受信することと、
前記第１のアグリゲーション情報および前記第２のアグリゲーション情報に基づいて前記モバイルデバイスのアグリゲーション層を構成することと
をさらに備える、請求項７７に記載の方法。
【請求項８８】
前記第１のアグリゲーション情報はアグリゲーションポリシー情報を備える、請求項８７に記載の方法。
【請求項８９】
前記フェムトセルとのＷｉＦｉ接続性をテストすることをさらに備える、請求項８７に記載の方法。
【請求項９０】
モバイルデバイスにおいてワイヤレス通信トラフィックをアグリゲートするための装置であって、
モバイルデバイスのアグリゲーションモジュールにおいて、リモートネットワークエンティティに送信されるべきデータパケットのストリームを受信するための手段と、
前記モバイルデバイスから、前記モバイルデバイスに関連付けられたフェムトセルに前記データパケットのストリームのデータパケットを送るための送信モードを選択するための手段と、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、データストリームからの前記データパケットを送信するかを、決定することを備え、前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送るための手段と
を備える、装置。
【請求項９１】
前記送信モードを選択するための前記手段は、前記フェムトセルと前記モバイルデバイスとの間のＬＴＥリンクのリンク状態に少なくとも部分的に基づいて前記送信モードを選択するための手段を備える、請求項９０に記載の装置。
【請求項９２】
前記送信モードを選択するための前記手段は、前記フェムトセルと前記モバイルデバイスとの間のＷｉＦｉリンクのリンク状態に少なくとも部分的に基づいて前記送信モードを選択するための手段を備える、請求項９０に記載の装置。
【請求項９３】
前記送信モードを選択するための前記手段は、前記フェムトセルと前記モバイルデバイスとの間のＬＴＥリンクのローディングに少なくとも部分的に基づいて前記送信モードを選択するための手段を備える、請求項９０に記載の装置。
【請求項９４】
前記送信モードを選択するための前記手段は、前記フェムトセルと前記モバイルデバイスとの間のＷｉＦｉリンクのローディングに少なくとも部分的に基づいて前記送信モードを選択するための手段を備える、請求項９０に記載の装置。
【請求項９５】
前記選択された送信モードに従って前記データパケットを送るための前記手段は、前記モバイルデバイスから前記フェムトセルに送信されるパケットをカプセル化するための手段を備える、請求項９０に記載の装置。
【請求項９６】
前記第３の送信モードが選択されたことに応答して、アグリゲートデータセッションの開始を示す信号を前記フェムトセルに送るための手段をさらに備える、請求項９０に記載の装置。
【請求項９７】
前記第３の送信モードに従って前記データパケットを送った後、前記アグリゲートデータセッションの終了を示す信号を前記フェムトセルに送るための手段をさらに備える、請求項９６に記載の装置。
【請求項９８】
前記ワイヤレストランシーバはワイヤレスルータのワイヤレストランシーバである、請求項９０に記載の装置。
【請求項９９】
前記送信モードを選択するための前記手段は、
ＬＴＥユーザプレーンデータ用に前記第２の送信モードを選択するための手段と、
ＬＴＥ制御プレーンデータ用に前記第１の送信モードを選択するための手段と
をさらに備える、請求項９０に記載の装置。
【請求項１００】
前記フェムトセルにアグリゲーション発見メッセージを送るための手段と、
前記フェムトセルからアグリゲーション発見応答を受信するための手段と、
前記フェムトセルに第１のアグリゲーション情報を送信するための手段と、
前記フェムトセルから第２のアグリゲーション情報を受信するための手段と、
前記第１のアグリゲーション情報および前記第２のアグリゲーション情報に基づいて前記モバイルデバイスのアグリゲーション層を構成するための手段と
をさらに備える、請求項９０に記載の装置。
【請求項１０１】
前記第１のアグリゲーション情報はアグリゲーションポリシー情報を備える、請求項１００に記載の装置。
【請求項１０２】
前記フェムトセルとのＷｉＦｉ接続性をテストするための手段をさらに備える、請求項１００に記載の装置。
【請求項１０３】
モバイルデバイスにおいてワイヤレス通信トラフィックをアグリゲートするためのコンピュータ可読命令を記憶した有形のコンピュータ可読媒体であって、コンピュータに、
モバイルデバイスのアグリゲーションモジュールにおいて、リモートネットワークエンティティに送信されるべきデータパケットのストリームを受信させ、
前記モバイルデバイスから、前記モバイルデバイスに関連付けられたフェムトセルに前記データパケットのストリームのデータパケットを送るための送信モードを選択させ、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、データストリームからの前記データパケットを送信するかを、決定することを備え、前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送らせる
ように構成された命令を備える、有形のコンピュータ可読媒体。
【請求項１０４】
前記コンピュータに前記送信モードを選択させるように構成された前記命令は、前記コンピュータに、前記フェムトセルと前記モバイルデバイスとの間のＬＴＥリンクのリンク状態に少なくとも部分的に基づいて前記送信モードを選択させるように構成された命令を備える、請求項１０３に記載の有形のコンピュータ可読媒体。
【請求項１０５】
前記コンピュータに前記送信モードを選択させるように構成された前記命令は、前記コンピュータに、前記ワイヤレストランシーバと前記モバイルデバイスとの間のＷｉＦｉリンクのリンク状態に少なくとも部分的に基づいて前記送信モードを選択させるように構成された命令を備える、請求項１０３に記載の有形のコンピュータ可読媒体。
【請求項１０６】
前記コンピュータに前記送信モードを選択させるように構成された前記命令は、前記コンピュータに、前記フェムトセルと前記モバイルデバイスとの間のＬＴＥリンクのローディングに少なくとも部分的に基づいて前記送信モードを選択させるように構成された命令を備える、請求項１０３に記載の有形のコンピュータ可読媒体。
【請求項１０７】
前記コンピュータに前記送信モードを選択させるように構成された前記命令は、前記コンピュータに、前記ワイヤレストランシーバと前記モバイルデバイスとの間のＷｉＦｉリンクのローディングに少なくとも部分的に基づいて前記送信モードを選択させるように構成された命令を備える、請求項１０３に記載の有形のコンピュータ可読媒体。
【請求項１０８】
前記コンピュータに前記選択された送信モードに従って前記データパケットを送らせるように構成された前記命令は、前記コンピュータに、前記モバイルデバイスから前記フェムトセルに送信されるパケットをカプセル化させるように構成された命令を備える、請求項１０３に記載の有形のコンピュータ可読媒体。
【請求項１０９】
前記コンピュータに、
前記第３の送信モードが選択されたことに応答して、アグリゲートデータセッションの開始を示す信号を前記フェムトセルに送らせるように構成された命令をさらに備える、請求項１０３に記載の有形のコンピュータ可読媒体。
【請求項１１０】
前記コンピュータに、
前記第３の送信モードに従って前記データパケットを送った後、前記アグリゲートデータセッションの終了を示す信号を前記フェムトセルに送らせるように構成された命令をさらに備える、請求項１０９に記載の有形のコンピュータ可読媒体。
【請求項１１１】
前記ワイヤレストランシーバはワイヤレスルータのワイヤレストランシーバである、請求項１０３に記載の有形のコンピュータ可読媒体。
【請求項１１２】
前記コンピュータに前記送信モードを選択させるように構成された前記命令は、前記コンピュータに、
ＬＴＥユーザプレーンデータ用に前記第２の送信モードを選択させ、
ＬＴＥ制御プレーンデータ用に前記第１の送信モードを選択させる
ように構成された命令をさらに備える、請求項１０３に記載の有形のコンピュータ可読媒体。
【請求項１１３】
前記コンピュータに、
前記フェムトセルにアグリゲーション発見メッセージを送らせ、
前記フェムトセルからアグリゲーション発見応答を受信させ、
前記フェムトセルに第１のアグリゲーション情報を送信させ、
前記フェムトセルから第２のアグリゲーション情報を受信させ、
前記第１のアグリゲーション情報および前記第２のアグリゲーション情報に基づいて前記モバイルデバイスのアグリゲーション層を構成させる
ように構成された命令をさらに備える、請求項１０３に記載の有形のコンピュータ可読媒体。
【請求項１１４】
前記第１のアグリゲーション情報はアグリゲーションポリシー情報を備える、請求項１１３に記載の有形のコンピュータ可読媒体。
【請求項１１５】
前記コンピュータに
前記モバイルデバイスとのＷｉＦｉ接続性をテストさせるように構成された命令をさらに備える、請求項１１３に記載の有形のコンピュータ可読媒体。
【請求項１１６】
モバイルデバイスにおいてワイヤレス通信トラフィックをアグリゲートするための装置であって、
有形の非一時的コンピュータ可読メモリと、
前記コンピュータ可読メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
モバイルデバイスのアグリゲーションモジュールにおいて、リモートネットワークエンティティに送信されるべきデータパケットのストリームを受信し、
前記モバイルデバイスから、前記モバイルデバイスに関連付けられたフェムトセルに前記データパケットのストリームのデータパケットを送るための送信モードを選択し、前記選択することは、前記モバイルデバイスのロングタームエボリューション（ＬＴＥ）インターフェースを介して前記ストリームからの前記データパケットを送信することを備える第１の送信モードを使って、前記データパケットのストリームからの前記データパケットを前記フェムトセルに送信するか、前記モバイルデバイスのＷｉＦｉインターフェースを介して前記ストリームからの前記データパケットを送信することを備える第２の送信モードを使って、前記データパケットを前記フェムトセルにルーティングするために前記フェムトセルの外部のワイヤレストランシーバに送信するか、あるいは前記ＬＴＥインターフェースを介して前記データパケットの第１の部分を前記フェムトセルに送信すること、および前記データパケットの第２の部分を前記フェムトセルにルーティングするためにＷｉＦｉインターフェースを介して前記ワイヤレストランシーバに送信することを備える第３の送信モードを使って、データストリームからの前記データパケットを送信するかを、決定することを備え、前記第３の送信モードは、前記ＬＴＥインターフェースに対する干渉および前記ＷｉＦｉインターフェースに対する干渉のうちの少なくとも１つに、少なくとも部分的に、基づいて選択される、
前記選択された送信モードに従って前記データパケットを送る
ように構成された、装置。
【請求項１１７】
前記送信モードを選択するように構成されている前記データアグリゲーションモジュールは、前記フェムトセルと前記モバイルデバイスとの間のＬＴＥリンクのリンク状態に少なくとも部分的に基づいて前記送信モードを選択するようにさらに構成される、請求項１１６に記載の装置。
【請求項１１８】
前記送信モードを選択するように構成されている前記データアグリゲーションモジュールは、前記ワイヤレストランシーバと前記モバイルデバイスとの間のＷｉＦｉリンクのリンク状態に少なくとも部分的に基づいて前記送信モードを選択するようにさらに構成される、請求項１１６に記載の装置。
【請求項１１９】
前記送信モードを選択するように構成されている前記データアグリゲーションモジュールは、前記フェムトセルと前記モバイルデバイスとの間のＬＴＥリンクのローディングに少なくとも部分的に基づいて前記送信モードを選択するようにさらに構成される、請求項１１６に記載の装置。
【請求項１２０】
前記送信モードを選択するように構成されている前記データアグリゲーションモジュールは、前記ワイヤレストランシーバと前記モバイルデバイスとの間のＷｉＦｉリンクのローディングに少なくとも部分的に基づいて前記送信モードを選択するようにさらに構成される、請求項１１６に記載の装置。
【請求項１２１】
前記選択された送信モードに従って前記データパケットを送るように構成されている前記データアグリゲーションモジュールは、前記モバイルデバイスから前記フェムトセルに送信されるパケットをカプセル化するようにさらに構成される、請求項１１６に記載の装置。
【請求項１２２】
前記データアグリゲーションモジュールは、
前記第３の送信モードが選択されたことに応答して、アグリゲートデータセッションの開始を示す信号を前記フェムトセルに送るようにさらに構成される、請求項１１６に記載の装置。
【請求項１２３】
前記データアグリゲーションモジュールは、
前記第３の送信モードに従って前記データパケットを送った後、前記アグリゲートデータセッションの終了を示す信号を前記フェムトセルに送るようにさらに構成される、請求項１２２に記載の装置。
【請求項１２４】
前記ワイヤレストランシーバはワイヤレスルータのワイヤレストランシーバである、請求項１１６に記載の装置。
【請求項１２５】
前記データアグリゲーションモジュールは、
ＬＴＥユーザプレーンデータ用に前記第２の送信モードを選択し、
ＬＴＥ制御プレーンデータ用に前記第１の送信モードを選択する
ようにさらに構成される、請求項１１６に記載の装置。
【請求項１２６】
前記データアグリゲーションモジュールは、
前記フェムトセルにアグリゲーション発見メッセージを送り、
前記フェムトセルからアグリゲーション発見応答を受信し、
前記フェムトセルに第１のアグリゲーション情報を送信し、
前記フェムトセルから第２のアグリゲーション情報を受信し、
前記第１のアグリゲーション情報および前記第２のアグリゲーション情報に基づいて前記モバイルデバイスのアグリゲーション層を構成する
ようにさらに構成される、請求項１１６に記載の装置。
【請求項１２７】
前記第１のアグリゲーション情報はアグリゲーションポリシー情報を備える、請求項１２６に記載の装置。
【請求項１２８】
前記データアグリゲーションモジュールは、
前記フェムトセルとのＷｉＦｉ接続性をテストするようにさらに構成される、請求項１２６に記載の装置。
【請求項１２９】
フェムトセルにおいてワイヤレス通信トラフィックをアグリゲートするための方法であって、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択することと、
前記第１のワイヤレス通信プロトコルを使って、前記フェムトセルにおいて、データストリームからのデータパケットの第１の部分を、前記フェムトセルの外部のデバイスを介してモバイルデバイスから受信することと、
前記第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信することと、
アグリゲートされたデータストリームを作成するために、前記フェムトセルにおいて前記データストリームを再アセンブルするように、前記データパケットの前記第１の部分と前記データパケットの前記第２の部分とをアグリゲートすることと、
前記アグリゲートされたデータストリームを、データパケットの第１のセットおよびデータパケットの第２のセットの予定受信側である宛先ネットワークエンティティに送ることと
を備える、方法。
【請求項１３０】
前記データパケットの前記第１の部分と前記データパケットの前記第２の部分とを受信するのに先立って、アグリゲートデータセッションの開始を示す信号を前記モバイルデバイスから受信することをさらに備える、請求項１２９に記載の方法。
【請求項１３１】
前記データパケットの前記第１の部分と前記データパケットの前記第２の部分とを受信した後、前記アグリゲートデータセッションの終了を示す信号を前記モバイルデバイスから受信することをさらに備える、請求項１３０に記載の方法。
【請求項１３２】
ワイヤレストランシーバは、前記フェムトセルに接続されたワイヤレスルータのワイヤレストランシーバである、請求項１２９に記載の方法。
【請求項１３３】
フェムトセルにおいてワイヤレス通信トラフィックをアグリゲートするための装置であって、
第１のワイヤレス通信プロトコルに対する干渉および第２のワイヤレス通信プロトコルに対する干渉のうちの少なくとも１つに、少なくとも部分的に、基づいて送信のアグリゲートされたモードを選択するための手段と、
前記第１のワイヤレス通信プロトコルを使って、前記フェムトセルにおいて、データストリームからのデータパケットの第１の部分を、前記フェムトセルの外部のデバイスを介してモバイルデバイスから受信するための手段と、
前記第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信するための手段と、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートするための手段と、
前記アグリゲートされたデータストリームを、データパケットの第１のセットおよびデータパケットの第２のセットの予定受信側である宛先ネットワークエンティティに送るための手段と
を備える装置。
【請求項１３４】
前記データパケットの前記第１の部分と前記データパケットの前記第２の部分とを受信するのに先立って、アグリゲートデータセッションの開始を示す信号を前記モバイルデバイスから受信するための手段をさらに備える、請求項１３３に記載の装置。
【請求項１３５】
前記データパケットの前記第１の部分と前記データパケットの前記第２の部分とを受信した後、前記アグリゲートデータセッションの終了を示す信号を前記モバイルデバイスから受信するための手段をさらに備える、請求項１３４に記載の装置。
【請求項１３６】
ワイヤレストランシーバは、前記フェムトセルに接続されたワイヤレスルータのワイヤレストランシーバである、請求項１３３に記載の装置。
【請求項１３７】
フェムトセルにおいてワイヤレス通信トラフィックをアグリゲートするためのコンピュータ可読命令を記憶した有形のコンピュータ可読媒体であって、コンピュータに、
第１のワイヤレス通信プロトコルに対する干渉および第２のワイヤレス通信プロトコルに対する干渉のうちの少なくとも１つに基づいて送信のアグリゲートされたモードを選択させ、
前記第１のワイヤレス通信プロトコルを使って、前記フェムトセルにおいて、データストリームからのデータパケットの第１の部分を、前記フェムトセルの外部のデバイスを介してモバイルデバイスから受信させ、
前記第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信させ、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートさせ、
前記アグリゲートされたデータストリームを、データパケットの第１のセットおよびデータパケットの第２のセットの予定受信側である宛先ネットワークエンティティに送らせる
ように構成された命令を備える、有形のコンピュータ可読媒体。
【請求項１３８】
前記コンピュータに、
前記データパケットの前記第１の部分と前記データパケットの前記第２の部分とを受信するのに先立って、アグリゲートデータセッションの開始を示す信号を前記モバイルデバイスから受信させるように構成された命令をさらに備える、請求項１３７に記載の有形のコンピュータ可読媒体。
【請求項１３９】
前記コンピュータに、
前記データパケットの前記第１の部分と前記データパケットの前記第２の部分とを受信した後、前記アグリゲートデータセッションの終了を示す信号を前記モバイルデバイスから受信させるように構成された命令をさらに備える、請求項１３８に記載の有形のコンピュータ可読媒体。
【請求項１４０】
ワイヤレストランシーバは、前記フェムトセルに接続されたワイヤレスルータのワイヤレストランシーバである、請求項１３７に記載の有形のコンピュータ可読媒体。
【請求項１４１】
フェムトセルにおいてワイヤレス通信トラフィックをアグリゲートするための装置であって、
有形の非一時的コンピュータ可読メモリと、
前記コンピュータ可読メモリに記憶されたプロセッサ実行可能コードを備える複数のモジュールと、
前記メモリに接続され、前記メモリに記憶された前記複数のモジュールにアクセスするように構成されたプロセッサと、
データアグリゲーションモジュールと
を備え、前記データアグリゲーションモジュールは、
第１のワイヤレス通信プロトコルに対する干渉および第２のワイヤレス通信プロトコルに対する干渉のうちの少なくとも１つに基づいて、少なくとも部分的に、送信のアグリゲートされたモードを選択し、
前記第１のワイヤレス通信プロトコルを使って、前記フェムトセルにおいて、データストリームからのデータパケットの第１の部分を、前記フェムトセルの外部のデバイスを介してモバイルデバイスから受信し、
前記第２のワイヤレス通信プロトコルを使って、前記フェムトセルにおいて、前記データストリームからのデータパケットの第２の部分を、前記モバイルデバイスとのワイヤレス接続を介して前記モバイルデバイスから受信し、
アグリゲートされたデータストリームを作成するように、前記フェムトセルにおいて、前記モバイルデバイスにおいて前記データストリームを再アセンブルするために、前記データパケットの前記第１の部分と前記データパケットの前記第２の部分とをアグリゲートし、
前記アグリゲートされたデータストリームを、データパケットの第１のセットおよびデータパケットの第２のセットの予定受信側である宛先ネットワークエンティティに送る
ように構成された、装置。
【請求項１４２】
前記データアグリゲーションモジュールは、
前記データパケットの前記第１の部分と前記データパケットの前記第２の部分とを受信するのに先立って、アグリゲートデータセッションの開始を示す信号を前記モバイルデバイスから受信するようにさらに構成される、請求項１４１に記載の装置。
【請求項１４３】
前記データアグリゲーションモジュールは、
前記データパケットの前記第１の部分と前記データパケットの前記第２の部分とを受信した後、前記アグリゲートデータセッションの終了を示す信号を前記モバイルデバイスから受信するようにさらに構成される、請求項１４２に記載の装置。
【請求項１４４】
ワイヤレストランシーバは、前記フェムトセルに接続されたワイヤレスルータのワイヤレストランシーバである、請求項１４１に記載の装置。
【請求項１４５】
前記モバイルデバイスからの前記ＬＴＥリンク上の干渉または前記ＷｉＦｉリンク上の干渉のうちの少なくとも１つに関する情報を要求することと、
前記モバイルデバイスから受信された前記ＬＴＥリンク上の前記干渉または前記ＷｉＦｉリンク上の前記干渉のうちの少なくとも１つに少なくとも部分的に基づいて前記送信モードを選択することと
をさらに備える、請求項１に記載の方法。
【請求項１４６】
前記第３の送信モードが選択された場合に他のデータパケットが前記フェムトセルからまたは前記ワイヤレストランシーバから送信されるのを妨害することをさらに備える、請求項１に記載の方法。
【請求項１４７】
前記第３の送信モードは、前記ＬＴＥインターフェースに対する前記干渉および前記ＷｉＦｉインターフェースに対する前記干渉の両方に、少なくとも部分的に、基づいて選択される、請求項１に記載の方法。
【請求項１４８】
前記第３の送信モードは、前記ＬＴＥインターフェースおよび前記ＷｉＦｉインターフェースの両方のチャネル品質に、少なくとも部分的に、基づいて選択される、請求項１に記載の方法。
【国際調査報告】
2016523482.tif 000028
2016523482.tif 000029
2016523482.tif 000030
2016523482.tif 000031
2016523482.tif 000032
2016523482.tif 000033
2016523482.tif 000034
2016523482.tif 000035